(57)【要約】【課題】  機械の保守管理が容易で汎用性が高い保守管理支援システムを提供する。【解決手段】  入力端末装置１２０および顧客端末装置１３０と、サーバ装置１１０とをネットワーク１４０を介して送受信可能に接続し、専用ソフトウェアをインストールする。入力端末装置１２０をサーバ装置１１０に接続し、各種マスタデータやチェックリストを取得させる。入力端末装置１２０で点検対象の設備に対応したチェックリストを表示し、チェックリストに基づいて確認結果を入力する。入力端末装置１２０および顧客端末装置１３０とサーバ装置１１０との情報の同期処理をし、入力した確認結果情報をサーバ装置１１０に蓄積する。顧客端末装置１３０でサーバ装置１１０に蓄積する確認結果情報に基づいて設備の状態や状態に対応した診断結果などの情報を顧客端末装置１３０で表示させる。【選択図】 図１
2005100127.tif 000002
【特許請求の範囲】
【請求項１】
油剤を利用する機械における所定の確認事項の結果に基づいて前記機械の状態に関して報知する保守管理支援装置であって、
前記確認事項の結果の入力を促すチェックリストに関するチェックリスト情報を前記所定の確認対象の機械毎に作成するリスト作成手段と、
前記チェックリスト情報に基づいて前記チェックリストを前記確認事項の結果の入力フォーマットとして画面表示する表示手段と、
前記画面表示されるチェックリストにしたがった入力操作により前記確認事項の結果に関する確認事項結果情報を生成する入力手段と、
前記確認事項結果情報を蓄積する蓄積手段と、
この入力手段にて生成した確認事項結果情報に基づいて、前記機械の状態に関する状態情報およびこの機械の状態に対する保守点検内容に関する結果情報のうちの少なくともいずれか一方を生成する診断手段と、
この診断手段にて生成した状態情報および結果情報のうちの少なくともいずれか一方を報知する報知手段と、
を具備したことを特徴とした保守管理支援装置。
【請求項２】
端末装置に入力される油剤を利用する機械の確認事項の結果をネットワークを介して取得し適宜処理して前記機械の状態に関して報知する保守管理支援装置であって、
前記端末装置に入力された前記機械毎の確認事項の結果に関する確認事項結果情報を前記ネットワークを介して取得する確認結果取得手段と、
前記確認事項結果情報を蓄積する蓄積手段と、
前記確認事項結果情報に基づいて、前記機械の状態に関する状態情報およびこの機械の状態に対する保守点検内容に関する結果情報のうちの少なくともいずれか一方を生成する診断手段と、
この診断手段にて生成した状態情報および結果情報のうちの少なくともいずれか一方を前記ネットワークへ送出することにより報知する報知手段と、
を具備したことを特徴とした保守管理支援装置。
【請求項３】
請求項２に記載の保守管理支援装置であって、
前記端末装置における前記確認事項の結果の入力を促すチェックリストに関するチェックリスト情報を前記所定の確認対象の機械毎に作成するリスト作成手段を具備した
ことを特徴とした保守管理支援装置。
【請求項４】
請求項１または請求項３に記載の保守管理支援装置であって、
前記リスト作成手段にて作成された前記チェックリスト情報を前記機械が設置されこの機械を利用する利用者に関する顧客情報に関連付けて格納する格納手段を具備した
ことを特徴とした保守管理支援装置。
【請求項５】
請求項１、請求項３および請求項４のいずれかに記載の保守管理支援装置であって、
前記チェックリストは、前記機械の種別を特定する複数の対象機械項目のうちのいずれか１つと、前記機械の確認する部位を特定する複数の対象部位項目のうちの少なくともいずれか１つと、確認する内容を特定する複数の診断項目のうちの少なくともいずれか１つとを有した
ことを特徴とした保守管理支援装置。
【請求項６】
請求項５に記載の保守管理支援装置であって、
前記リスト作成手段は、前記対象機械項目、前記対象部位項目および前記診断項目が入力操作により選択され、前記対象機械項目、前記対象部位項目および前記診断項目に対応して入力された複数の前記確認事項結果情報を関連付けて１つのレコードとしたテーブル構造の前記確認事項結果情報とする入力フォーマットに前記チェックリストを構成して前記チェックリスト情報を作成する
ことを特徴とした保守管理支援装置。
【請求項７】
請求項１ないし請求項６のいずれかに記載の保守管理支援装置であって、
前記確認事項は、前記機械に利用される油剤の性状に関する事項である
ことを特徴とした保守管理支援装置。
【請求項８】
請求項７に記載の保守管理支援装置であって、
前記診断手段は、前記油剤を貯留する前記機械のタンクの容量に対する年間での補充した前記油剤量を演算して結果情報として生成する
ことを特徴とした保守管理支援装置。
【請求項９】
請求項８に記載の保守管理支援装置であって、
前記報知手段は、前記機械のタンクの容量に対する年間での補充した前記油剤量に対応して異なる表示形態で表示させることで報知する
ことを特徴とした保守管理支援装置。
【請求項１０】
請求項１ないし請求項９のいずれかに記載の保守管理支援装置であって、
前記診断手段は、前記取得した確認事項結果情報を前記蓄積手段にあらかじめ蓄積された確認事項結果情報と比較することにより、前記状態情報および前記結果情報のうちの少なくともいずれか一方を生成する
ことを特徴とした保守管理支援装置。
【請求項１１】
請求項１ないし請求項１０のいずれかに記載の保守管理支援装置であって、
前記確認事項結果情報に基づいて前記機械の所定の確認により生じる費用を演算して保全費情報を生成する保全費演算手段を具備し、
前記報知手段は、前記保全費情報を報知する
ことを特徴とした保守管理支援装置。
【請求項１２】
請求項２に記載の保守管理支援装置と、
この保守管理支援装置にネットワークを介して送受信可能に接続された端末装置と、
を具備したことを特徴とした保守管理支援システム。
【請求項１３】
油剤を利用する機械における所定の確認事項の結果の入力を促すチェックリストを入力フォーマットとして画面表示する表示手段、および、この表示手段に画面表示されるチェックリストに基づいて前記確認事項の結果を入力する入力手段を備えた端末装置と、
この端末装置にネットワークを介して送受信可能に接続され、前記表示手段に画面表示されるチェックリストに関するチェックリスト情報を前記所定の確認対象の機械毎に作成するリスト作成手段、前記端末装置から前記ネットワークを介して前記確認事項の結果に関する確認事項結果情報を取得する確認結果取得手段、前記確認事項結果情報を蓄積する蓄積手段、および、前記確認事項結果情報に基づいて前記機械の状態に関する状態情報およびこの機械の状態に対する保守点検内容に関する結果情報のうちの少なくともいずれか一方を前記ネットワークへ出力可能に生成する診断手段を備えたサーバ装置と、
を具備したことを特徴とした保守管理支援システム。
【請求項１４】
請求項１３に記載の保守管理支援システムであって、
前記サーバ装置から前記ネットワークへ出力される前記状態情報および前記結果情報のうちの少なくともいずれか一方を取得して報知する報知手段を具備した
ことを特徴とした保守管理支援システム。
【請求項１５】
演算手段により、油剤を利用する機械における所定の確認事項の結果に基づいて前記機械の状態に関して報知する保守管理支援方法であって、
前記演算手段は、
所定の確認対象の前記機械を特定する情報に基づいて前記確認事項の結果の入力を促すチェックリストに関するチェックリスト情報を前記所定の確認対象の機械毎に作成し、
この作成したチェックリスト情報に基づいてチェックリストを前記確認事項の結果の入力フォーマットとして画面表示させ、
この画面表示されるチェックリストにしたがって入力される前記確認事項の結果に関する確認事項結果情報を取得して蓄積し、
この蓄積する確認事項結果情報に基づいて前記機械の状態に関する状態情報およびこの機械の状態に対する保守点検内容に関する結果情報のうちの少なくともいずれか一方を生成し、
これら状態情報および結果情報のうちの少なくともいずれか一方を報知する
ことを特徴とする保守管理支援方法。
【請求項１６】
端末装置で入力される油剤を利用する機械の確認事項の結果をネットワークを介してサーバ装置で取得し適宜処理して前記機械の状態に関して報知する保守管理支援方法であって、
前記端末装置に入力された前記機械毎の確認事項の結果に関する確認事項結果情報を前記ネットワークを介してサーバ装置で取得して蓄積し、
前記確認事項結果情報に基づいて前記機械の状態に関する状態情報およびこの機械の状態に対する保守点検内容に関する結果情報のうちの少なくともいずれか一方をサーバ装置で生成させて前記端末装置で取得可能に前記ネットワークへ送出させる
ことを特徴とする保守管理支援方法。
【請求項１７】
請求項１５または請求項１６に記載の保守管理支援方法を演算手段に実行させる
ことを特徴とした保守管理支援プログラム。
【請求項１８】
請求項１７に記載の保守管理支援プログラムが演算手段にて読取可能に記録された
ことを特徴とした保守管理支援プログラムを記録した記録媒体。
【発明の詳細な説明】
【技術分野】
【０００１】
本発明は、機械の所定の確認事項の結果に基づいて前記機械の状態に関して報知する保守管理支援装置、そのシステム、その方法、そのプログラム、および、そのプログラムを記録した記録媒体に関する。
【背景技術】
【０００２】
従来、内燃機関や工作機械などの各種機械を保守管理するための各種診断方法が知られている（例えば、特許文献１ないし特許文献４）。これら診断方法は、機械の駆動状態や機械に利用される潤滑油や作業油などの性状を検出し、その結果に基づいて機械の状態さらには潤滑油などの状態を報知する。
【０００３】
すなわち、特許文献１に記載のものは、顧客の設備の潤滑油から採取された摩耗粒子の画像信号を受信し、形状、大きさおよび量を数値化して読み込む。この後、読み込んだ形状および大きさから設備の損傷の有無を判断し、損傷原因を判断する。さらに、熱処理前後の摩耗粒子の色を数値化して読み込み、読み込んだ色の変化から摩耗粒子の材質を解析し、損傷箇所を判断する。また、読み込んだ量から損傷程度を判断する。そして、これら解析結果や判断結果をデータベースにあらかじめ記憶された基準と比較し、設備の損傷箇所の候補およびその損傷程度などを顧客に送信して報知する構成が採られている。
【０００４】
しかしながら、上記特許文献１に記載の構成では、顧客に摩耗粒子の画像データを取得する作業が必要となるとともに、画像データを取得するための特別な設備が必要となる。このため、顧客に対して診断を受けるために大きな負荷を要求することとなり、利用の拡大が図りにくい。
【０００５】
また、特許文献２に記載のものは、例えば１分間のサンプリング周期毎に例えば１３分間の記録時間分における各種運転状態データを記録し、この記録した運転状態を受信する。そして、エンジン回転数が略一定で推移している期間を定常状態で運転された運転状態データと設定し、運転状態データのエンジン回転数に対する冷却水温、冷却水圧、バイパス開度および潤滑油圧との関係から、冷却系、吸気系、潤滑油系に関する船外機の故障状態を診断し、報知する。
【０００６】
しかしながら、上記特許文献２に記載の構成では、各種センサにて運転状態データを取得するので、診断対象が船外機に特定され、汎用性が図れない。
【０００７】
【特許文献１】特開２００２−２９６１５１号公報（第３頁右欄〜第７頁左欄）
【特許文献２】特開２００２−１６０６９６号公報（第７頁右欄〜第１８頁右欄、図１）
【発明の開示】
【発明が解決しようとする課題】
【０００８】
上述したように、上記特許文献１に記載のような画像データを取得する構成では、機械の診断のために、所定の設備および作業が必要となり、顧客に対する負荷が大きく、利用の拡大が図れない。また、特許文献２に記載のような各種センサを用いる構成では、診断対象が限られ、汎用性が図れない。
【０００９】
本発明の目的は、このような点に鑑みて、機械の保守管理が容易で汎用性が高い保守管理支援装置、そのシステム、その方法、そのプログラム、および、そのプログラムを記録した記録媒体を提供することである。
【課題を解決するための手段】
【００１０】
本発明の保守管理支援装置は、油剤を利用する機械における所定の確認事項の結果に基づいて前記機械の状態に関して報知する保守管理支援装置であって、前記確認事項の結果の入力を促すチェックリストに関するチェックリスト情報を前記所定の確認対象の機械毎に作成するリスト作成手段と、前記チェックリスト情報に基づいて前記チェックリストを前記確認事項の結果の入力フォーマットとして画面表示する表示手段と、前記画面表示されるチェックリストにしたがった入力操作により前記確認事項の結果に関する確認事項結果情報を生成する入力手段と、前記確認事項結果情報を蓄積する蓄積手段と、この入力手段にて生成した確認事項結果情報に基づいて、前記機械の状態に関する状態情報およびこの機械の状態に対する保守点検内容に関する結果情報のうちの少なくともいずれか一方を生成する診断手段と、この診断手段にて生成した状態情報および結果情報のうちの少なくともいずれか一方を報知する報知手段と、を具備したことを特徴とする。
【００１１】
この発明では、油剤を利用する機械における所定の確認事項の結果の入力を促すチェックリストに関するチェックリスト情報をリスト作成手段により所定の確認対象の機械毎に作成し、このチェックリスト情報に基づいて前記チェックリストを前記確認事項の結果の入力フォーマットとして表示手段に画面表示させ、この画面表示されるチェックリストにしたがった入力手段による入力操作にて生成する確認事項の結果に関する確認事項結果情報を蓄積手段に適宜蓄積させ、確認事項結果情報に基づいて診断手段により機械の状態に関する状態情報およびこの機械の状態に対する保守点検内容に関する結果情報のうちの少なくともいずれか一方を生成し、報知手段にて状態情報および結果情報のうちの少なくともいずれか一方を報知する。このことにより、異なる機械についての保守管理の内容を統括して管理することが可能となり、機械の保守管理性の向上および汎用性の向上が得られ、利用の拡大が得られる。
【００１２】
また、本発明の保守管理支援装置は、端末装置に入力される油剤を利用する機械の確認事項の結果をネットワークを介して取得し適宜処理して前記機械の状態に関して報知する保守管理支援装置であって、前記端末装置に入力された前記機械毎の確認事項の結果に関する確認事項結果情報を前記ネットワークを介して取得する確認結果取得手段と、前記確認事項結果情報を蓄積する蓄積手段と、前記確認事項結果情報に基づいて、前記機械の状態に関する状態情報およびこの機械の状態に対する保守点検内容に関する結果情報のうちの少なくともいずれか一方を生成する診断手段と、この診断手段にて生成した状態情報および結果情報のうちの少なくともいずれか一方を前記ネットワークへ送出することにより報知する報知手段と、を具備したことを特徴とする。
【００１３】
この発明では、端末装置に入力された油剤を利用する機械毎の確認事項の結果に関する確認事項結果情報を確認結果取得手段にてネットワークを介して取得して蓄積手段にて適宜蓄積し、前記確認事項結果情報に基づいて判断手段により機械の状態に関する状態情報および機械の状態に対する保守点検内容に関する結果情報のうちの少なくともいずれか一方を生成し、報知手段にて状態情報および結果情報のうちの少なくともいずれか一方を報知する。このことにより、異なる機械についての保守管理の内容を統括して管理することが可能となり、機械の保守管理性の向上および汎用性の向上が得られ、利用の拡大が得られる。
【００１４】
そして、この発明では、前記端末装置における前記確認事項の結果の入力を促すチェックリストに関するチェックリスト情報を前記所定の確認対象の機械毎に作成するリスト作成手段を具備した構成とすることが好ましい。
この発明では、端末装置で確認事項の結果の入力を促すチェックリストに関するチェックリスト情報をリスト作成手段により所定の確認対象の機械毎に作成する。このことにより、保守点検の確認事項の結果をチェックリストに基づいて入力すればよく、保守管理性の向上が容易に得られるとともに、保守点検する確認対象の機械に対応したチェックリスト情報を端末装置で取得させるのみでよく、端末装置の構成の簡略化が容易に図れる。
【００１５】
また、本発明では、前記リスト作成手段にて作成された前記チェックリスト情報を前記機械が設置されこの機械を利用する利用者に関する顧客情報に関連付けて格納する格納手段を具備した構成とすることが好ましい。
この発明では、リスト作成手段にて作成されたチェックリスト情報を、機械が設置されこの機械を利用する利用者に関する顧客情報に関連付けて格納手段に格納する。このことにより、所望のチェックリストの取得が容易となり、保守管理性の向上が容易に図れる。
【００１６】
さらに、本発明では、前記チェックリストは、前記機械の種別を特定する複数の対象機械項目のうちのいずれか１つと、前記機械の確認する部位を特定する複数の対象部位項目のうちの少なくともいずれか１つと、確認する内容を特定する複数の診断項目のうちの少なくともいずれか１つとを有した構成とすることが好ましい。
この発明では、チェックリストとして、機械の種別を特定する複数の対象機械項目のうちのいずれか１つと、機械の確認する部位を特定する複数の対象部位項目のうちの少なくともいずれか１つと、確認する内容を特定する複数の診断項目のうちの少なくともいずれか１とを設けて構成する。このことにより、異なる機械毎の適切な保守点検のためのチェックリストが容易に得られる。
【００１７】
また、本発明では、前記リスト作成手段は、前記対象機械項目、前記対象部位項目および前記診断項目が入力操作により選択され、前記入力手段にて前記対象機械項目、前記対象部位項目および前記診断項目に対応して入力された複数の前記確認事項結果情報を１つのレコードとしたテーブル構造の確認結果情報とする入力フォーマットに前記チェックリストを構成して前記チェックリスト情報を作成する構成とすることが好ましい。
この発明では、対象機械項目、対象部位項目および診断項目が入力操作にて選択され、これら対象機械項目、対象部位項目および診断項目に対応して入力された複数の確認事項結果情報を関連付けて１つのレコードとしたテーブル構造の確認事項結果情報とする入力フォームにチェックリストを構成してチェックリスト情報をリスト作成手段にて作成する。このことにより、機械毎の保守点検の確認結果に関する確認事項結果情報の管理および利用が容易となり、確認事項結果情報を用いた機械の状態の認識が容易となる。
【００１８】
そして、本発明では、前記確認事項は、前記機械に利用される油剤の性状に関する事項である構成とすることが好ましい。
この発明では、機械に利用される油剤の性状に関する事項を、機械の状態に関する状態情報および保守点検内容に関する結果情報の判断のための確認事項とする。このことにより、機械の状態を認識するための保守点検が容易で機械の保守管理性の向上が容易に得られるとともに、機械の状態の適切な認識が容易に得られる。
【００１９】
また、本発明では、前記診断手段は、前記油剤を貯留する前記機械のタンクの容量に対する年間での補充した前記油剤量を演算して結果情報として生成する構成とすることが好ましい。
この発明では、診断手段により油剤を貯留する機械のタンクの容量に対する年間での補充した油剤量を演算して結果情報として生成させる。このことにより、機械が利用する油剤に基づく機械の状態を認識するための保守点検作業が容易で機械の保守管理性の向上が容易に得られるとともに、機械の状態の適切な認識が容易に得られ、機械の保全管理が容易となる。
【００２０】
さらに、本発明では、前記報知手段は、前記機械のタンクの容量に対する年間での補充した前記油剤量に対応して異なる表示形態で表示させることで報知する構成とすることが好ましい。
この発明では、報知手段により機械のタンクの容量に対する年間での補充した油剤量に対応して異なる表示形態で表示させることで結果情報を報知する。このことにより、機械が利用する油剤に基づく機械の状態の認識が容易で、適切な保全が容易に得られる。
【００２１】
また、本発明では、前記診断手段は、前記取得した確認事項結果情報を前記蓄積手段にあらかじめ蓄積された確認事項結果情報と比較することにより、前記状態情報および前記結果情報のうちの少なくともいずれか一方を生成する構成とすることが好ましい。
この発明では、診断手段により、入力され取得した確認事項結果情報を蓄積手段にあらかじめ蓄積された確認事項結果情報と比較することで、状態情報および結果情報のうちの少なくともいずれか一方を生成する。このことにより、機械の状態を適切に認識するための適切な状態情報や結果情報が容易に得られる。
【００２２】
そして、本発明では、前記確認事項結果情報に基づいて前記機械の所定の確認により生じる費用を演算して保全費情報を生成する保全費演算手段を具備し、前記報知手段は、前記保全費情報を報知する構成とすることが好ましい。
この発明では、保全費演算手段により確認事項結果情報に基づいて機械の所定の確認により生じる費用を演算して保全費情報を生成し、報知手段により保全費情報を報知する。このことにより、保守点検により生じた保全についての費用が認識され、容易に保守管理性が向上する。
【００２３】
また、本発明の保守管理支援システムは、請求項２に記載の保守管理支援装置と、この保守管理支援装置にネットワークを介して送受信可能に接続された端末装置と、を具備したことを特徴とする。
【００２４】
この発明では、異なる機械についての保守管理の内容を統括して管理することが可能となり、機械の保守管理性の向上および汎用性の向上が得られ、利用の拡大が得られる請求項２に記載の保守管理支援装置にネットワークを介して送受信可能に端末装置を接続する。このことにより、複数の端末装置にてそれぞれ異なる機械毎に確認事項結果情報を入力して統括的に管理することが容易に得られる。
【００２５】
さらに、本発明の保守管理支援システムは、油剤を利用する機械における所定の確認事項の結果の入力を促すチェックリストを入力フォーマットとして画面表示する表示手段、および、この表示手段に画面表示されるチェックリストに基づいて前記確認事項の結果を入力する入力手段を備えた端末装置と、この端末装置にネットワークを介して送受信可能に接続され、前記表示手段に画面表示されるチェックリストに関するチェックリスト情報を前記所定の確認対象の機械毎に作成するリスト作成手段、前記端末装置から前記ネットワークを介して前記確認事項の結果に関する確認事項結果情報を取得する確認結果取得手段、前記確認事項結果情報を蓄積する蓄積手段、および、前記確認事項結果情報に基づいて前記機械の状態に関する状態情報およびこの機械の状態に対する保守点検内容に関する結果情報のうちの少なくともいずれか一方を前記ネットワークへ出力可能に生成する診断手段を備えたサーバ装置と、を具備したことを特徴とする。
【００２６】
この発明では、表示手段により画面表示され油剤を利用する機械における所定の確認事項の結果の入力を促すチェックリストに基づいて入力手段にて入力された確認事項の結果に関する確認事項結果情報を、ネットワークを介してサーバ装置の確認結果取得手段にて取得し、蓄積手段に適宜蓄積し、確認事項結果情報に基づいて機械の状態に関する状態情報および機械の状態に対する保守点検内容に関する結果情報のうちの少なくともいずれか一方をネットワークへ出力可能に診断手段にて生成する。このことにより、異なる機械についての保守管理の内容を統括して管理することが可能となり、機械の保守管理性の向上および汎用性の向上が得られ、利用の拡大が得られる。
【００２７】
そして、この発明では、前記サーバ装置から前記ネットワークへ出力される前記状態情報および前記結果情報のうちの少なくともいずれか一方を取得して報知する報知手段を具備した構成とすることが好ましい。
この発明では、サーバ装置からネットワークへ出力される状態情報および結果情報のうちの少なくともいずれか一方を報知手段にて取得して報知させる。このことにより、例えば端末装置で報知させたり、ネットワークに送受信可能に接続する端末装置やサーバ装置と異なる報知手段にて報知させたりするなど、異なる機械についての状態の認識のために保守点検の確認結果を管理、利用するなどが容易となり、保守管理性が容易に向上し、利用の拡大が容易に図れる。
【００２８】
また、本発明の保守管理支援方法は、保守管理支援装置に対応して方法に展開したもので、演算手段により、油剤を利用する機械における所定の確認事項の結果に基づいて前記機械の状態に関して報知する保守管理支援方法であって、前記演算手段は、所定の確認対象の前記機械を特定する情報に基づいて前記確認事項の結果の入力を促すチェックリストに関するチェックリスト情報を前記所定の確認対象の機械毎に作成し、この作成したチェックリスト情報に基づいてチェックリストを前記確認事項の結果の入力フォーマットとして画面表示させ、この画面表示されるチェックリストにしたがって入力される前記確認事項の結果に関する確認事項結果情報を取得して蓄積し、この蓄積する確認事項結果情報に基づいて前記機械の状態に関する状態情報およびこの機械の状態に対する保守点検内容に関する結果情報のうちの少なくともいずれか一方を生成し、これら状態情報および結果情報のうちの少なくともいずれか一方を報知することを特徴とする。このことにより、保守管理支援装置と同様の作用効果を奏する。
【００２９】
さらに、本発明の保守管理支援方法は、保守管理支援装置に対応して方法に展開したもので、端末装置で入力される油剤を利用する機械の確認事項の結果をネットワークを介してサーバ装置で取得し適宜処理して前記機械の状態に関して報知する保守管理支援方法であって、前記端末装置に入力された前記機械毎の確認事項の結果に関する確認事項結果情報を前記ネットワークを介してサーバ装置で取得して蓄積し、前記確認事項結果情報に基づいて前記機械の状態に関する状態情報およびこの機械の状態に対する保守点検内容に関する結果情報のうちの少なくともいずれか一方をサーバ装置で生成させて前記端末装置で取得可能に前記ネットワークへ送出させることを特徴とする。このことにより、保守管理支援装置と同様の作用効果を奏する。
【００３０】
そして、本発明の保守管理支援プログラムは、請求項１５または請求項１６に記載の保守管理支援方法を演算手段に実行させることを特徴とする。
この発明では、例えば汎用のコンピュータなどを演算手段として利用しインストールすることにより請求項１５または請求項１６に記載の保守管理支援方法を演算手段に実行させることができ、本発明の利用促進を大幅に図ることができる。
【００３１】
また、本発明の保守管理支援プログラムを記録した記録媒体は、請求項１７に記載の保守管理支援プログラムが演算手段にて読取可能に記録されたことを特徴とする。
この発明では、請求項１５または請求項１６に記載の保守管理支援方法を実行させるための請求項１７に記載の保守管理支援プログラムを記録媒体に記録させるので、保守管理支援プログラムの取扱が容易で、本発明の利用促進を大幅に図ることができる。
【００３２】
なお、請求項１５または請求項１６に記載の発明、請求項１７に記載の発明、および、請求項１８に記載の発明において、演算手段は、例えば１つのパーソナルコンピュータ、複数のコンピュータをネットワーク状に組み合わせた構成、マイクロコンピュータなどの素子、あるいは複数の電子部品が搭載された回路基板などをも含む。
【発明を実施するための最良の形態】
【００３３】
以下、本発明における一実施の形態に係る保守管理支援システムを図面に基づいて説明する。図１は、保守管理支援システムの概略構成を示す概念図である。図２は、保守管理支援システムを構成する入力端末装置の概略構成を示すブロック図である。図３は、保守管理支援システムを構成する顧客端末装置の概略構成を示すブロック図である。図４は、保守管理支援システムを構成するサーバ装置の概略構成を示すブロック図である。図５は、確認項目データベースのテーブル構造を模式的に示す概念図である。図６は、確認項目データベースにおける日常点検の診断項目情報のテーブル構造を模式的に示す概念図である。図７は、確認項目データベースにおけるオイル点検の診断項目情報のテーブル構造を模式的に示す概念図である。図８は、確認項目データベースにおけるオイル補給・測定の診断項目情報のテーブル構造を模式的に示す概念図である。図９は、チェックリスト生成手段により所定のチェックリストを生成するための項目が選択された状態を説明するための説明図である。
【００３４】
〔保守管理支援システムの構成〕
図１において、１００は保守管理支援システムで、この保守管理支援システム１００は、顧客で利用される機械、特に潤滑油や作業油などを利用する機械について、所定の確認事項の結果に基づいて機械の状態に関する診断結果を報知するシステムである。この保守管理支援システム１００は、保守管理支援装置としても機能するサーバ装置１１０と、顧客に分配された入力手段としても機能する入力端末装置１２０と、顧客に設置された報知手段としての顧客端末装置１３０と、がネットワーク１４０を介して接続されて構成されている。
【００３５】
ここで、ネットワーク１４０としては、サーバ装置１１０と、入力端末装置１２０および顧客端末装置１３０との間を、各種データを送受信可能に接続する。なお、入力端末装置１２０および顧客端末装置１３０間を送受信可能に接続してもよい。このネットワーク１４０は、ＴＣＰ／ＩＰ（Transmission Control Protocol/Internet Protocol）などの汎用のプロトコルに基づくインターネット、ＬＡＮ（Local Area Network）などのイントラネット、無線媒体により情報が送受信可能な複数の基地局がネットワークを構成する通信回線網や放送網などのネットワーク、さらには、データを直接送受信するための媒体となる無線媒体自体など、データを送受信させるいずれの構成が利用できる。ここで、無線媒体としては、電波、光、音波、電磁波などのいずれの媒体をも適用できる。
【００３６】
入力端末装置１２０は、例えばＰＤＡ（Personal Digital Assistant）、携帯電話、ＰＨＳ（Personal Handyphone System）、携帯型パーソナルコンピュータなどが例示できる。この入力端末装置は、顧客の作業者が入力した機械の保守点検時の確認事項にしたがって確認した結果をネットワーク１４０を介してサーバ装置１１０へ適宜送信する。なお、入力端末装置１２０は、顧客毎に１つのみに限らず、複数設けることができる。そして、入力端末装置１２０は、例えば図２に示すように、入力端末送受信部１２１と、入力端末操作部１２２と、入力端末表示部１２３と、入力端末音声出力部１２４と、入力端末記憶部１２５と、入力端末処理部１２６と、を備えている。
【００３７】
入力端末送受信部１２１は、ネットワーク１４０を介してサーバ装置１１０に接続されるとともに、入力端末処理部１２６に接続されている。そして、入力端末送受信部１２１は、ネットワーク１４０を介してサーバ装置１１０から端末信号を受信可能で、この端末信号の取得によりあらかじめ設定されている入力インターフェース処理を実施し、処理端末信号として入力端末処理部１２６に出力する。また、入力端末送受信部１２１は、入力端末処理部１２６から処理端末信号が入力可能で、この入力される処理端末信号の取得によりあらかじめ設定されている出力インターフェース処理を実施し、端末信号としてネットワーク１４０を介してサーバ装置１１０に送信する。
【００３８】
入力端末操作部１２２は、例えば顧客の作業者により入力操作される図示しない各種操作ボタンや操作つまみなどを有している。これら操作ボタンや操作つまみなどの入力操作としては、入力端末装置１２０の動作内容の設定や保守点検の際の確認事項の結果などである。そして、入力端末操作部１２２は、入力操作に対応した所定の信号を入力端末処理部１２６へ適宜出力して設定させる。なお、この入力端末操作部１２２としては、操作ボタンや操作つまみなどの入力操作に限らず、例えば入力端末表示部１２３に設けられたタッチパネルによる入力操作や、音声による入力操作など、各種入力事項を設定入力可能ないずれの構成が適用できる。
【００３９】
入力端末表示部１２３は、入力端末処理部１２６にて制御され入力端末処理部１２６からの画像データを画面表示させる。画像データとしては、例えば保守点検の際の確認事項および確認事項に対応して確認結果の入力を促す事項を有するチェックリストの他、図示しない外部装置であるＴＶ受信機で受信したＴＶ画像データ、光ディスクや磁気ディスク、メモリカードなどの記録媒体に記録され外部装置であるドライブやドライバなどにて読み取った画像データ、入力端末記憶部１２５からの画像データなど、各種画像データが表示可能である。この入力端末表示部１２３としては、例えば液晶や有機ＥＬ（Electro Luminescence）パネル、ＰＤＰ（Plasma Display Panel）、ＣＲＴ（Cathode-Ray Tube）などが例示できる。
【００４０】
入力端末音声出力部１２４は、例えば図示しないスピーカなどの発音手段を有する。この入力端末音声出力部１２４は、入力端末処理部１２６にて制御され、入力端末処理部１２６からの音声データなどの各種信号を発音手段から発音により出力する。出力する情報としては、例えば入力を促す音声案内やアラーム、チャイムなどの他、図示しない外部装置さらには入力端末記憶部１２５などに記録された音声データなどをも適宜出力可能である。
【００４１】
入力端末記憶部１２５は、ネットワーク１４０を介してサーバ装置１１０からこの保守管理支援システム１００を利用するために取得したチェックリストに関するチェックリスト情報などの各種情報や、入力端末操作部１２２で入力操作される確認結果の他、外部から取得した音声データや画像データなど各種情報をも適宜記憶する。また、入力端末記憶部１２５には、入力端末装置１２０全体を動作制御するＯＳ（Operating System）上に展開される各種プログラムなどを記憶する。なお、入力端末記憶部１２５としては、ＨＤ（Hard Disc）や光ディスク、メモリなどの記録媒体に読み出し可能に記憶するドライブやドライバなどを備えた構成としてもよい。
【００４２】
入力端末処理部１２６は、図示しない各種入出力ポート、例えば入力端末送受信部１２１が接続される通信制御ポート、入力端末操作部１２２が接続されるキー入力ポート、入力端末表示部１２３が接続される表示部制御ポート、入力端末音声出力部１２４が接続される音声制御ポート、入力端末記憶部１２５が接続される記憶ポートなどを有する。そして、入力端末処理部１２６は、各種プログラムとして、初期設定手段１２６Ａと、チェックリスト取得手段１２６Ｂと、確認結果情報生成手段１２６Ｃと、データ同期手段１２６Ｄと、などを備えている。
【００４３】
初期設定手段１２６Ａは、入力端末操作部１２２の所定の入力操作により、入力端末装置１２０をサーバ装置１１０と送受信可能に接続させて保守管理支援システム１１０で利用可能とするための設定を実施する。具体的には、利用者を特定するための情報などを入力して、サーバ装置１１０からネットワーク１４０を介して入力端末送受信部１２１にて機械の保守点検のためのチェックリスト情報などの保守管理支援システム１００を利用するための各種情報を取得させ、入力端末記憶部１２５に記憶させる処理をする。
【００４４】
チェックリスト取得手段１２６Ｂは、サーバ装置１１０からネットワーク１４０を介して最新のチェックリストに関するチェックリスト情報を入力端末送受信部１２１にて取得させて入力端末記憶部１２５に記憶させる処理をする。さらに、チェックリスト取得手段１２６Ｂは、入力端末記憶部１２５に記憶されたチェックリスト情報を読み出してチェックリストを入力端末表示部１２３に所定の表示画面で表示させる処理をする。
【００４５】
確認結果情報生成手段１２６Ｃは、入力端末表示部１２３に画面表示されたチェックリストにしたがって入力端末操作部１２２にて入力された各種確認結果を、一連の保守点検として１つのレコードのデータ構造に変換して確認結果情報として生成する。なお、生成した確認結果情報は、入力端末記憶部１２５に適宜記憶される。
【００４６】
データ同期手段１２６Ｄは、入力端末操作装置１２２で入力された確認結果や更新情報をサーバ装置１１０に格納すなわち記憶させる同期処理をする。さらに、データ同期手段１２６Ｄは、サーバ装置１１０に更新された最新の情報を適宜入力端末送受信部１２１で取得させる同期処理をする。これら同期処理により、入力端末装置１２０とサーバ装置１１０との情報の同期、すなわち同一の情報を共有する状態である情報の互換性が得られた状態となる。
【００４７】
顧客端末装置１３０は、例えばパーソナルコンピュータやオフィスコンピュータなどが用いられる。この顧客端末装置１３０は、顧客が機械の保守点検時の確認事項にしたがって入力端末装置１２０で入力した確認結果に基づいて、ネットワーク１４０を介してサーバ装置１１０から出力される機械の状態についての診断結果を表示などにより出力して顧客に診断結果を報知する。この顧客端末装置１３０は、例えば図３に示すように、端末本体１３１と、端末入力部１３２と、端末表示部１３３と、端末印刷部１３４と、などを備えている。また、端末本体１３１は、端末記憶部１３１Ａと、端末演算部１３１Ｂと、を備えている。
【００４８】
端末入力部１３２は、例えば入力端末操作部１２２と同様に、操作ボタンや操作つまみなどを有している。そして、端末入力部１３２は、端末本体１３１に接続され、入力操作により対応する所定の信号を端末本体１３１へ適宜出力して端末演算部１３１Ｂに設定させる。
【００４９】
端末表示部１３３は、例えば入力端末表示部１２３と同様に、液晶や有機ＥＬ（Electro Luminescence）パネル、ＰＤＰ（Plasma Display Panel）、ＣＲＴ（Cathode-Ray Tube）などが用いられる。この端末表示部１３３は、端末本体１３１に接続され、端末本体１３１の端末演算部１３１Ｂにより制御されて各種画像データを出力する。この画像データとしては、例えばサーバ装置１１０からネットワーク１４０を介して取得した機械の状態に関する状態情報やこの状態情報に対する保守点検内容に関する結果情報などの診断結果の他、外部装置さらには端末記憶部１３１Ａなどに記録された画像データなどをも適宜出力可能である。
【００５０】
端末印刷部１３４は、端末本体１３１に印刷データを取得可能に接続されている。そして、端末印刷部１３４は、端末演算部１３１Ｂにより制御され、端末演算部１３１Ｂから出力される印刷データを印刷出力する。
【００５１】
端末記憶部１３１Ａは、入力端末記憶部１２５と同様に、ネットワーク１４０を介して取得した各種情報や保守管理支援システム１００を利用するための各種情報や、端末入力部１３２で入力操作された各種情報などを適宜記憶する。また、端末記憶部１３１Ａは、顧客端末装置１３０全体を動作制御するＯＳ上に展開される各種プログラムなどを記憶する。なお、端末記憶部１３１Ａは、入力端末記憶部１２５と同様に、ＨＤ（Hard Disc）や光ディスク、メモリなどの記録媒体に読み出し可能に記憶するドライブやドライバなどを備えたいずれの構成を利用することができる。
【００５２】
端末演算部１３１Ｂは、入力端末処理部１２６と同様に、図示しない各種入出力ポート、例えば端末入力部１３２か接続される入力ポート、端末表示部１３３が接続される表示制御ポート、端末印刷部１３４が接続される印刷制御ポートなどを有する。そして、端末演算部１３１Ｂは、端末送受信部１３１Ｂ１と、端末報知制御部１３１Ｂ２と、入力端末処理部１２６と同様のデータ同期手段１２６Ｄと、などを備えている。
【００５３】
端末送受信部１３１Ｂ１は、ネットワーク１４０を介して入力されるサーバ信号に対してあらかじめ設定されている入力インターフェース処理を実行し、処理サーバ信号を生成する。また、端末送受信部１３１Ｂ１は、処理サーバ信号が入力されると、入力された処理サーバ信号に対してあらかじめ設定されている出力インターフェース処理を実行し、サーバ信号としてネットワーク１４０を介してサーバ装置１１０、場合によっては入力端末装置１２０へ出力する。なお、サーバ信号は、サーバ装置１１０のみあるいは入力端末装置１２０のみに出力させることも可能である。
【００５４】
端末報知制御手段１３１Ｂ２は、端末送受信部１３１Ｂ１にてサーバ装置１１０から送信されるサーバ信号のうち、保守点検に基づく機械の状態に関する状態情報や機械の状態に対する保守点検内容に関する結果情報などの診断結果を取得し、端末表示部１３３に適宜画面表示させたり、端末印刷部１３４に印刷処理させたりすることで報知する制御をする。
【００５５】
端末演算部１３１Ｂのデータ同期手段１２６Ｄは、顧客端末装置１３０で入力された各種情報をサーバ装置１１０に格納させる同期処理をする。さらに、データ同期手段１２６Ｄは、サーバ装置１１０に更新された最新の情報を端末送受信部１３１Ｂ１にて取得させる同期処理をする。これら同期処理により、顧客端末装置１３０とサーバ装置１１０との情報の同期、すなわち同一の情報を共有する状態である情報の互換性が得られた状態となる。
【００５６】
サーバ装置１１０は、ネットワーク１４０を介して入力端末装置１２０および顧客端末装置１３０と情報の送受信が可能となっている。このサーバ装置１１０は、例えば図１および図４に示すように、サーバ送受信部１１１と、サーバ入力部１１２と、サーバ表示部１１３と、格納手段および蓄積手段として機能するサーバ記憶部１１４と、サーバ演算部１１５と、などを備えている。
【００５７】
サーバ送受信部１１１は、ネットワーク１４０を介して入力されるサーバ信号に対してあらかじめ設定されている入力インターフェース処理を実行し、処理サーバ信号としてサーバ演算部１１５へ出力する。また、サーバ送受信部１１１は、サーバ演算部１１５から入力端末装置１２０および顧客端末装置１３０に対して送信すべき処理サーバ信号が入力されると、入力された処理サーバ信号に対してあらかじめ設定されている出力インターフェース処理を実行し、サーバ信号としてネットワーク１４０を介して入力端末装置１２０および顧客端末装置１３０へ出力する。なお、サーバ信号は、処理サーバ信号に記載された情報に基づいて、適宜所定の入力端末装置１２０あるいは顧客端末装置１３０のみに出力させたり、ネットワーク１４０を介して接続される全ての入力端末装置１２０や顧客端末装置１３０に出力させたりすることも可能である。
【００５８】
サーバ入力部１１２は、例えば入力端末操作部１２２や端末入力部１３２と同様に、サーバ管理者などにて入力操作される図示しない各種操作ボタンや操作つまみなどを有している。これら操作ボタンや操作つまみなどの入力操作は、サーバ装置１１０の動作内容の設定や、サーバ記憶部１１４に記憶する情報の設定入力、サーバ記憶部１１４に記憶された情報の更新など、各種の設定事項である。そして、サーバ入力部１１２は、設定事項の入力操作により、設定事項に対応する信号をサーバ演算部１１５へ適宜出力して設定入力させる。なお、入力操作としては、同様に、操作ボタンや操作つまみなどの操作に限られない。
【００５９】
サーバ表示部１１３は、例えば入力端末表示部１２３や端末表示部１３３と同様に、各種表示装置が用いられる。このサーバ表示部１１３は、サーバ演算部１１５に接続され、サーバ演算部１１５の制御によりこのサーバ演算部１１５から出力される画像データを適宜表示する。
【００６０】
サーバ記憶部１１４は、サーバ装置１１０全体および保守管理支援システム１００全体を動作制御するＯＳ上に展開される各種プログラムなどを記憶している。さらに、サーバ記憶部１１４は、入力端末装置１２０や顧客端末装置１３０などから受信した各種情報を適宜記憶するとともに、サーバ入力部１１２にて入力された各種情報を適宜記憶する。具体的には、サーバ記憶部１１４は、図４に示すように、顧客データベース１１４Ａと、確認項目データベース１１４Ｂ、チェックリストデータベース１１４Ｃ、確認結果データベース１１４Ｄ、などを備えている。
【００６１】
顧客データベース１１４Ａは、顧客に関する顧客情報を複数記憶する。すなわち、顧客データベース１１４Ａは、例えば名称、居所または住所、連絡先、ＩＤ（identification）番号、パスワード、入力端末装置１２０や顧客端末装置１３０と情報を送受信するためのアドレス番号などが１つのレコードとして複数記憶するテーブル構造のデータベースである。
【００６２】
確認項目データベース１１４Ｂは、確認項目を複数格納、例えば図５ないし図８に示すように、保守点検の際の複数の確認事項の確認項目情報を１つのレコードとして記録するテーブル構造のデータベースである。より具体的には、保守点検する機械についての業種項目、保守点検の対象となる機械である対象機械項目である対象機器項目、保守点検の対象となる対象部位項目、図５および図６に示すような日常点検の診断項目、図５および図７に示すような潤滑油や作業油などのオイルの点検の診断項目、図５および図８に示すようなオイルの補給や測定などの診断項目の情報に区分けされ、各確認項目情報毎に複数の確認項目情報が階層状に関連付けられたいわゆるツリー構造のテーブル構造となっている。
【００６３】
チェックリストデータベース１１４Ｃは、詳細は後述するチェックリストに関するチェックリスト情報を複数記憶する。すなわち、チェックリストデータベース１１４Ｃは、例えば確認項目データベース１１４Ｂの各項目が適宜組み合わされ、組み合わされた各項目毎に対応して確認結果が入力可能な１つの入力フォーマットのデータ構造に構成されたチェックリスト情報を、顧客情報に関連付けて複数記憶する。
【００６４】
確認結果データベース１１４Ｄは、入力端末装置１２０で入力されて送信される確認結果を複数記憶する。すなわち、確認結果データベース１１４Ｄは、例えばチェックリスト情報のチェックリストに基づいて入力端末装置１２０で入力された確認結果を１つのレコードとして複数記憶するデータベースである。なお、確認結果情報は、顧客情報やチェックリスト情報と関連付けられて記憶される。さらに、この確認結果情報には、保守点検により生じた保全に関する保全内容情報、例えば保全費などの情報をも関連付けられて記憶される。
【００６５】
サーバ演算部１１５は、図示しない各種入出力ポート、例えばサーバ送受信部１１１が接続される通信制御ポート、サーバ入力部１１２が接続される入力ポート、サーバ表示部１１３が接続される表示制御ポート、サーバ記憶部１１４が接続される記憶ポートなどを有している。そして、サーバ演算部１１５は、図４に示すように、サーバ記憶部１１４に記憶された各種プログラムとして、リスト作成手段としてのチェックリスト生成手段１１５Ａと、顧客確認手段１１５Ｂと、確認結果取得手段１１５Ｃと、保全費演算手段としても機能する診断手段１１５Ｄと、システム設定手段１１５Ｅと、などを備えている。
【００６６】
チェックリスト生成手段１１５Ａは、サーバ入力部１１２の所定の入力操作により、サーバ記憶部１１４に記憶された各種情報や入力された項目に基づいて、入力端末装置１２０で利用するチェックリストに関するチェックリスト情報を生成する。例えば図９に示すように、確認項目データベース１１４Ｂの確認項目情報である、対象機器項目のいずれか１つ、対象部位項目のいずれか１つ、日常点検の診断項目のいずれか、オイルの点検の診断項目のいずれか、オイルの補給や測定などの診断項目のいずれかが適宜選択されてチェックリストが構成されてチェックリスト情報が生成される。この生成したチェックリスト情報は、サーバ記憶部１１４のチェックリストデータベース１１４Ｃに適宜記憶される。
【００６７】
顧客確認手段１１５Ｂは、サーバ送受信部１１１にてネットワーク１４０を介して入力端末装置１２０や顧客端末装置１３０から送信される信号に基づいて、この保守管理支援システム１００を利用可能な登録された顧客か否かを判断する。具体的には、入力端末装置１２０や顧客端末装置１３０から例えばアクセス要求信号とともに送信される顧客情報を取得し、サーバ記憶部１１４の顧客データベース１１４Ａに記憶された顧客情報とを比較し、登録された顧客か否かを判断する。そして、顧客確認手段１１５Ｂは、登録された顧客であることを認識すると、顧客情報とともに送信されるアクセス要求信号のアクセス要求などを可能とする処理をする。なお、登録された顧客でないと判断した場合、顧客情報とともに送信されるアクセス要求などを拒否する処理、例えばアクセスできない旨とともに再入力を促す旨の表示をさせる処理などをする。
【００６８】
確認結果取得手段１１５Ｃは、サーバ送受信部１１１にてネットワーク１４０を介して入力端末装置１２０から送信される確認結果情報を取得し、サーバ記憶部１１４の確認結果データベース１１４Ｄに適宜記憶させて蓄積させる。なお、この確認結果情報は、確認結果データベース１１４Ｄに記憶された状態では、上述したように顧客情報やチェックリスト情報などと関連付けられ、顧客情報やチェックリスト情報に基づいて所定の確認結果情報が適宜読み出し可能な状態で記憶される。
【００６９】
診断手段１１５Ｄは、確認結果取得手段１１５Ｃにて取得した確認結果情報に基づいて、さらにはサーバ記憶部１１４の確認結果データベース１１４Ｄに格納された確認結果情報をも適宜加味して、保守点検対象の機械の状態に関する状態情報およびこの機械の状態に対する保守点検内容に関する結果情報のうちの少なくともいずれか一方を生成する。なお、生成された状態情報や結果情報は、サーバ記憶部１１４の確認結果データベース１１４Ｄに確認結果情報と関連付けられて適宜記憶される。さらに、診断手段１１５Ｄは、確認結果情報である保全により生じた例えば保全費や設備の停止時間などの保全内容情報を適宜演算し、確認結果情報として関連付けて適宜記憶させる。
【００７０】
システム設定手段１１５Ｅは、サーバ入力部１１２の所定の入力操作に基づいて、この保守管理支援システム１００の運用における各種設定や検索などを実施する。具体的には、サーバ記憶部１１４の各データベース１１４Ａ〜１１４Ｄに記憶された情報の設定や更新あるいは検索、保守点検のための台帳に関する設定や検索、確認項目の設定や検索などである。
【００７１】
（入力端末装置の具体的構成）
次に、入力端末装置の構成を具体的な処理形態を利用して図面に基づいて説明する。図１０は、ウエッブブラウザによる画面表示で表示される実施メニュー画面を示す概念図である。図１１は、初期設定のための同様の初期化画面を示す概念図である。図１２は、入力端末装置にて保守管理支援システムを利用するための同様の端末ログイン画面を示す概念図である。図１３は、サーバ装置とのデータ同期を採るための同様のデータ同期画面を示す概念図である。図１４は、サーバ装置と同期させる同期情報を設定するための同様の同期情報設定画面を示す概念図である。図１５は、保守点検対象の設備を設定するために工場を選択する同様の工場選択画面を示す概念図である。図１６は、保守点検対象の設備を設定するためにラインを選択する同様のライン選択画面を示す概念図である。図１７は、保守点検対象の設備を選択する同様の設備選択画面を示す概念図である。図１８は、保守点検する潤滑箇所を選択する同様の潤滑箇所選択画面を示す概念図である。図１９は、保守点検を実施するための診断メニュー画面を示す概念図である。図２０は、チェックリストの日常点検の確認項目であるネームプレートについての確認結果を入力するための同様のネームプレート確認結果入力画面を示す概念図である。図２１は、チェックリストの清掃状況についての確認結果を入力するための同様の清掃状況結果入力画面を示す概念図である。図２２は、日常点検における確認結果の入力状況を表示する同様の日常点検入力状況確認画面を示す概念図である。図２３は、入力した日常点検における確認結果を修正するための同様の確認結果修正画面を示す概念図である。図２４は、チェックリストのオイル点検の確認項目である変色についての確認結果を入力するための同様の変色結果入力画面を示す概念図である。図２５は、チェックリストのオイルの温度についての確認結果を入力するための同様のオイル温度入力画面を示す概念図である。図２６は、オイル点検における確認結果の入力状況を表示する同様のオイル点検入力状況確認画面を示す概念図である。図２７は、チェックリストのオイル補給・測定の確認結果の入力状況を表示する同様のオイル補給・測定入力状況確認画面を示す概念図である。図２８は、チェックリストのオイル補給・測定の確認結果であるオイル補給量についての確認結果を入力するための同様のオイル補給量入力画面を示す概念図である。
【００７２】
入力端末装置１２０の入力端末処理部１２６は、上述したように、初期設定手段１２６Ａと、チェックリスト取得手段１２６Ｂと、確認結果情報生成手段１２６Ｃと、データ同期手段１２６Ｄと、を備えている。そして、初期設定入力手段１２６Ａによる保守管理支援システム１１０で利用可能とするための設定を実施する表示としては、例えば図１１に示すようなウエッブブラウザなどによる画面表示で表示される初期化画面２１０である。チェックリス取得手段１２６Ｂによるチェックリストを取得するための各種条件を設定する表示としては、例えば図１５に示すような工場選択画面２５０、図１６に示すようなライン選択画面２６０、図１７に示すような設備選択画面２７０、および、図１８に示すような潤滑箇所選択画面２８０である。また、チェックリスト取得手段１２６Ｂにより取得したチェックリストの表示としては、例えば図１９に示すような診断メニュー画面３００、図２０に示すようなネームプレート確認結果入力画面３１０、図２１に示すような清掃状況結果入力画面３２０、図２３に示すような確認結果修正画面３４０、図２４に示すような変色結果入力画面３５０、図２５に示すようなオイル温度入力画面３６０、図２７に示すようなオイル補給・測定入力状況確認画面３８０、および、図２８に示すようなオイル補給量入力画面３９０である。確認結果情報生成手段１２６Ｃにより生成された確認結果情報の表示としては、例えば図２２に示すような確認結果修正画面３３０、および、図２６に示すようなオイル点検入力状況確認画面３７０である。さらに、データ同期手段１２６Ｄによる同期処理を実施するための表示としては、例えば図１３に示すようなデータ同期画面２３０、および、図１４に示すような同期情報設定画面２４０である。
【００７３】
すなわち、図１１に示す初期化画面２１０は、保守管理支援システム１００における入力端末装置１２０用のアプリケーションソフトウェアをインストールして起動させた後に、例えば図１０に示すようなウエッブブラウザなどによる画面表示で表示される実施メニュー画面２００から移行されて表示される画面である。そして、この図１０に示す実施メニュー画面２００には、各処理を実行するための複数のコマンドボタン２０１，２０２，２０３が設けられている。コマンドボタン２０１は、入力端末操作部１２２による入力操作にて選択・実行（クリック動作）されると、チェックリストに基づいて機械の保守点検を実施するための表示画面、すなわち詳細は後述する図１５ないし図１８に示すような表示画面を表示させる。コマンドボタン２０２は、同様に入力操作にて選択・実行されると、サーバ装置１１０と入力端末装置１２０との情報の同期を実行するための表示画面、すなわち詳細は後述する図１３および図１４に示すような表示画面を表示させる。コマンドボタン２０３は、同様に入力操作にて選択・実行されると、図１１に示す初期化画面２１０が表示される。コマンドボタン２０４は、同様に入力操作にて選択・実行されると、保守管理支援システム１１０のソフトウェアを終了する。この終了により、入力端末装置１２０の入力端末表示部１２３には、例えばＯＳ（Operating System）のメニュー画面や背景画面などが表示される。
【００７４】
そして、図１１に示す初期化画面２１０には、複数のコマンドボタン２１１，２１２と、複数のテキストボックス２１３〜２１７と、が設けられている。コマンドボタン２１１は、入力端末操作部１２２による入力操作にて選択・実行されると、初期設定手段１２６Ａによる初期化処理を実施する。すなわち、初期設定手段１２６Ａは、テキストボックス２１３，２１４に入力された利用者を特定する顧客情報を、テキストボックス２１５，２１６に入力された情報に基づいて入力端末送受信部１２１にてネットワーク１４０を介してサーバ装置１１０へ送信させるとともに、サーバ装置１１０からネットワーク１４０を介して各種データベースの所定の情報を入力端末送受信部１２１にて取得させ入力端末記憶部１２５に記憶させる初期化処理を実施する。コマンドボタン２１２は、初期化処理を中断して図１１に示す初期化画面２１０を閉じ、図１０に示す実施メニュー画面２００を表示させる。
【００７５】
また、テキストボックス２１３は、入力端末装置１２０を用いて保守管理支援システム１１０を実行させる顧客情報である利用者のログインＩＤが入力端末操作部１２２にてテキスト入力可能となっている。テキストボックス２１４は、顧客情報である利用者のパスワードが入力端末操作部１２２にてテキスト入力可能となっている。テキストボックス２１５は、接続する保守管理支援システム１１０のサーバ装置１１０のＩＰアドレスが入力端末操作部１２２にてテキスト入力可能となっている。テキストボックス２１６は、接続するサーバ装置１１０における利用者の確認結果を登録するフォルダ名が入力端末操作部１２２にてテキスト入力可能となっている。テキストボックス２１７は、コマンドボタン２１１の入力操作により実施される初期化処理における入力端末送受信部１２１による通信状態を例えば箇条書きにテキスト表示する。なお、ＩＰアドレスおよびフォルダ名については、例えばサーバ装置１１０の管理者側から別途連絡される。また、コマンドボタン２１１の入力操作の際、各テキストボックス２１３が適切に入力されていない場合には、サーバ装置１１０にアクセスできない、あるいはサーバ装置１１０でアクセスを拒絶し、初期設定できない旨の表示や再入力を促す表示などが表示される。
【００７６】
そして、図１３に示すデータ同期画面２３０は、初期設定されて保守管理支援システム１００の運用に必要な各種情報を取得した後に、サーバ装置１１０との情報の同期を得るため、例えば図１０に示す実施メニュー画面２００のコマンドボタン２０２の入力操作により表示される画面である。なお、初期設定の後にそのまま同期処理をせず、保守管理支援システム１００のプログラムを一旦終了した後に再びプログラムを起動する場合には、図１０に示す実施メニュー画面２００が表示される前に、例えば図１２に示すようなウエッブブラウザなどによる画面表示で表示される端末ログイン画面２２０にてプログラムを起動させて図１０に示す実施メニュー画面２００を表示させる。すなわち、図１２に示す端末ログイン画面２２０には、複数のテキストボックス２２１，２２２と、複数のコマンドボタン２２３，２２４と、が設けられている。テキストボックス２２１は、初期設定で設定したログインＩＤがテキスト入力可能となっている。テキストボックス２２２は、初期設定で設定したパスワードがテキスト入力可能となっている。また、コマンドボタン２２３は、入力端末操作部１２１による入力操作にて選択・実行されると、各テキストボックス２２１，２２２に入力された情報が正しければ、プログラムを起動して図１０に示す実施メニュー画面２００が表示される。なお、テキストボックス２２１，２２２に入力された情報が誤っていれば、例えば入力された情報が誤っている旨の表示や再入力を促す表示などが表示される。また、コマンドボタン２２４は、入力端末操作部１２１による入力操作にて選択・実行されると、ログイン処理を終了すなわち保守管理支援システム１００のプログラムの起動を中止する。なお、この中止により、例えばＯＳ（Operating System）のメニュー画面や背景画面などが表示される。このログイン処理の認証は、入力端末処理部１２６にて実施する場合に限らず、例えば入力端末送受信部１２１を介して各テキストボックス２２１，２２２に入力された情報をサーバ装置１１０へ送信し、サーバ装置１１０の顧客確認手段１１５Ｂにて認証させてもよい。
【００７７】
この図１２に示す端末ログイン画面２２０から適切にログインされて図１０に示す実施メニュー画面２００が表示され、この実施メニュー画面２００のコマンドボタン２０２の入力操作により図１３に示すデータ同期画面２３０が表示される。このデータ同期画面２３０には、複数のコマンドボタン２３１〜２３３と、テキストボックス２３４と、チェックボックス２３５と、が設けられている。
【００７８】
コマンドボタン２３１は、入力端末操作部１２２による入力操作にて、データ同期する情報を設定するための設定画面、例えば図１４に示すようなウエッブブラウザによる画面表示で表示される同期情報設定画面２４０を表示する。なお、この実施の形態におけるデータ同期としては、例えばサーバ装置１１０のＩＰアドレスやフォルダ名の変更、サーバ装置１１０で利用者のログインＩＤやパスワードが変更された場合にデータ同期設定を再度実施する内容を例示する。なお、データ同期処理としては、これらの内容に限らず、保守点検した確認情報やサーバ装置１１０に更新された各種情報などの他の情報について実行することも対象とすることができる。コマンドボタン２３２は、入力端末操作部１２２による入力操作にてデータ同期手段１２６Ｄがデータ同期処理を実施する。すなわち、データ同期手段１２６Ｄは、別途入力端末記憶部１２５に記憶された情報を入力端末送信部１２１にてネットワーク１４０を介してサーバ装置１１０へ送信させるとともに、サーバ装置１１０からネットワーク１４０を介して各種データベースの所定の情報を入力端末送信部１２１にて取得させて入力端末記憶部１２５に更新させるデータ同期処理を実施する。コマンドボタン２３３は、入力端末操作部１２２による入力操作にて、データ同期処理を終了し、図１０に示す実施メニュー画面２００を表示させる。
【００７９】
また、テキストボックス２３４は、コマンドボタン２３２の入力操作により実施されるデータ同期処理における入力端末送受信部１２１による通信状態を例えば箇条書きにテキスト表示する。チェックボックス２３５は、入力端末操作部１２２による入力操作にて、コマンドボタン２３２の入力操作にて実施するデータ同期処理の際に、サーバ装置１１０から各種データベースの詳細は後述するマスタデータに関する情報を取得してデータ同期の実施の有無を設定する。
【００８０】
そして、図１３に示すデータ同期画面２３０のコマンドボタン２３２の入力操作にて表示される図１４に示す同期情報設定画面２４０には、複数のコマンドボタン２４１，２４２と、複数のテキストボックス２４３〜２４７と、が設けられている。コマンドボタンは、入力端末操作部１２２による入力操作にて、テキストボックス２４３〜２４６に入力された各情報を入力端末記憶部１２５に更新する。コマンドボタンは、データ同期する情報を設定する処理を中断して図１４に示す同期情報設定画面２４０を閉じ、図１３に示すデータ同期画面２３０を表示させる。
【００８１】
テキストボックス２４３は、入力端末装置１２０を用いて保守管理支援システム１１０を実行させる顧客情報である新たな利用者のログインＩＤが入力端末操作部１２２にてテキスト入力可能となっている。テキストボックス２４４は、顧客情報である新たな利用者のパスワードが入力端末操作部１２２にてテキスト入力可能となっている。テキストボックス２４５は、接続する保守管理支援システム１１０のサーバ装置１１０のＩＰアドレスが入力端末操作部１２２にてテキスト入力可能となっている。テキストボックス２４６は、接続するサーバ装置１１０における新たな利用者の確認結果を登録するフォルダ名が入力端末操作部１２２にてテキスト入力可能となっている。なお、サーバ装置１１０で顧客情報が変更されてその連絡があった場合には、その情報が各テキストボックス２４３〜２４６に入力される。コマンドボタン２４２の入力操作により実施されるデータ同期処理における入力端末送受信部１２１による通信状態を例えば箇条書きにテキスト表示する。
【００８２】
一方、図１０に示す実施メニュー画面のコマンドボタン２０１が入力操作されることにより、保守点検を実施するための各種画面表示が表示される。すなわち、まず保守点検の実施で利用するチェックリストをチェックリス取得手段１２６Ｂにて取得するために、上述したように、例えば図１５に示すような工場選択画面、図１６に示すようなライン選択画面、図１７に示すような設備選択画面、および、図１８に示すような潤滑箇所選択画面が順次表示される。
【００８３】
第１に最初に表示される図１５に示す工場選択画面２５０には、テキストボックス２５１と、複数のコマンドボタン２５２，２５３と、が設けられている。テキストボックス２５１は、あらかじめサーバ装置１１０から取得したマスタデータに基づいて、例えばログイン処理の際に入力したログインＩＤに関連付けられた顧客情報としての会社名に基づいて、会社に関連付けられた工場の名称がリスト状に複数テキスト表示される。そして、このテキストボックス２５１は、表示される各工場のいずれか１つが選択可能に、入力端末操作部１２２の入力操作にてカーソル２５１Ａが移動可能となっている。コマンドボタン２５２は、入力端末操作部１２２の入力操作にて、保守点検の対象となる工場の選択・設定を終了して図１５に示す工場選択画面２５０を閉じ、図１０に示す実施メニュー画面が表示される。コマンドボタン２５３は、入力端末操作部１２２の入力操作にて、テキストボックス２５１で選択された工場名の情報を入力端末記憶部１２５に記憶させて図１５に示す工場選択画面２５０を閉じ、保守点検を実施するための他の条件を設定する図１６に示すライン選択画面を表示する。
【００８４】
この図１６に示す第２に表示されるライン選択画面２６０には、テキストボックス２６１と、複数のコマンドボタン２６２，２６３と、が設けられている。テキストボックス２６１は、あらかじめサーバ装置１１０から取得したマスタデータに基づいて、図１５のテキストボックス２５１で選択した工場における複数の保守点検対象のラインの名称がリスト状に複数テキスト表示される。そして、このテキストボックス２６１は、表示される各ラインのいずれか１つが選択可能に、入力端末操作部１２２の入力操作にてカーソル２６１Ａが移動可能となっている。コマンドボタン２６２は、入力端末操作部１２２の入力操作にて、保守点検対象のラインの選択・設定を終了して図１６に示すライン選択画面２６０を閉じ、図１５に示す工場選択画面２５０が表示される。コマンドボタン２６３は、入力端末操作部１２２の入力操作にて、テキストボックス２６１で選択されたライン名の情報を入力端末記憶部１２５に記憶させて図１６に示すライン選択画面２６０を閉じ、保守点検を実施するためのさらに他の条件を設定する図１７に示す設備選択画面２７０を表示する。
【００８５】
この図１７に示す第３に表示される設備選択画面２７０には、テキストボックス２７１と、複数のコマンドボタン２７２，２７３と、が設けられている。テキストボックス２７１は、あらかじめサーバ装置１１０から取得したマスタデータに基づいて、図１６のテキストボックス２６１で選択したラインにおける複数の保守点検対象の機械である点検対象設備の名称がリスト状に複数テキスト表示される。そして、このテキストボックス２７１は、同様に表示される各点検対象設備のいずれか１つが選択可能に、入力端末操作部１２２の入力操作にてカーソル２７１Ａが移動可能となっている。コマンドボタン２７２は、入力端末操作部１２２の入力操作にて、保守点検設備の選択・設定を終了して図１７に示す設備選択画面２７０を閉じ、図１６に示すライン選択画面２６０が表示される。コマンドボタン２７３は、入力端末操作部１２２の入力操作にて、テキストボックス２７１で選択された点検対象設備の設備名の情報を入力端末記憶部１２５に記憶させて図１７に示す設備選択画面２７０を閉じ、保守点検を実施するためのさらに他の条件を設定する図１８に示す潤滑箇所選択画面２８０を表示する。
【００８６】
この図１８に示す第４に表示される潤滑箇所選択画面２８０には、テキストボックス２８１と、複数のコマンドボタン２８２，２８３と、が設けられている。テキストボックス２８１は、あらかじめサーバ装置１１０から取得したマスタデータに基づいて、図１７のテキストボックス２７１で選択した点検対象設備における複数の保守点検の箇所である潤滑箇所の名称がリスト状に複数テキスト表示される。そして、このテキストボックス２８１は、表示される各潤滑箇所のいずれか１つが選択可能に、入力端末操作部１２２の入力操作にてカーソル２６１Ａが移動可能となっている。コマンドボタン２８２は、入力端末操作部１２２の入力操作にて、保守点検対象の潤滑箇所の選択・設定を終了して図１８に示す潤滑箇所選択画面２８０を閉じ、図１７に示す設備選択画面２７０が表示される。コマンドボタン２８３は、入力端末操作部１２２の入力操作にて、テキストボックス２８１で選択された潤滑箇所名の情報を入力端末記憶部１２５に記憶させて図１８に示す潤滑箇所選択画面２８０を閉じる。このコマンドボタン２８３の操作により、チェックリスト取得手段１２６Ｂは、図１５ないし図１８において設定した条件に対応する保守点検内容となるチェックリストを取得する。すなわち、例えば図１９に示すウエッブブラウザによる画面表示で表示される診断メニュー画面の表示形態となるチェックリストに関するチェックリスト情報を取得する。
【００８７】
図１９に示す診断メニュー画面３００には、図１５ないし図１８において設定された条件がテキスト表示されるテキストボックスが設けられている。また、診断メニュー画面３００には、保守点検を実施する点検日を設定するリストボックス３０２と、複数のコマンドボタン３０３〜３０５と、が設けられている。リストボックス３０２は、例えば年月日および曜日にて構成された複数の日付のうちのいずれかが選択可能にリスト状に表示される。このリストボックス３０２は、入力端末処理部１２６の図示しない計時手段にて計時される現在日時に基づいて適宜複数表示される。なお、リストボックス３０２に限らず、入力端末操作部１２２にて日付がテキスト入力されるテキストボックスなどとしてもよい。コマンドボタン３０３は、入力端末操作部１２２による入力操作にて、保守点検における日常点検のためのチェックリスト、例えば図２０および図２１に示すような画面表示のチェックリストをチェックリスト取得手段１２６Ｂにて取得させる。コマンドボタン３０４は、入力端末操作部１２２による入力操作にて、保守点検におけるオイル点検のためのチェックリスト、例えば図２４および図２５に示すような画面表示のチェックリストをチェックリスト取得手段１２６Ｂにて取得させる。コマンドボタン３０５は、入力端末操作部１２２による入力操作にて、保守点検におけるオイル補給・測定のためのチェックリスト、例えば図２７および図２８に示すような画面表示のチェックリストをチェックリスト取得手段１２６Ｂにて取得させる。
【００８８】
そして、図１９に示す診断メニュー画面３００のコマンドボタン３０３の入力操作にて、例えば図２０に示すようなウエッブブラウザによる画面表示で表示されるネームプレート確認結果入力画面３１０がまず表示される。この図２０に示すネームプレート確認結果入力画面３１０には、いわゆるオプショングループであるラジオボタン３１１と、複数のコマンドボタン３１２〜３１５と、が設けられている。ラジオボタン３１１は、入力端末操作部１２２による入力操作にて、保守点検する設備のネームプレートの状態を表す複数の項目のうちのいずれか１つを選択可能に構成されている。
【００８９】
また、コマンドボタン３１２は、入力端末操作部１２２の入力操作にて、この図２０に示すネームプレート確認結果入力画面３１０を閉じて、図１９に示す診断メニュー画面３００を表示させる。なお、既にラジオボタン３１１にていずれかの項目が選択されている場合には、その選択された項目に関する情報である確認結果情報が入力端末記憶部１２５に記憶される。コマンドボタン３１３は、コマンドボタンと３１２と同様の機能である。このコマンドボタン３１３は、利用できないあるいは設けない構成としてもよい。コマンドボタン３１４は、この図２０に示すネームプレート確認結果入力画面３１０を閉じて、日常点検における保守点検を実施するための次である他の点検項目を設定する表示画面を表示する。コマンドボタン３１５は、ネームプレートの状態についての保守点検を実施せず、次の点検項目を実施するためにスキップする。すなわち、ラジオボタン３１１を選択する入力操作を実施することなく、あるいは選択されていてもその確認結果情報を入力端末記憶部１２５に記憶させることなく、次の点検項目を設定する表示画面を表示する。そして、最後の点検項目を設定する表示画面として、例えば清掃状態を設定するためのチェックリストである図２１に示す清掃状況結果入力画面３２０が表示される。
【００９０】
この図２１に示す清掃状況結果入力画面３２０には、ラジオボタン３２１と、複数のコマンドボタン３２２〜３２５と、が設けられている。ラジオボタン３２１は、入力端末操作部１２２による入力操作にて、保守点検する設備の清掃状態を表す複数の項目のうちのいずれか１つを選択可能に構成されている。コマンドボタン３２２は、入力端末操作部１２２の入力操作にて、この図２１に示す清掃状況結果入力画面３２０を閉じて、図１９に示す診断メニュー画面３００を表示させる。なお、既にラジオボタン３２１にていずれかの項目が選択されている場合には、その選択された項目に関する情報が入力端末記憶部１２５に記憶される。
【００９１】
また、コマンドボタン３２３は、入力端末操作部１２２による入力操作にて、この図２１に示す清掃状況結果入力画面３２０を閉じて、１つ前の点検項目についてのチェックリストである表示画面を表示させる。なお、コマンドボタン３２２と同様に、入力操作されることにより、既にラジオボタン３２１にていずれかの項目が選択されている場合、その選択された項目に関する確認結果情報が入力端末記憶部１２５に記憶される。コマンドボタン３２４は、この図２１に示す清掃状況結果入力画面３２０を閉じて日常点検の保守点検に関する確認結果情報の入力を終了させる。このコマンドボタン３２４は、清掃状況の保守点検が日常点検の最後の点検項目である場合に表示され、この清掃状況の保守点検項目の次にさらに点検項目がある場合には、次のチェックリストに関する画面を表示させる機能のコマンドボタンが代わりに設けられる。そして、このコマンドボタン３２４が入力操作されて日常点検における各保守点検項目に対する確認結果情報の入力が終了することにより、確認結果情報生成手段１２６Ｃが日常点検における一連の確認結果情報を１つのレコードの確認結果情報として生成させ、入力端末記憶部１２５に記憶させる。すなわち、例えば図２２に示すような入力された各点検項目に関する確認結果情報を表示する日常点検入力状況確認画面３３０が表示される。コマンドボタン３２５は、コマンドボタン３１５と同様に、清掃状況についての保守点検を実施せず、次の点検項目を実施するためにスキップする。すなわち、ラジオボタン３２１の選択を実施することなく図２１の清掃状況結果入力画面３２０を閉じて、次の点検項目であるチェックリストに関する表示画面や、コマンドボタン３２４と同様に機能させて図２２に示す日常点検入力状況確認画面３３０を表示させる。
【００９２】
そして、図２１に示す清掃状況結果入力画面３２０においてコマンドボタン３２４が入力操作されて表示される図２２に示す日常点検入力状況確認画面３３０には、テキストボックス３３１と、複数のコマンドボタン３３２，３３３と、が設けられている。テキストボックス３３１は、図２０および図２１に示すような日常点検におけるチェックリストの各項目に対して入力した確認結果情報が一覧表示される。このテキストボックス３３１は、表示される各確認結果情報のいずれか１つが選択可能に、入力端末操作部１２２の入力操作にて図示しないカーソルが移動可能となっている。コマンドボタン３３２は、入力端末操作部１２２による入力操作にて、確認結果情報生成手段１２６Ｃがテキストボックス３３１に一覧表示される確認結果情報を、テキストボックス３０２の日付情報と関連付けて日常点検における１つのレコードの確認結果情報として生成させ、入力端末記憶部１２５に記憶させる。このコマンドボタン３３２の入力操作にて、図２２に示す日常点検入力状況確認画面３３０を閉じ、図１９に示す診断メニュー画面３００を表示させる。また、コマンドボタン３３３は、入力端末操作部１２２の入力操作にて、テキストボックス３３１で選択された確認結果情報を修正あるいはスキップした点検項目に対して確認結果情報を入力するために、対応するチェックリストの表示画面を表示させる。例えば、ネームプレートの状態についての点検結果を修正するために、テキストボックス３３１でネームプレートの点検項目にカーソルを移動させてコマンドボタン３３２が入力操作されると、図２３に示すネームプレートの保守点検結果を入力・修正するための確認結果修正画面３４０が表示される。
【００９３】
この図２３に示す確認結果修正画面３４０には、ラジオボタン３１１と同様のラジオボタン３４１と、複数のコマンドボタン３４２，３４３，３４４と、が設けられている。コマンドボタン３４２は、入力端末操作部１２２による入力操作にて、この図２３に示す確認結果修正画面３４０を閉じ、図１９に示す診断メニュー画面３００を表示させる。なお、既にラジオボタン３１４にていずれかの項目が選択されている場合、その選択された項目に関する情報である確認結果情報を入力端末記憶部１２５に更新させる。コマンドボタン３４３は、確認結果情報生成手段１２６Ｃによりラジオボタン３４１にて選択された内容で確認結果情報を生成して既に入力端末記憶部１２５に記憶されている確認結果情報を更新させる。コマンドボタン３４４は、入力端末操作部１２２による入力操作にて、ラジオボタン３１４の選択内容を更新することなく、この図２３に示す確認結果修正画面３４０を閉じて図２２に示す日常点検入力状況確認画面３３０を表示させる。
【００９４】
一方、図１９に示す診断メニュー画面３００におけるオイル点検のためのチェックリストを取得させるためのコマンドボタン３０４の入力操作にて、図２４に示すようなウエッブブラウザによる画面表示で表示される変色結果入力画面３５０がまず表示される。この図２４に示す変色結果入力画面３５０には、ラジオボタン３５１と、複数のコマンドボタン３５２〜３５５と、が設けられている。ラジオボタン３５１は、入力端末操作部１２２による入力操作にて、保守点検する潤滑油や作業油などのオイルの変色状況を表す複数の項目のうちのいずれか１つを選択可能となっている。
【００９５】
また、コマンドボタン３５２は、入力端末操作部１２２の入力操作にて、この図２４に示す変色結果入力画面３５０を閉じ、図１９に示す診断メニュー画面３００を表示させる。なお、コマンドボタン３１２などと同様に、既にラジオボタン３５１にていずれかの項目が選択されている場合、その項目に関する確認結果情報が入力端末記憶部１２５に記憶される。コマンドボタン３５３は、コマンドボタン３５２と同様の機能で、利用できないあるいは設けない構成としてもよい。コマンドボタン３５４は、この図２４に示す変色結果入力画面３５０を閉じて、オイル点検における保守点検を実施するための次である他の点検項目を設定する表示画面を表示する。コマンドボタン３５５は、この図２４に示すオイルの変色状況の保守点検を実施せず、次の点検項目を実施するためにスキップする。すなわち、ラジオボタン３５１を選択する入力操作を実施することなく、あるいは選択されていてもその確認結果情報を入力端末記憶部１２５に記憶させることなく、次の点検項目を設定する表示画面を表示する。そして、差し後の点検項目を設定する表示画面として、例えばオイルの温度を設定するためのチェックリストである図２５に示すオイル温度入力画面３６０が表示される。
【００９６】
この図２５に示すオイル温度入力画面３６０には、ラジオボタン３６１と、複数のコマンドボタン３６２〜３６５と、が設けられている。ラジオボタン３６２は、入力端末操作部１２２による入力操作にて、オイルの温度状況を表す複数の項目のうちのいずれか１つを選択可能に構成されている。コマンドボタン３６２は、入力端末操作部１２２の入力操作にて、この図２５に示すオイル温度入力画面３６０を閉じて、図１９に示す診断メニュー画面３００を表示させる。なお、既にラジオボタン３６１にていずれかの項目が選択されている場合には、その選択された項目に関する確認結果情報が入力端末記憶部１２５に記憶される。
【００９７】
また、コマンドボタン３６３は、入力端末操作部１２２による入力操作にて、この図２５に示すオイル温度入力画面３６０を閉じて、１つ前の点検項目についてのチェックリストである表示画面を表示させる。なお、コマンドボタン３６２と同様に、入力操作されることにより、既にラジオボタン３２１にていずれかの項目が選択されている場合、その選択された項目に関する確認結果情報が入力端末記憶部１２５に記憶される。コマンドボタン２６４は、この図２５に示すオイル温度入力画面３６０を閉じてオイル点検に関する確認結果情報の入力を終了させる。このコマンドボタン３６４は、オイルの温度状況の保守点検がオイル点検の最後の点検項目である場合に表示され、このオイルの温度状況の保守点検項目の次にさらに点検項目がある場合には、次のチェックリストに関する表示画面を表示させる機能のコマンドボタンが設けられる。そして、このコマンドボタン３６４が入力操作されてオイル点検における各保守点検項目に対する確認結果情報の入力が終了することにより、確認結果情報生成手段１２６Ｃがオイル点検における一連の確認結果情報を１つのレコードの確認結果情報として生成させ、入力端末記憶部１２５に記憶させる。すなわち、例えば図２６に示すような入力された各点検項目に関する確認結果情報を表示するオイル点検入力状況確認画面３７０が表示される。コマンドボタン３６５は、コマンドボタン３５５と同様に、オイルの温度状況に着いての保守点検を実施せず、次の点検項目であるチェックリストを実施するためにスキップする。すなわち、ラジオボタン３６１の選択を実施することなく図２５に示すオイル温度入力画面３６０を閉じて、次の点検項目であるチェックリストに関する表示画面や、コマンドボタン３６４と同様に機能させて図２６に示すオイル点検入力状況確認画面３７０を表示させる。
【００９８】
そして、図２５に示すオイル温度入力画面３６０のコマンドボタン３６４が入力操作されて表示される図２６に示すオイル点検入力状況確認画面３７０には、テキストボックス３７１と、複数のコマンドボタン３７２，３７３と、が設けられている。テキストボックス３７１は、図２４および図２５に示すようなオイル点検におけるチェックリストの各項目に対して入力した確認結果情報が一覧表示される。このテキストボックス３７１は、表示される各確認認結果情報のいずれか１つが選択可能に、入力端末操作部１２２の入力操作にてカーソル３７１Ａが移動可能となっている。コマンドボタン３７２は、入力端末操作部１２２による入力操作にて、確認結果情報生成手段１２６Ｃがテキストボックス３７１に一覧表示される確認結果情報を、例えばテキストボックス３０２の日付情報と関連付けてオイル点検における１つのレコードの確認結果情報として生成させ、入力端末記憶部１２５に記憶させる。このコマンドボタン３７２の入力操作にて、この図２６に示すオイル点検入力状況確認画面３７０を閉じ、図１９に示す診断メニュー画面３００を表示させる。また、コマンドボタン３７３は、入力端末操作部１２２の入力操作にて、テキストボックス３７１で選択された確認結果情報を修正あるいはスキップした点検項目に対して確認結果情報を入力するために、例えば図２３に示す確認結果修正画面３４０のような表示画面を表示させる。
【００９９】
一方、図１９に示す診断メニュー画面３００におけるオイル補給・測定のためのチェックリストを取得させるためのコマンドボタン３０５の入力操作にて、図２７に示すようなウエッブブラウザによる画面表示で表示されるオイル補給・測定入力状況確認画面３８０が表示される。このオイル補給・測定入力状況確認画面３８０には、テキストボックス３８１と、複数のコマンドボタン３８２，３８３とが設けられている。テキストボックス３８１は、保守点検のオイル補給・測定における各項目が一覧表示される。このテキストボックス３８１は、表示される各項目のいずれか１つが選択可能に、入力端末操作部１２２の入力操作にてカーソル３８１Ａが移動可能となっている。コマンドボタン３８２は、入力端末操作部１２２による入力操作にて、確認結果情報精製手段１２６Ｃがテキストボックス３８１に一覧表示される各項目に対応して入力されて一覧表示される確認結果情報を、例えばテキストボックス３０２の日付情報と関連付けてオイル補給・測定における１つのレコードの確認結果情報として生成させ、入力端末記憶部１２５に記憶させる。このコマンドボタン３８２の入力操作にて、この図２７に示すオイル補給・測定入力状況確認画面３８０を閉じ、図１９に示す診断メニュー画面３００を表示させる。また、コマンドボタン３８３は、入力端末操作部１２２の入力操作にて、テキストボックス３８１で選択された点検項目についての確認結果情報の入力あるいは入力された確認結果情報の修正をするために、その点検項目についての確認結果情報を入力するチェックリストである表示画面が表示される。例えば、テキストボックス３８１でオイル補給量の項目が選択されている場合、例えば図２８に示すオイル補給量入力画面３９０が表示される。
【０１００】
この図２８に示すオイル補給量入力画面３９０には、テンキー３９１と、テキストボックス３９２と、複数のコマンドボタン３９３〜３９５と、を備えている。テンキーは、複数のコマンドボタン３９１Ａにて構成され、入力端末操作部１２２による入力操作にて、例えば図示しないカーソルを移動させて所定のコマンドボタン３９１Ａを選択することにより数値を入力する。テキストボックス３９２は、テンキー３９１にて入力された数値をテキスト表示する。コマンドボタン３９３は、入力端末操作部１２２の入力操作にて、この図２８に示すオイル補給量入力画面３９０を閉じて、図１９に示す診断メニュー画面３００を表示させる。なお、既にテンキー３９１が入力操作されてテキストボックス３９２に数値が表示されている場合、この数値に関する確認結果情報が入力端末記憶部１２５に記憶される。
【０１０１】
また、コマンドボタン３９４は、入力端末操作部１２２による入力操作にて、この図２８に示すオイル補給量入力画面３９０を閉じて、図１９に示す診断メニュー画面３００を表示させる。なお、テンキー３９１の入力操作にて入力されテキストボックス３９２に数値が表示された状態でも、確認結果情報として入力端末記憶部１２５に記憶されない。コマンドボタン３９５は、入力端末操作部１２２による入力操作にて、この図２８に示すオイル補給量入力画面３９０を閉じて、図２７に示すオイル補給・測定入力状況確認画面３８０を表示させる。
【０１０２】
そして、上述したような具体的な処理形態を利用する構成としては、入力端末装置１２０のみならず、顧客端末装置１３０にて実施可能とすることができる。
【０１０３】
（サーバ装置の具体的構成）
次に、サーバ装置の構成を具体的な処理形態を利用して図面に基づいて説明する。なお、具体的な処理形態としてサーバ装置における処理形態について説明するが、顧客端末装置１３０についても略同様である。
【０１０４】
図２９は、ウエッブブラウザによる画面表示で表示されるログイン画面を示す概念図である。図３０は、同様のメニュー画面を示す概念図である。図３１は、システム設定のための同様のシステム設定メニュー画面を示す概念図である。図３２は、システム設定における顧客情報を管理するためのユーザマスタを検索および一覧表示する同様のユーザマスタ管理検索一覧画面を示す概念図である。図３３は、同様のユーザマスタ設定画面を示す概念図である。図３４は、同様のユーザマスタを編集するユーザマスタ編集画面を示す概念図である。図３５は、同様の顧客情報のうちの利用者の所属会社を検索および一覧表示する同様の所属会社選択画面を示す概念図である。図３６は、利用者の所属会社を管理するための所属会社管理マスタを検索および一覧表示する同様の所属会社マスタ検索一覧画面を示す概念図である。図３７は、同様の所属会社を新規登録するための所属会社設定画面を示す概念図である。図３８は、同様の設定された所属会社を編集するための所属会社編集画面を示す概念図である。図３９は、同様の所属会社におけるアクセス権を設定するためのアクセス権設定画面を示す概念図である。図４０は、同様の顧客情報のうちの保守点検対象の設備のある工場を管理するための工場管理マスタを検索および一覧表示する工場マスタ検索一覧画面を示す概念図である。図４１は、同様の顧客情報のうちの工場に関連付けられる会社を設定するための工場マスタ会社設定画面を示す概念図である。図４２は、同様の工場管理マスタの会社を編集する工場マスタ会社編集画面を示す概念図である。図４３は、同様の工場管理マスタの大工場を設定するための工場マスタ大工場設定画面を示す概念図である。図４４は、同様の工場管理マスタの大工場を編集する工場マスタ大工場編集画面を示す概念図である。図４５は、同様の工場管理マスタの工場を設定するための工場マスタ工場設定画面を示す概念図である。図４６は、同様の工場管理マスタの工場を編集する工場マスタ工場編集画面を示す概念図である。図４７は、同様の顧客情報のうちのラインを管理するためのライン管理マスタを検索および一覧表示するラインマスタ検索一覧画面を示す概念図である。図４８は、同様のライン管理マスタのラインを設定するためのラインマスタ設定画面を示す概念図である。図４９は、ライン管理マスタのラインを編集するラインマスタ編集画面を示す概念図である。図５０は、同様の顧客情報のうちの設備を管理するための設備管理マスタを検索および一覧表示する設備マスタ検索一覧画面を示す概念図である。図５１は、同様の設備管理マスタにおける保守点検対象の設備の製造メーカを設定する設備メーカ設定画面を示す概念図である。図５２は、同様の設備管理マスタにおける製造メーカを編集する設備メーカ編集画面を示す概念図である。図５３は、同様の設備管理マスタにおける保守点検対象の設備を設定する設備設定画面を示す概念図である。図５４は、同様の設備管理マスタにおける設備を編集する設備編集画面を示す概念図である。図５５は、同様の設備管理マスタにおける機番を設定する機番設定画面を示す概念図である。図５６は、同様の設備管理マスタにおける機番を編集する機番編集画面を示す概念図である。
【０１０５】
図５７は、同様の日常点検の診断項目に関する検索を実施する日常点検検索画面を示す概念図である。図５８は、同様の保守点検対象の機械である設備を検索する設備検索画面を示す概念図である。図５９は、同様の日常点検の点検日に基づく日常点検検索結果画面を示す概念図である。図６０は、同様の保守点検対象の機械に基づく日常点検検索結果画面を示す概念図である。図６１は、同様の日常点検による確認結果を集計した日常点検結果集計画面を示す概念図である。図６２は、同様の日常点検結果グラフ表示画面を示す概念図である。図６３は、同様の日常点検チェックリスト画面を示す概念図である。図６４は、同様の日常点検結果を編集する日常点検結果編集画面を示す概念図である。図６５は、同様のオイル点検の診断項目に関する検索を実施するオイル点検検索画面を示す概念図である。図６６は、同様のオイル点検の点検日に基づくオイル点検検索結果画面を示す概念図である。図６７は、同様の保守点検対象の機械に基づくオイル点検検索結果画面を示す概念図である。図６８は、同様のオイル点検による確認結果を集計したオイル点検結果集計画面を示す概念図である。図６９は、同様のオイル点検チェックリスト画面を示す概念図である。図７０は、同様のオイル点検結果を編集するオイル点検結果編集画面を示す概念図である。図７１は、同様のオイル点検結果グラフ表示画面を示す概念図である。図７２は、同様のオイル補給・測定の診断項目に関する検索を実施するオイル補給・測定検索画面を示す概念図である。図７３は、同様のオイル補給検索結果画面を示す概念図である。図７４は、同様のオイル補給チェックリスト画面を示す概念図である。図７５は、同様のオイル補給結果を編集するオイル補給結果編集画面を示す概念図である。図７６は、同様のオイル補給・測定のオイルの水分量を測定した確認結果に関する水分量検索結果画面を示す概念図である。図７７は、同様のオイル補給・測定のオイルの全酸価を測定した確認結果に関する全酸価検索結果画面を示す概念図である。図７８は、同様のオイル補給・測定のオイルのスラッジ量を測定した確認結果に関するスラッジ量検索結果画面を示す概念図である。図７９は、同様のオイル補給・測定のオイルの鉄粉濃度を測定した確認結果に関する鉄粉濃度検索結果画面を示す概念図である。図８０は、同様の顧客情報のうちの保守点検対象の設備に関する設備管理台帳を検索する設備管理台帳検索画面を示す概念図である。図８１は、同様の設備管理台帳検索結果画面を示す概念図である。図８２は、同様の設備管理台帳作成画面を示す概念図である。図８３は、同様の設備管理台帳編集画面を示す概念図である。図８４は、同様の保守点検による機械の保全内容を検索する保全内容検索画面を示す概念図である。図８５は、同様の保全内容検索結果画面を示す概念図である。図８６は、同様の保全内容に関する保全内容台帳を作成する保全内容台帳作成画面を示す概念図である。図８７は、同様の保全内容台帳編集画面を示す概念図である。図８８は、同様の保全内容台帳における保全の事象、部品・部位、メモを設定する事象作成画面を示す概念図である。図８９は、同様の保全費を検索する保全費検索画面を示す概念図である。図９０は、同様の保全費検索結果画面を示す概念図である。
【０１０６】
サーバ装置１１０のサーバ演算部１１５は、上述したように、チェックリスト生成手段１１５Ａと、顧客確認手段１１５Ｂと、確認結果取得手段１１５Ｃと、診断手段１１５Ｄと、システム設定手段１１５Ｅと、を備えている。そして、顧客確認手段１１５Ｂによりログイン処理の際などに、ネットワーク１４０を介して入力端末装置１２０や顧客端末装置１３０から送信される顧客情報が、顧客データベース１１４Ａにあらかじめ格納されている顧客情報と照合して正しいか否かを判断する。この顧客確認手段１１５Ｂが照合に用いる顧客データベース１１４Ａに格納される顧客情報は、例えば図３１に示すウエッブブラウザなどによる画面表示で表示されるシステム設定メニュー画面に一覧表示される各システム設定にてシステム手段１１５Ｅにより生成される。
【０１０７】
この図３１に示すシステム設定メニュー画面は、例えば図２９に示すようなウエッブブラウザなどによる画面表示で表示されるログイン画面４００にてプログラムを起動させ、図３０に示すような同様のメニュー画面４１０を表示させて、このメニュー画面４１０から表示される。ここで、図２９に示すログイン画面４００には、図１２に示す端末ログイン画面２２０と同様に、複数のテキストボックス４０１，４０２と、複数のコマンドボタン４０３，４０４と、が設けられている。テキストボックス４０１は、あらかじめ設定されたログインＩＤがサーバ入力部１１２によりテキスト入力可能となっている。テキストボックス４０２は、あらかじめ設定されたパスワードが同様にテキスト入力可能となっている。また、コマンドボタン２２３は、サーバ入力部１１２による入力操作にて、各テキストボックス４０１，４０２に入力された情報が顧客確認手段１１５Ｂにより正しと判断することにより、サーバ演算部１１５がプログラムを起動して図３０に示すメニュー画面をサーバ表示部１１３に表示させる。なお、顧客端末装置１３０にてログイン処理する場合、端末処理部１３１Ｂにて認証する場合に限らず、入力端末装置１２０と同様にサーバ装置１１０に情報を送信して顧客確認手段１１５Ｂにて認証させてもよい。そして、テキストボックス２２１，２２２に入力された情報が誤っていれば、例えば入力された情報が誤っている旨の表示や再入力を促す表示などが表示される。また、コマンドボタン４０４は、サーバ入力部１１２による入力操作にて、ログイン処理を終了すなわち保守管理支援システム１００のプログラムの起動を中止する。なお、この中止により、例えばＯＳ（Operating System）のメニュー画面や背景画面などが表示される。
【０１０８】
そして、この図２９に示すログイン画面４００からログインされて表示される図３０に示すメニュー画面４１０には、例えばログイン処理の際の入力された情報に基づいて利用者であるサーバ管理者の氏名がテキスト表示されるテキストボックス４１１が設けられている。また、メニュー画面４１０には、複数のコマンドボタン４１２〜４１９が設けられている。コマンドボタン４１２は、サーバ入力部１１２による入力操作にて、このメニュー画面４１０を表示させる。なお、このメニュー画面４１０にコマンドボタン４１２を設けなくてもよい。コマンドボタン４１３は、同様に入力操作されることで、入力端末装置１２０や顧客端末装置１３０にてチェックリストに基づいて実施された機械である設備の保守点検における日常点検結果である確認結果情報を診断手段１１５Ｄにて処理するための表示画面、すなわち詳細は後述する図５７ないし図６４に示すような表示画面を表示させる。コマンドボタン４１４は、同様に入力操作されることで、入力端末装置１２０や顧客端末装置１３０にてチェックリストに基づいて実施された機械の保守点検におけるオイル点検結果である確認結果情報を診断手段１１５Ｄにて処理するための表示画面、すなわち詳細は後述する図６５ないし図７１に示すような表示画面を表示させる。コマンドボタン４１５は、同様に入力操作されることで、入力端末装置１２０や顧客端末装置１３０にてチェックリストに基づいて実施された機械の保守点検におけるオイル補給・測定点検結果である確認結果情報を処理するための表示画面、すなわち詳細は後述する図７２ないし図７９に示すような表示画面を表示させる。コマンドボタン４１６は、同様に入力操作されることで、顧客情報のうちの保守点検対象の設備に関する設備管理台帳について処理するための表示画面、すなわち詳細は後述する図８０ないし図８３に示すような表示画面を表示させる。コマンドボタン４１７は、同様に入力操作されることで、保守点検による機械の保全内容について処理するための表示画面、すなわち詳細は後述する図８４ないし図８８に示すような表示画面を表示させる。コマンドボタン４１８は、同様に入力操作されることで、保守点検により保全した保全費について処理するための表示画面、すなわち詳細は後述する図８９および図９０に示すような表示画面を表示させる。コマンドボタン４１９は、同様に入力操作されることで、保守点検支援システム１００を利用するための各種設定、具体的にはシステム設定手段１１５Ｅが顧客情報や保守点検のチェックリストを作成するためのマスタデータなどについて処理するための表示画面、すなわち詳細は後述する図３１ないし図５６に示すような表示画面を表示させる。
【０１０９】
この図３０に示すメニュー画面４１０のコマンドボタン４１９が入力操作されることにより、システム設定手段１１５Ｅが顧客情報や保守点検のチェックリストを作成するためのデータベースに蓄積されるマスタデータについてのシステム設定処理を実施する。すなわち、コマンドボタン４１９の入力操作により、まず図３１に示すシステム設定メニュー画面４２０が表示される。このシステム設定メニュー画面４２０には、図３０に示すメニュー画面４１０と同様に、コマンドボタン４１２〜４１９が設けられている。また、システム設定メニュー画面４２０には、複数のコマンドボタン４２１〜４２６が設けられている。コマンドボタン４２１は、サーバ入力部１１２による入力操作にて、保守点検支援システム１００を利用する利用者に関するマスタデータであるユーザマスタとしての顧客情報について処理するための画面表示、すなわち詳細は後述する例えば図３２ないし図３５に示すような表示画面を表示させる。コマンドボタン４２２は、サーバ入力部１１２による入力操作にて、利用者が関係する所属会社に関するマスタデータである所属会社マスタとしての顧客情報について処理するための画面表示、すなわち詳細は後述する例えば図３６ないし図３９に示すような表示画面を表示させる。コマンドボタン４２３は、利用者が関係する所属会社における工場に関するマスタデータである工場マスタとしての顧客情報について処理するための画面表示、すなわち詳細は後述する例えば図４０ないし図４６に示すような表示画面を表示させる。コマンドボタン４２４は、利用者が関係する所属会社の工場におけるラインに関するマスタデータであるラインマスタとしての顧客情報について処理するための画面表示、すなわち詳細は後述する例えば図４７ないし図４９に示すような表示画面を表示させる。コマンドボタン４２５は、利用者が関係する所属会社の工場のラインにおける保守点検対象となる設備に関するマスタデータである設備マスタとしての顧客情報について処理するための画面表示、すなわち詳細は後述する例えば図５０ないし図５６に示すような表示画面を表示させる。
【０１１０】
そして、図３１に示すシステム設定メニュー画面４２０のコマンドボタン４２１が入力操作されて実施されるユーザマスタ処理として、図３２に示すユーザマスタ管理検索一覧画面４３０が表示される。この図３２に示すユーザマスタ管理検索一覧画面４３０は、あらかじめユーザマスタとして顧客データベース１１４Ａに格納されているユーザマスタを検索および一覧表示させる。このユーザマスタ管理検索一覧画面４３０には、図３０に示すメニュー画面４１０と同様のコマンドボタン４１２〜４１９が設けられているとともに、複数のコマンドボタン４３１〜４３４と、複数のテキストボックス４３５，４３６と、複数のセル４３７と、を有している。コマンドボタン４３１は、このユーザマスタ管理検索一覧画面４３０を閉じて図３１に示すシステム設定メニュー画面４２０を表示させる。コマンドボタン４３２は、このユーザマスタ管理検索一覧画面４３０を閉じて、新規に利用者を設定すなわち新規登録するための画面表示、例えば図３３に示すユーザマスタ設定画面４４０を表示させる。このコマンドボタン４３２は、サーバ装置１１０の管理者あるいは特定の権限を有する利用者が利用する顧客端末装置１３０で表示可能に設定される。
【０１１１】
また、テキストボックス４３５は、ユーザマスタにおける所定の利用者について検索するための検索対象のユーザＩＤがサーバ入力部１１２にてテキスト入力可能となっている。テキストボックスは４３６、ユーザマスタにおける所定の利用者について検索するための検索対象の氏名が同様にテキスト入力可能となっている。そして、コマンドボタン４３３は、サーバ入力部１１２による入力操作にて、テキストボックス４３５，４３６に入力された情報に基づいて顧客データベース１１４Ａを検索し、検索結果を複数のセル４３７にて一覧表示させる。すなわち、検索結果は、例えばＣＳＶ（Comma Separated Value）形式で表示する複数のセル４３７にて一覧表示される。なお、コマンドボタン４３４は、入力操作により、検索結果が多く一括して一覧表示できない場合に表示されない検索結果を表示させる。そして、検索結果を表示するセル４３７には、例えばユーザＩＤ、利用者名、所属会社、区分などが一覧表示される。そして、これらセル４３７のうち、ユーザＩＤが表示されるセル４３７Ａはサーバ入力部１１２による入力操作にて選択可能となっており、この選択する入力操作により、その選択されたユーザＩＤに関する顧客情報を編集するための画面表示、例えば詳細は後述する図３４に示すユーザマスタ編集画面４５０が表示される。
【０１１２】
一方、図３２に示すユーザマスタ管理検索一覧画面４３０のコマンドボタン４３２の入力操作により表示される図３３に示すユーザマスタ設定画面４４０には、図３２に示すユーザ管理検索一覧画面４３０と同様のコマンドボタン４１２〜４１９，４３１が設けられているとともに、このユーザマスタ設定画面４４０を閉じて図３２に示すユーザ管理検索一覧画面４３０を表示させるコマンドボタン４４１が設けられている。また、ユーザマスタ設定画面４４０には、複数のテキストボックス４４２と、チェックボックス４４３と、複数のコマンドボタン４４４〜４４７と、が設けられている。
【０１１３】
テキストボックス４４２は、サーバ入力部１１２の入力操作にて、ユーザＩＤ、ログインＩＤ、利用者名、利用者名の読み仮名、所属会社名、所属、連絡先、パスワード、パスワード確認などがテキスト入力可能に構成されている。なお、ユーザＩＤ、ログインＩＤ、利用者名および利用者名の読み仮名については必須の入力項目で、その他の項目の入力については任意に構成されている。チェックボックス４４３は、サーバ入力部１１２の入力操作にて、これらテキストボックス４４２に入力される利用者に対して管理者として権限を付与するか否かを設定する。また、コマンドボタン４４４は、サーバ入力部１１２の入力操作にて、利用者が所属する所属会社を顧客データベース１１４Ａにあらかじめ格納された顧客情報としての所属会社マスタに基づいて選択させる画面表示、例えば詳細は後述する図３５に示す所属会社選択画面４６０を表示させる。そして、この所属会社選択画面４６０にて選択されると、このコマンドボタン４４４に隣接して所属会社が表示される。そして、コマンドボタン４４５は、サーバ入力部１１２による入力操作にて、テキストボックス４４２に入力された情報および選択された所属会社を１つのレコードの顧客情報として顧客データベース１１４Ａに格納すなわち記憶させるとともに、各テキストボックス４４２に入力された情報を削除し、さらに登録可能に処理する。コマンドボタン４４６は、入力操作にて同様に１つのレコードの顧客情報として顧客データベース１１４Ａに記憶させるとともに、このユーザマスタ設定画面４４０を閉じて、図３２に示すユーザマスタ管理検索一覧画面４３０を表示させる。コマンドボタン４４７は、入力操作により、入力された情報を削除して入力される前の状態にする。
【０１１４】
また、図３２に示すユーザマスタ管理検索一覧画面４３０のセル４３７の入力操作にて表示される図３４に示すユーザマスタ編集画面４５０には、図３３に示すユーザマスタ設定画面４４０と同様のコマンドボタン４１２〜４１９，４３１，４４１が設けられている。また、ユーザマスタ編集画面４５０には、ユーザマスタ設定画面４４０と同様に、複数のテキストボックス４５２と、チェックボックス４４３と、複数のコマンドボタン４４４，４４７，４５５〜４５７と、が設けられている。テキストボックス４５２は、ユーザマスタ管理検索一覧画面４３０で選択されたセル４３７に対応するユーザＩＤに関連付けられた顧客情報が、サーバ入力部１１２による入力操作にて編集すなわち再入力可能にテキスト表示される。コマンドボタン４５５は、サーバ入力部１１２による入力操作にて、テキストボックス４５２を再入力した内容で１つのレコードの顧客情報として、既に登録されている顧客データベース１１４Ａに記憶された対応する顧客情報を更新する。コマンドボタン４５６は、サーバ入力部１１２による入力操作にて、セル４３７に対応するユーザＩＤに関連付けられテキストボックス４５２で表示される顧客情報を、顧客データベース１１４Ａから削除する。コマンドボタン４５７は、サーバ入力部１１２による入力操作にて、既に登録されている顧客情報であるパスワードを初期化し、再入力可能とする。なお、このコマンドボタン４５７は、チェックボックス４４３で管理者としての権限が設定されている利用者のみが有効となっている。
【０１１５】
さらに、図３２に示すユーザマスタ管理検索一覧画面４３０のコマンドボタン４４４の入力操作にて表示される図４５に示す所属会社選択画面４６０には、図３３に示すユーザマスタ設定画面４４０と同様のコマンドボタン４１２〜４１９が設けられている。また、所属会社選択画面４６０には、テキストボックス４６１と、複数のコマンドボタン４６２，４６３と、例えばＣＳＶ形式の複数のセル４６４と、が設けられている。テキストボックス４６１は、ユーザマスタにおける所属会社について検索するための検索対象である所属会社名がサーバ入力部１１２にてテキスト入力可能となっている。コマンドボタン４６２は、サーバ入力部１１２による入力操作にて、テキストボックス４６１に入力された情報に基づいて顧客データベース１１４Ａを検索し、検索結果を例えばＣＳＶ形式で複数のセル４６４に一覧表示させる。これらセル４６４には、例えば所属会社名、区分などが表示される。また、セル４６４には、サーバ入力部１１２による入力操作にて選択可能に構成され、選択する入力操作により各項目の設定が正しくその項目を設定、すなわち顧客データベース１１４Ａに更新して図３４に示すユーザマスタ編集画面４５０に戻って表示させるセル４６４Ａが設けられている。なお、コマンドボタン４６３は、入力操作により、検索結果が多く一括して一覧表示できない場合に表示されない検索結果を表示させる。
【０１１６】
一方、図３１に示すシステム設定メニュー画面４２０のコマンドボタン４２２が入力操作されて実施される利用者の所属会社を管理するための所属会社管理マスタについての所属会社マスタ処理として、図３６に示す所属会社マスタ管理検索一覧画面４３０が表示される。この所属会社マスタ管理検索一覧画面４３０は、あらかじめ所属会社マスタとして顧客データベース１１４Ａに格納されている所属会社マスタを検索および一覧表示させる。この所属会社マスタ管理検索一覧画面４３０には、図３２に示すユーザマスタ管理検索一覧画面４３０と同様のコマンドボタン４１２〜４１９，４３１が設けられているとともに、複数のコマンドボタン４７２〜４７４と、テキストボックス４７５と、複数のセル４７６と、を有している。コマンドボタン４７２は、この所属会社マスタ管理検索一覧画面４７０を閉じて、新規に利用者を設定すなわち新規登録するための画面表示、例えば図３７に示す所属会社マスタ設定画面４８０を表示させる。このコマンドボタン４７２は、サーバ装置１１０の管理者あるいは特定の権限を有する利用者が利用する顧客端末装置１３０で表示可能に設定される。
【０１１７】
また、テキストボックス４７５は、所属会社マスタにおける所定の利用者に関連付けられた所属会社について検索するための検索対象である所属会社名がサーバ入力部１１２にてテキスト入力可能となっている。そして、コマンドボタン４７３は、サーバ入力部１１２による入力操作にて、テキストボックス４７５に入力された情報に基づいて顧客データベース１１４Ａを検索し、検索結果を例えばＣＳＶ形式で複数のセル４７６にて一覧表示させる。そして、検索結果を表示するセル４７６には、例えば所属会社名、区分、アクセス権の有無などが表示される。また、セル４７６には、サーバ入力部１１２による入力操作にて選択可能に構成され、選択する入力操作により各項目を編集するための画面表示、例えば図３８に示す所属会社編集画面４９０を表示させるセル４７６Ａと、例えば図３９に示すアクセス権設定画面５００を表示させるセル４７６Ｂとが設けられている。なお、コマンドボタン４７４は、入力操作により、検索結果が多く一括して一覧表示できない場合に表示されない検索結果を表示させる。
【０１１８】
そして、図３６に示す所属会社マスタ管理検索一覧画面４３０のコマンドボタン４７２の入力操作により表示される図３７に示す所属会社マスタ設定画面４８０には、図３６に示す所属会社マスタ管理検索一覧画面４７０と同様のコマンドボタン４１２〜４１９，４３１が設けられているとともに、この所属会社マスタ設定画面４８０を閉じて図３６に示す所属会社マスタ管理検索一覧画面４７０を表示させるコマンドボタン４８１が設けられている。また、所属会社マスタ設定画面４８０には、テキストボックス４８２と、リストボックス４８３と、複数のコマンドボタン４８４〜４８６と、が設けられている。
【０１１９】
テキストボックス４８２は、サーバ入力部１１２の入力操作にて、所属会社名がテキスト入力可能に構成されている。また、リストボックス４８３は、サーバ入力部１１２の入力操作にて、あらかじめ設定された複数の区分がリスト表示されていずれか１つが選択可能となっている。コマンドボタン４８４は、入力操作により、サーバ入力部１１２にてテキストボックス４８２およびリストボックス４８３に入力された情報を新たに登録、すなわち顧客データベース１１４Ａに記憶させるとともに、登録後にテキストボックス４８２およびリストボックス４８３を入力前の状態にして、次の情報を入力可能な状態とする。コマンドボタン４８５は、入力操作により、サーバ入力部１１２にてテキストボックス４８２およびリストボックス４８３に入力された情報を新たに登録、すなわち顧客データベース１１４Ａに記憶させるとともに、この図３７に示す所属会社マスタ設定画面４８０を閉じて図３６に示す所属会社マスタ管理検索一覧画面４３０を表示させる。コマンドボタン４８６は、入力操作により、テキストボックス４８２およびリストボックス４８３に入力された内容を登録することなく、入力前の状態にする。
【０１２０】
また、図３６に示す所属会社マスタ管理検索一覧画面４３０のセル４７６Ａの入力操作により表示される図３８に示す所属会社編集画面４９０には、図３６に示す所属会社管理検索一覧画面４３０と同様のコマンドボタン４１２〜４１９，４３１が設けられているとともに、この所属会社編集画面４９０を閉じて図３６に示す所属会社マスタ管理検索一覧画面４７０を表示させるコマンドボタン４９１が設けられている。また、所属会社編集画面４９０には、テキストボックス４９２と、リストボックス４９３と、複数のコマンドボタン４９４〜４９６とが設けられている。
【０１２１】
テキストボックス４９２は、セル４７６Ａに対応する項目における所属会社名が、サーバ入力部１１２による入力操作にて再入力可能に構成されている。リストボックスは、セル４７６Ａの項目における区分が、サーバ入力部１１２による入力操作にて他の項目に変更可能に複数リスト表示する。コマンドボタン４９３は、入力操作により、サーバ入力部１１２にてテキストボックス４９２およびリストボックス４９３に入力された情報を更新、すなわち顧客データベース１１４Ａに書き替え処理する。コマンドボタン４９５は、入力操作により、テキストボックス４９２およびリストボックス４９３に入力された情報を削除、すなわち顧客データベース１１４Ａに記憶されているテキストボックス４９２およびリストボックス４９３の組み合わせの情報を削除する。コマンドボタン４９６は、入力操作により、テキストボックス４９２およびリストボックス４９３に入力された内容を登録することなく、入力前の状態にする。
【０１２２】
さらに、図３６に示す所属会社マスタ管理検索一覧画面４３０のセル４７６Bの入力操作により表示される図４５に示すアクセス権設定画面５００には、図３６に示す所属会社管理検索一覧画面４３０と同様のコマンドボタン４１２〜４１９，４３１が設けられているとともに、このアクセス権設定画面５００を閉じて図３６に示す所属会社マスタ管理検索一覧画面４７０を表示させるコマンドボタン５０１が設けられている。また、アクセス権設定画面５００には、ラジオボタン５０２と、複数のテキストボックス５０３〜５０６と、複数のコマンドボタン５０７〜５０９と、が設けられている。
【０１２３】
ラジオボタン５０２は、アクセス権を設定するためにアクセス権を付与する対象を検索する条件を設定、例えば名称で検索するか会社に関連付けられたコードで検索するかなどをサーバ入力部１１２の入力操作にて設定可能に構成されている。テキストボックス５０３は、アクセス権を付与する対象を検索するための検索項目がサーバ入力部１１２の入力操作にてテキスト入力可能に構成されている。これらテキストボックス５０３には、例えば会社名、大工場名、工場名などがテキスト入力される。そして、コマンドボタン５０７は、入力操作により、顧客データベース１１４Ａからテキストボックス５０３に入力された項目に基づいて検索を実施し、テキストボックス５０５に一覧表示させる。また、テキストボックス５０４は、選択されたセル４７６Ｂに対応する項目の所属会社名をテキスト表示可能に構成されている。さらに、テキストボックス５０６は、テキストボックス５０５から選出されたアクセス権を付与する対象を一覧表示させる。コマンドボタン５０８は、テキストボックス５０５で選択した項目をテキストボックス５０６に一覧表示させてアクセス権の対象に設定する。コマンドボタン５０９は、テキストボックス５０６で選択されアクセス権が付与されている項目についてテキストボックス５０５内に一覧表示させてアクセス権を解除する。このアクセス権の設定および更新内容は、例えばコマンドボタン５０１の入力操作にて、この図３９に示すアクセス権設定画面を閉じる処理の際に顧客データベース１１４Ａに登録および更新する。
【０１２４】
一方、図３１に示すシステム設定メニュー画面４２０のコマンドボタン４２３が入力操作されて実施される利用者の所属会社に関する工場を管理するための工場管理マスタについての工場マスタ処理として、図４０に示す工場マスタ検索一覧画面５１０が表示される。この工場マスタ検索一覧画面５１０は、あらかじめ工場管理マスタとして顧客データベース１１４Ａに格納されている工場管理マスタを検索および一覧表示させる。この工場マスタ検索一覧画面５１０には、図３２に示すユーザマスタ管理検索一覧画面４３０と同様のコマンドボタン４１２〜４１９，４３１が設けられているとともに、この工場マスタ検索一覧画面５１０を閉じて新規に工場を設定すなわち新規登録するための画面表示、例えば図４１に示す工場マスタ会社設定画面５２０を表示させるコマンドボタン５１１が設けられている。また、工場マスタ検索一覧画面５１０には、ラジオボタン５１２と、複数のテキストボックス５１３と、複数のコマンドボタン５１４，５１５と、例えばＣＳＶ形式の複数のセル５１６と、が設けられている。
【０１２５】
ラジオボタン５１２は、工場マスタにおける工場についての各種設定を実施するための工場に関する検索のための条件を設定、例えば名称で検索するか会社に関連付けられたコードで検索するかなどをサーバ入力部１１２の入力操作にて設定可能に構成されている。テキストボックス５１３は、工場管理マスタにおける関連付けられた会社名を検索するための検索項目がサーバ入力部１１２の入力操作にてテキスト入力可能に構成されている。これらテキストボックス５１３には、例えば会社名、大工場名、工場名などがテキスト入力される。そして、コマンドボタン５１４は、入力操作により、顧客データベース１１４Ａからテキストボックス５１３に入力された各項目に基づいて検索を実施し、例えばＣＳＶ形式にて複数のセル５１６に一覧表示させる。これら検索結果を表示するセル５１６には、例えば会社名とそのコード番号、大工場名とそのコード番号、工場名とそのコード番号などが一覧表示される。また、セル５１６には、サーバ入力部１１２による入力操作にて選択可能に構成され、選択する入力操作により各項目を設定あるいは編集するための画面表示、例えば図４３に示す工場マスタ大工場設定画面５３０を表示させるセル５１６Ａと、例えば図４５に示す工場マスタ工場設定画面５４０を表示させるセル５１６Ｂと、例えば図４２に示す工場マスタ会社編集画面５５０、図４４に示す工場マスタ大工場編集画面５６０あるいは図４６に示す工場マスタ工場編集画面５７０を表示させるセル５１６Ｃと、が設けられている。なお、セル５１６Ｃについては、その項目において会社名までしか設定されていない場合には図４２に示す工場マスタ会社編集画面５５０が表示され、大工場まで設定されていれば図４４に示す工場マスタ大工場編集画面５６０が表示され、工場まで設定されていれば図４６に示す工場マスタ工場編集画面５７０が表示される。なお、コマンドボタン４７４は、入力操作により、検索結果が多く一括して一覧表示できない場合に表示されない検索結果を表示させる。
【０１２６】
そして、図４０に示す工場マスタ検索一覧画面５１０のコマンドボタン５１１の入力操作により表示される図４１に示す工場マスタ会社設定画面５２０には、図４０に示す工場マスタ検索一覧画面５１０と同様のコマンドボタン４１２〜４１９，４３１が設けられているとともに、この工場マスタ会社設定画面５２０を閉じて図４０に示す工場マスタ検索一覧画面５１０を表示させるコマンドボタン５２１が設けられている。また、工場マスタ会社設定画面５２０には、複数のテキストボックス５２２，５２３と、複数のコマンドボタン５２４〜５２６と、が設けられている。
【０１２７】
テキストボックス５２２は、登録する会社に関連付ける新たなコード番号が、サーバ入力部１１２による入力操作にてテキスト入力可能に構成されている。また、テキストボックス５２３は、登録する新たな会社名が、サーバ入力部１１２による入力操作にてテキスト入力可能に構成されている。そして、コマンドボタン５２４は、入力操作により、サーバ入力部１１２にてテキストボックス５２２，５２３に入力された情報を登録、すなわち顧客データベース１１４Ａに新たに記憶させるとともに、さらに新たな会社を登録するためにテキストボックス５２２，５２３を入力前の状態にする。コマンドボタン５２５は、入力操作により、テキストボックス５２２，５２３に入力された情報を登録、すなわち顧客データベース１１４Ａに新たに記憶させるとともに、この工場マスタ会社設定画面５２０を閉じて図４０に示す工場マスタ検索一覧画面５１０を表示させる。コマンドボタン５２６は、テキストボックス５２２，５２３に入力された内容を登録することなく、入力前の状態にする。
【０１２８】
また、図４０に示す工場マスタ検索一覧画面５１０のセル５１６Ａの入力操作により表示される図４３に示す工場マスタ大工場設定画面５３０には、図４０に示す工場マスタ検索一覧画面５１０と同様のコマンドボタン４１２〜４１９，４３１，５１１が設けられているとともに、この工場マスタ大工場設定画面５３０を閉じて図４０に示す工場マスタ検索一覧画面５１０を表示させるコマンドボタン５３１が設けられている。また、工場マスタ大工場設定画面５３０には、複数のテキストボックス５３３〜５３６と、複数のコマンドボタン５３７〜５３９と、が設けられている。
【０１２９】
テキストボックス５３３には、セル５１６Ａに対応する項目における会社に関連付けられたコード番号がテキスト表示される。テキストボックス５３４には、セル５１６Ａに対応する項目における会社名がテキスト表示される。テキストボックス５３５は、新たに登録する大工場に関連付けられるコード番号が、サーバ入力部１１２による入力操作にてテキスト入力可能に構成されている。テキストボックス５３６は、新たに登録する大工場名が、サーバ入力部１１２による入力操作にてテキスト入力可能に構成されている。そして、コマンドボタン５３７は、入力操作により、サーバ入力部１１２にてテキストボックス５３５，５３６に入力された情報をテキストボックス５３３，５３４にテキスト表示される情報に関連付けて登録、すなわち顧客データベース１１４Ａに新たに記憶させるとともに、さらに新たな大工場を登録するためにテキストボックス５３５，５３６を入力前の状態にする。コマンドボタン５３８は、入力操作により、テキストボックス５３５，５３６に入力された情報をテキストボックス５３３，５３４にテキスト表示される情報に関連付けて登録、すなわち顧客データベース１１４Ａに新たに記憶させるとともに、この工場マスタ大工場設定画面５３０を閉じて図４０に示す工場マスタ検索一覧画面５１０を表示させる。コマンドボタン５３９は、テキストボックス５３５，５３６に入力された内容を登録することなく、入力前の状態にする。
【０１３０】
さらに、図４０に示す工場マスタ検索一覧画面５１０のセル５１６Ｂの入力操作により表示される図４５に示す工場マスタ工場設定画面５４０には、図４０に示す工場マスタ検索一覧画面５１０と同様のコマンドボタン４１２〜４１９，４３１，５１１が設けられているとともに、この工場マスタ工場設定画面５４０を閉じて図４０に示す工場マスタ検索一覧画面５１０を表示させるコマンドボタン５３１が設けられている。また、工場マスタ工場設定画面５４０には、複数のテキストボックス５４２〜５４４と、複数のコマンドボタン５４５〜５４７と、が設けられている。
【０１３１】
テキストボックス５４２には、セル５１６Ｂに対応する項目における例えば会社名、そのコード番号、大工場名およびそのコード番号がテキスト表示される。テキストボックス５４３には、新たに登録する工場に関連付けられるコード番号が、サーバ入力部１１２による入力操作にてテキスト入力可能に構成されている。テキストボックス５４４は、新たに登録する工場名が、サーバ入力部１１２による入力操作にてテキスト入力可能に構成されている。そして、コマンドボタン５４５は、入力操作により、サーバ入力部１１２にてテキストボックス５４３，５４４に入力された情報をテキストボックス５４２にテキスト表示される情報に関連付けて登録、すなわち顧客データベース１１４Ａに新たに記憶させるとともに、さらに新たな工場を登録するためにテキストボックス５４３，５４４を入力前の状態にする。コマンドボタン５４６は、入力操作により、テキストボックス５４３，５４４に入力された情報をテキストボックス５４２にテキスト表示される情報に関連付けて登録、すなわち顧客データベース１１４Ａに新たに記憶させるとともに、この工場マスタ工場設定画面５４０を閉じて図４０に示す工場マスタ検索一覧画面５１０を表示させる。コマンドボタン５４７は、テキストボックス５４３，５４４に入力された内容を登録することなく、入力前の状態にする。
【０１３２】
また、図４０に示す工場マスタ検索一覧画面５１０のセル５１６Ｃの入力操作により表示される図４２に示す工場マスタ会社編集画面５５０には、図４１に示す工場マスタ会社設定画面５２０と同様のコマンドボタン４１２〜４１９，４３１，５２１が設けられている。また、工場マスタ会社編集画面５５０には、複数のテキストボックス５５１，５５２と、複数のコマンドボタン５５３〜５５５と、が設けられている。
【０１３３】
テキストボックス５５１は、セル５１６Ｃに対応する項目における会社名に関連付けられたコード番号をテキスト表示する。また、テキストボックス５５２は、セル５１６Ｃに対応する項目におけるコード番号に関連付けられた会社名を、サーバ入力部１１２による入力操作にて再入力可能にテキスト表示する。そして、コマンドボタン５５３は、入力操作により、サーバ入力部１１２にてテキストボックス５５２に入力された情報を更新、すなわち顧客データベース１１４Ａに書き替えて記憶させる。さらに、コマンドボタン５５４は、テキストボックス５５２にテキスト表示された情報を削除、すなわち顧客データベース１１４Ａに記憶されている該当する情報を削除する。また、コマンドボタン５５５は、サーバ入力部１１２にてテキストボックス５５２に再入力した情報をキャンセルし、この工場マスタ会社編集画面５５０を開いた当初の状態にする。
【０１３４】
さらに、図４０に示す工場マスタ検索一覧画面５１０のセル５１６Ｃの入力操作により表示される図４４に示す工場マスタ大工場編集画面５６０には、図４３に示す工場マスタ大工場設定画面５３０と同様のコマンドボタン４１２〜４１９，４３１，５１１，５３１が設けられている。また、工場マスタ大工場編集画面５６０には、複数のテキストボックス５６１，５６２と、複数のコマンドボタン５６３〜５６５と、が設けられている。
【０１３５】
テキストボックス５６１は、セル５１６Ｃに対応する項目における例えば会社名、そのコード番号および大工場名に関連付けられたコード番号をテキスト表示する。また、テキストボックス５６２は、セル５１６Ｃに対応する項目におけるコード番号に関連付けられた大工場名を、サーバ入力部１１２による入力操作にて再入力可能にテキスト表示する。そして、コマンドボタン５６３は、入力操作にて、サーバ入力部１１２にてテキストボックス５６２に入力された情報を更新、すなわち顧客データベース１１４Ａに書き替えて記憶させる。さらに、コマンドボタン５６４は、テキストボックス５６２にテキスト表示された情報を削除、すなわち顧客データベース１１４Ａに記憶されている該当する情報を削除する。また、コマンドボタン５６５は、サーバ入力部１１２にてテキストボックス５６２に再入力した情報をキャンセルし、この工場マスタ大工場編集画面５６０を開いた当初の状態にする。
【０１３６】
また、図４０に示す工場マスタ検索一覧画面５１０のセル５１６Ｃの入力操作により表示される図４６に示す工場マスタ工場編集画面５７０には、図４５に示す工場マスタ工場設定画面５４０と同様のコマンドボタン４１２〜４１９，４３１，５１１，５４１が設けられている。さらに、工場マスタ工場編集画面５７０には、複数のテキストボックス５７１，５７２と、複数のコマンドボタン５７３〜５７５と、が設けられている。
【０１３７】
テキストボックス５７１は、セル５１６Ｃに対応する項目における例えば会社名、そのコード番号、大工場名、そのコード番号、および工場名に関連付けられたコード番号をテキスト表示する。また、テキストボックス５７２は、セル５１６Ｃに対応する項目におけるコード番号に関連付けられた工場名を、サーバ入力部１１２による入力操作にて再入力可能にテキスト表示する。そして、コマンドボタン５７３は、入力操作にて、サーバ入力部１１２にてテキストボックス５７２に入力された情報を更新、すなわち顧客データベース１１４Ａに書き替えて記憶させる。さらに、コマンドボタン５７４は、テキストボックス５７２にテキスト表示された情報を削除、すなわち顧客データベース１１４Ａに記憶されている該当する情報を削除する。また、コマンドボタン５７５は、サーバ入力部１１２にてテキストボックス５７２に再入力した情報をキャンセルし、この工場マスタ工場編集画面５７０を開いた当初の状態にする。
【０１３８】
一方、図３１に示すシステム設定メニュー画面４２０のコマンドボタン４２４が入力操作されて実施される利用者の所属会社における工場の顧客情報であるラインを管理するためのライン管理マスタについてのラインマスタ処理として、図４７に示すラインマスタ検索一覧画面５８０が表示される。このラインマスタ検索一覧画面５８０は、あらかじめライン管理マスタとして顧客データベース１１４Ａに格納されているライン管理マスタを検索および一覧表示させる。このラインマスタ検索一覧画面５８０には、図３２に示すユーザマスタ管理検索一覧画面４３０と同様のコマンドボタン４１２〜４１９，４３１が設けられているとともに、このラインマスタ検索一覧画面５８０を閉じて新たにラインを設定すなわち新規登録するための画面表示、例えば図４８に示すラインマスタ設定画面５９０を表示させるコマンドボタン５８１が設けられている。また、ラインマスタ検索一覧画面５８０には、複数のテキストボックス５８２と、複数のコマンドボタン５８３，５８４と、例えばＣＳＶ形式の複数のセル５８５と、が設けられている。
【０１３９】
テキストボックス５８２は、ライン管理マスタにおける関連付けられた会社名、大工場名、工場名およびライン名を検索するための検索項目がサーバ入力部１１２の入力操作にてテキスト入力可能に構成されている。そして、コマンドボタン５８３は、入力操作により、顧客データベース１１４Ａからテキストボックス５８２に入力された各項目に基づいて検索を実施し、例えばＣＳＶ形式にて複数のセル５８５に一覧表示させる。これら検索結果を表示するセル５８５には、例えば会社名、大工場名、工場名、ライン名が一覧表示される。また、セル５８５には、サーバ入力部１１２の入力操作にて選択可能に構成され、選択する入力操作により各項目を編集するための画面表示、例えば図５５に示すラインマスタ編集画面６００を表示させるセル５８５Ａが設けられている。なお、コマンドボタン５８４は、入力操作により、検索結果が多く一括して一覧表示できない場合に表示されない検索結果を表示させる。
【０１４０】
そして、図４７に示すラインマスタ検索一覧画面５８０のコマンドボタン５８１の入力操作により表示される図４８に示すラインマスタ設定画面５９０には、図４７に示すラインマスタ検索一覧画面５８０と同様のコマンドボタン４１２〜４１９が設けられている。また、ラインマスタ設定画面５９０には、複数のリストボックス５９１〜５９３と、テキストボックス５９４と、複数のコマンドボタン５９５〜５９７と、が設けられている。
【０１４１】
リストボックス５９１は、顧客データベース１１４Ａに記憶され既に登録されている会社名をサーバ入力部１１２の入力操作にていずれか１つを選択可能にリスト表示する。リストボックス５９２は、同様に既に登録されている大工場名を選択可能にリスト表示する。リストボックス５９３は、同様に既に登録されている工場名を選択可能にリスト表示する。テキストボックス５９４は、新たに登録するライン名がサーバ入力部１１２の入力操作にてテキスト入力可能に構成されている。そして、コマンドボタン５９５は、サーバ入力部１１２による入力操作にて、リストボックス５９１〜５９３で選択入力されテキストボックス５９４に入力された情報を１つのレコードの顧客情報として顧客データベース１１４Ａに格納すなわち記憶させるとともに、テキストボックス５９４に入力された情報を削除し、さらに登録可能に処理する。コマンドボタン５９６は、入力操作にて同様に１つのレコードの顧客情報として顧客データベース１１４Ａに記憶させるとともに、このラインマスタ設定画面５９０を閉じて、図４７に示すラインマスタ検索一覧画面５８０を表示させる。コマンドボタン５９７は、入力操作により、入力された情報を削除して入力される前の状態にする。
【０１４２】
また、図４７に示すラインマスタ検索一覧画面５８０のセル５８５Ａの入力操作にて表示される図４９に示すラインマスタ編集画面６００には、図４７に示すラインマスタ検索一覧画面５８０と同様のコマンドボタン４１２〜４１９が設けられている。また、ラインマスタ編集画面６００には、複数のリストボックス６０１〜６０３と、テキストボックス６０４と、複数のコマンドボタン６０５〜６０７と、が設けられている。
【０１４３】
リストボックス６０１は、セル５８５Ａに対応する項目における会社名を、サーバ入力部１１２による入力操作にて再選択して再入力可能にテキスト表示する。リストボックス６０２は、同様にセル５８５Ａに対応する項目における大工場名を、再選択・再入力可能にテキスト表示する。リストボックス６０３も同様に、セル５８５Ａに対応する項目における工場名を、再選択・再入力可能にテキスト表示する。テキストボックス６０４は、セル５８５Ａに対応する項目におけるライン名を、サーバ入力部１１２による入力操作にて再入力可能にテキスト表示する。そして、コマンドボタン６０５は、入力操作により、サーバ入力部１１２にてリストボックス６０１〜６０３で選択・入力された情報およびテキストボックス６０４に入力された情報を更新、すなわち顧客データベース１１４Ａに書き替えて記憶させる。さらに、コマンドボタン６０６は、リストボックス６０１〜６０３およびテキストボックス６０４にテキスト表示された情報を削除、すなわち顧客データベース１１４Ａに記憶されている該当する情報を削除する。また、コマンドボタン６０７は、サーバ入力部１１２にてテキストボックス５５２に再入力した情報をキャンセルし、このラインマスタ編集画面６００を開いた当初の状態にする。
【０１４４】
一方、図３１に示すシステム設定メニュー画面４２０のコマンドボタン４２５が入力操作されて実施される利用者の所属会社における設備を管理するための設備管理マスタについての設備マスタ処理として、図５０に示す設備マスタ検索一覧画面６１０が表示される。この設備マスタ検索一覧画面６１０は、あらかじめ設備管理マスタとして顧客データベース１１４Ａに格納されている設備管理マスタを検索および一覧表示させる。この設備マスタ検索一覧画面６１０には、図３２に示すユーザマスタ管理検索一覧画面４３０と同様のコマンドボタン４１２〜４１９，４３１が設けられているとともに、この設備マスタ検索一覧画面６１０を閉じて新規に設備を設定すなわち新規登録するための画面表示、例えば図５１に示す設備メーカ設定画面６２０を表示させるコマンドボタン６１１が設けられている。また、設備マスタ検索一覧画面６１０には、複数のテキストボックス５１２と、複数のコマンドボタン６１３，６１４と、例えばＣＳＶ形式の複数のセル６１５と、が設けられている。
【０１４５】
テキストボックス６１２は、設備管理マスタにおける保守点検対象の設備について検索するための検索項目がサーバ入力部１１２の入力操作にてテキスト入力可能に構成されている。これらテキストボックス６１２には、例えば設備の製造メーカ名、設備名、設備の機番などがテキスト入力される。そして、コマンドボタン６１３は、入力操作により、顧客データベース１１４Ａから各テキストボックス６１２に入力された各項目に基づいて検索を実施し、例えばＣＳＶ形式にて複数のセル６１５に一覧表示させる。これら検索結果を表示するセル６１５には、例えば設備メーカ名、設備名、機番などが一覧表示される。また、セル６１５には、サーバ入力部１１２による入力操作にて選択可能に構成され、選択する入力操作により各項目を設定あるいは編集するための画面表示、例えば図５３に示す設備設定画面６３０を表示させるセル６１５Ａと、例えば図５５に示す機番設定画面６４０を表示させるセル６１５Ｂと、例えば図５２に示す設備メーカ編集画面６５０、図５４に示す設備編集画面６６０あるいは図５６に示す機番編集画面６７０を表示させるセル６１５Ｃと、が設けられている。なお、セル６１５Ｃについては、その項目において設備メーカ名までしか設定されていない場合には図５２に示す設備メーカ編集画面６５０が表示させ、設備名まで設定されていれば図５４に示す設備名編集画面６６０が表示され、機番まで設定されていれば図５６に示す機番編集画面６７０が表示される。なお、コマンドボタン６１４は、入力操作により、検索結果が多く一括して一覧表示できない場合に表示されない検索結果を表示させる。
【０１４６】
そして、図５０に示す設備マスタ検索一覧画面６１０のコマンドボタン６１１の入力操作により表示させる図５１に示す設備メーカ設定画面６２０には、図５０に示す設備マスタ検索一覧画面６１０と同様のコマンドボタン４１２〜４１９，４３１が設けられているとともに、この設備メーカ設定画面６２０を閉じて図５０に示す設備マスタ検索一覧画面６１０を表示させるコマンドボタン６２１が設けられている。また、設備メーカ設定画面６２０には、テキストボックス６２２と、複数のコマンドボタン６２３〜６２５と、が設けられている。
【０１４７】
テキストボックス６２２は、新たに登録する設備の設備メーカ名が、サーバ入力部１１２による入力操作にてテキスト入力可能に構成されている。そして、コマンドボタン６２３は、入力操作により、サーバ入力部１１２にてテキストボックス６２２に入力された情報を登録、すなわち顧客データベース１１４Ａに新たに記憶させるとともに、さらに新たな設備メーカを登録するためにテキストボックス６２２を入力前の状態にする。また、コマンドボタン６２４は、入力操作により、テキストボックス６２２に入力された情報を登録、すなわち顧客データベース１１４Ａに新たに記憶させるとともに、この設備メーカ設定画面６２０を閉じて図５０に示す設備マスタ検索一覧画面６１０を表示させる。さらに、コマンドボタン６２５は、テキストボックス６２２に入力された内容を登録することなく、入力前の状態にする。
【０１４８】
また、図５０に示す設備マスタ検索一覧画面６１０のセル６１５Ａの入力操作により表示される図５３に示す設備設定画面６３０には、図５０に示す設備マスタ検索一覧画面６１０と同様のコマンドボタン４１２〜４１９，４３１，６１１が設けられているとともに、この設備設定画面６３０を閉じて図５０に示す設備マスタ検索一覧画面６１０を表示させるコマンドボタン６３１が設けられている。また、設備設定画面６３０には、複数のテキストボックス６３２，６３３と、複数のコマンドボタン６３４〜６３６と、が設けられている。
【０１４９】
テキストボックス６３２には、セル６１５Ａに対応する項目における設備メーカ名がテキスト表示される。テキストボックス６３３には、セル６１５Ａに対応する項目における設備メーカに関連付けて新たに登録する設備名が、サーバ入力部１１２による入力操作にてテキスト入力可能に構成されている。そして、コマンドボタン６３４は、入力操作により、サーバ入力部１１２にてテキストボックス６３３に入力された情報をテキストボックス６３２にテキスト表示される情報に関連付けて登録、すなわち顧客データベース１１４Ａに新たに記憶させるとともに、さらに新たな設備を登録するためにテキストボックス６３３を入力前の状態にする。コマンドボタン６３５は、入力操作により、テキストボックス６３３に入力された情報をテキストボックス６３２にテキスト表示される情報に関連付けて登録、すなわち顧客データベース１１４Ａに新たに記憶させるとともに、この設備設定画面６３０を閉じて図５０に示す設備マスタ検索一覧画面６１０を表示させる。コマンドボタン６３６は、テキストボックス６３３に入力された内容を登録することなく、入力前の状態にする。
【０１５０】
さらに、図５０に示す設備マスタ検索一覧画面６１０のセル６１５Ｂの入力操作により表示される図５５に示す機番設定画面６４０には、図５０に示す設備マスタ検索一覧画面６１０と同様のコマンドボタン４１２〜４１９，４３１，５１１が設けられているとともに、この機番設定画面６４０を閉じて図５０に示す設備マスタ検索一覧画面６１０を表示させるコマンドボタン６４１が設けられている。また、工場マスタ工場設定画面５４０には、複数のテキストボックス５４２〜５４４と、複数のコマンドボタン５４５〜５４７と、が設けられている。
【０１５１】
テキストボックス６４２には、セル６１５Ｂに対応する項目における例えば設備メーカ名および設備名がテキスト表示される。テキストボックス６４３には、セル６１５Ｂに対応する項目における設備メーカおよび設備に関連付けて新たに登録する機番が、サーバ入力部１１２による入力操作にて、テキスト入力可能に構成されている。そして、コマンドボタン６４４は、入力操作により、サーバ入力部１１２にてテキストボックス６４３に入力された情報をテキストボックス６４２にテキスト表示される情報に関連付けて登録、すなわち顧客データベース１１４Ａに新たに記憶させるとともに、さらに新たな機番を登録するためにテキストボックス６４３を入力前の状態にする。コマンドボタン６４５は、入力操作により、テキストボックス６４３に入力された情報をテキストボックス６４２にテキスト表示される情報に関連付けて登録、すなわち顧客データベース１１４Ａに新たに記憶させるとともに、この機番設定画面６４０を閉じて図５０に示す設備マスタ検索一覧画面６１０を表示させる。コマンドボタン６４６は、テキストボックス６４３に入力された内容を登録することなく、入力前の状態にする。
【０１５２】
また、図５０に示す設備マスタ検索一覧画面６１０のセル６１５Ｃの入力操作により表示される図５２に示す設備メーカ編集画面６５０には、図５１に示す設備設定画面６２０と同様のコマンドボタン４１２〜４１９，４３１，６２１が設けられている。また、設備メーカ編集画面６５０には、テキストボックス６５１と、複数のコマンドボタン５５２〜６５４と、が設けられている。
【０１５３】
テキストボックス６５１は、セル５１６Ｃに対応する項目における設備メーカ名を、サーバ入力部１１２による入力操作にて再入力可能にテキスト表示する。そして、コマンドボタン６５２は、入力操作により、サーバ入力部１１２にてテキストボックス６５１に入力された情報を更新、すなわち顧客データベース１１４Ａに書き替えて記憶させる。さらに、コマンドボタン６５３は、テキストボックス６５１にテキスト表示された情報を削除、すなわち顧客データベース１１４Ａに記憶されている該当する情報を削除する。また、コマンドボタン６５４は、サーバ入力部１１２にてテキストボックス６５１に再入力した情報をキャンセルし、この設備メーカ編集画面６５０を開いた当初の状態にする。
【０１５４】
さらに、図５０に示す工場マスタ検索一覧画面６１０のセル６１５Ｃの入力操作により表示される図５４に示す設備編集画面６６０には、図５３に示す設備メーカ設定画面６３０と同様のコマンドボタン４１２〜４１９，４３１，５１１，６３１が設けられている。また、設備編集画面６６０には、複数のテキストボックス６６１，６６２と、複数のコマンドボタン６６３〜６６５と、が設けられている。
【０１５５】
テキストボックス６６１は、セル６１５Ｃに対応する項目における例えば設備メーカ名をテキスト表示する。また、テキストボックス６６２は、セル６１５Ｃに対応する項目における設備メーカに関連付けられた設備名を、サーバ入力部１１２による入力操作にて再入力可能にテキスト表示する。そして、コマンドボタン６６３は、入力操作にて、サーバ入力部１１２にてテキストボックス６６２に入力された情報を更新、すなわち顧客データベース１１４Ａに書き替えて記憶させる。さらに、コマンドボタン６６４は、テキストボックス６６２にテキスト表示された情報を削除、すなわち顧客データベース１１４Ａに記憶されている該当する情報を削除する。また、コマンドボタン６６５は、サーバ入力部１１２にてテキストボックス６６２に再入力した情報をキャンセルし、この設備編集画面６６０を開いた当初の状態にする。
【０１５６】
また、図５０に示す設備マスタ検索一覧画面６１０のセル６１５Ｃの入力操作により表示される図５６に示す機番編集画面６７０には、図５５に示す機番設定画面６４０と同様のコマンドボタン４１２〜４１９，４３１，５１１，６４１が設けられている。さらに、機番編集画面６７０には、複数のテキストボックス６７１，６７２と、複数のコマンドボタン６７３〜６７５と、が設けられている。
【０１５７】
テキストボックス６７１は、セル６１５Ｃに対応する項目における例えば設備メーカ名および設備名をテキスト表示する。また、テキストボックス６７２は、セル５１６Ｃに対応する項目における設備メーカ名および設備名に関連付けられた機番を、サーバ入力部１１２による入力操作にて再入力可能にテキスト表示する。そして、コマンドボタン６７３は、入力操作にて、サーバ入力部１１２にてテキストボックス６７２に再入力された情報を更新、すなわち顧客データベース１１４Ａに書き替えて記憶させる。さらに、コマンドボタン６７４は、テキストボックス６７２にテキスト表示された情報を削除、すなわち顧客データベース１１４Ａに記憶されている該当する情報を削除する。また、コマンドボタン６７５は、サーバ入力部１１２にてテキストボックス６７２に再入力した情報をキャンセルし、この機番編集画面６７０を開いた当初の状態にする。
【０１５８】
一方、図３１に示すシステム設定メニュー画面４２０のコマンドボタン４２６が入力操作されて実施されるリスト情報を管理するための図示しないリスト情報処理として、所定の図示しない表示画面が表示され、この表示画面にしたがってリスト情報を処理する。
【０１５９】
上述したように、システム設定処理により、顧客情報、すなわちユーザ管理マスタ、所属会社管理マスタ、工場管理マスタ、ライン管理マスタ、設備管理マスタが設定および編集されて各データベースに格納されるとともに、リスト情報が適宜処理される。
【０１６０】
一方、サーバ装置１１０のサーバ演算部１１５の診断手段１１５Ｄは、上述したように、確認結果取得手段１１５Ｃによりサーバ送受信部１１１にてネットワーク１４０を介して入力端末装置１２０や顧客端末装置１３０から取得した確認結果情報を適宜処理し、保守点検した結果に基づいて診断をする。具体的には、図３０に示すメニュー画面４１０のコマンドボタン４１３〜４１５の入力操作にて、日常点検における確認結果情報、オイル点検における確認結果情報およびオイル補給・測定における確認結果情報のそれぞれにおいて処理する。
【０１６１】
ます、メニュー画面４１０のコマンドボタン４１３が入力操作されることにより、日常点検における確認結果情報についての診断処理として、例えば図５７に示す日常点検検索画面７１０が表示される。この図５７に示す日常点検検索画面７１０には、図３０に示すメニュー画面４１０と同様のコマンドボタン４１２〜４１９が設けられているとともに、この日常点検検索画面７１０を閉じて図３０に示すメニュー画面４１０を表示させるコマンドボタン７１１と、日常点検における確認結果情報を新たに生成して確認結果データベース１１４Ｄに格納させるための画面表示、例えば図６３に示す日常点検チェックリスト画面７６０を表示させるコマンドボタン７１２とが設けられている。なお、コマンドボタン７１２については、新規登録のためのアクセス権が付与された利用者や管理者のみが入力操作可能となっている。また、日常点検検索画面７１０には、複数のリストボックス７１３〜７１５と、複数のテキストボックス７１６と、コマンドボタン７１７，７１９と、ラジオボタン７１８と、が設けられている。
【０１６２】
リストボックス７１３は、所定の確認結果情報を検索するための検索対象となる確認結果情報の生成した日時すなわち点検日を、サーバ入力部１１２による入力操作にていずれか１つを選択入力可能にリスト表示する。また、リストボックス７１４は、確認結果情報を検索する範囲すなわち集計期間を設定するための日時を、サーバ入力部１１２による入力操作にていずれか１つを選択入力可能にリスト表示する。さらに、リストボックス７１５は、所定の確認結果情報を検索するための例えば会社名、大工場名および工場名を、サーバ入力部１１２による入力操作にてそれぞれいずれか１つを選択入力可能にリスト表示する。これらリストボックス７１５は、顧客データベース１１４Ａに格納された顧客情報に基づいて会社名、大工場名および工場名をリスト表示する。さらに、テキストボックス７１６は、所定の確認結果情報を検索するための検索項目がサーバ入力部１１２による入力操作にてテキスト入力可能に構成されている。これらテキストボックス７１６には、例えばライン名、機番、設備名、オイルが利用される潤滑箇所、オイルの名称、オイルのメーカ、オイルを貯留するタンクの容量などがテキスト入力される。なお、例えば機番がテキスト入力されたるテキストボックス７１６には、機番をテキスト入力するために機番について検索を実施するための画面表示、例えば図５８に示すような設備検索画面７２０を表示させるコマンドボタン７１７が隣接して設けられている。また、ラジオボタン７１８は、サーバ入力部１１２による入力操作にて、検索する条件を設定する。例えば、点検日、設備名あるいは評点のいずれかに基づいて日常点検における確認結果情報を一覧表示させるかを設定する。そして、コマンドボタン７１９は、入力操作により、確認結果取得手段１１５Ｃにて各検索項目に基づいて検索条件に従って日常点検における確認結果情報を確認結果データベース１１４Ｄから検索して一覧表示、例えば図５９に示すようなウエッブブラウザによる画面表示で表示される点検日指定での日常点検検索結果画面７３０、あるいは図６０に示すような設備名指定での日常点検検索結果画面７４０、または図６１に示すような評定すなわち確認結果を集計した日常点検結果集計画面７５０を表示させる。
【０１６３】
なお、この図５７に示す日常点検検索画面７１０のコマンドボタン７１５が入力操作されて表示される例えば図５８に示す設備検索画面７２０には、複数のテキストボックス７２１と、複数のコマンドボタン７２２，７２３と、例えばＣＳＶ形式で複数表示するセル７２４と、が設けられている。テキストボックス７２１は、検索項目を設定するために設備に関して検索する検索項目、例えば設備メーカ名、設備名および機番が、サーバ入力部１１２による入力操作にてそれぞれテキスト表示可能に構成されている。そして、コマンドボタン７２２は、入力操作により、テキストボックス７２１に入力された情報に基づいて、顧客データベース１１４Ａを検索し、例えばＣＳＶ形式にて複数のセル７２４で一覧表示させる。なお、コマンドボタン７２３は、検索結果の数を多く一括して一覧表示できない場合に、入力操作により他の検索結果を一覧表示させる。
【０１６４】
そして、図５７に示す日常点検検索画面７１０のラジオボタン７１８が点検日指定の条件にチェックされた状態でコマンドボタン７１９が入力操作されて表示される例えば図５９に示す日常点検検索結果画面７３０には、図５７に示す日常点検検索画面７１０と同様のコマンドボタン４１２〜４１９，７１２が設けられているとともに、この日常点検検索結果画面７３０を閉じて図５７に示す日常点検検索画面７１０を表示させるコマンドボタン７３１が設けられている。また、日常点検検索結果画面７３０には、検索条件すなわち指定した点検日をテキスト表示するテキストボックス７３２と、所定の点検日で確認結果情報を例えばＣＳＶ形式にて一覧表示させる複数のセル７３３と、が設けられている。
【０１６５】
この検索結果を表示するセル７３３には、例えば会社名、大工場名、工場名、ライン名、機番、設備名、潤滑箇所、オイル名、タンク容量、ＨＦＩ、各日常点検項目などが一覧表示される。また、セル７３３には、サーバ入力部１２２の入力操作にて選択可能で、選択されることによりその項目に関して編集するための画面表示、例えば図６４に示すような日常点検結果編集画面７７０を表示させる各項目番号であるセル７３３Ａが設けられている。なお、タンク容量に対する年間での補充したオイル量を示す結果情報であるＨＩＦ（Hydraulic Fluid Index）を表示するセル７３３は、その数値によって背景色が適宜設定される。具体的には、経験則上良好と判断される１．０以下では背景色が白色、経験則上異常と判断される１．１〜１．４では背景色が黄色、経験則上緊急を要する異常と判断される１．５以上では背景色が赤色で表示させる。なお、図５９は、説明の都合上、異なる背景模様で示す。また、日常点検検索結果画面７３０には、検索結果の確認結果情報が多く一括で一覧表示できない場合に他の確認結果情報を一覧表示させるためのコマンドボタン７３４と、検索した確認結果情報を例えばサーバ装置１１０に接続された印刷装置などにてＣＳＶ形式で印刷出力させたり、サーバ装置１１０に接続された外部記録メディアに記録させたりするためのコマンドボタン７３５と、が設けられている。さらに、日常点検検索結果画面７３０には、日常点検の点検項目をテキスト表示する複数の領域７３６が設けられている。これら領域７３６は、例えばサーバ入力部１１２の入力操作にて図示しないカーソルを合わせると、その点検項目に対して実施した確認結果情報の評点がポップアップ表示される。
【０１６６】
また、図５７に示す日常点検検索画面７１０のラジオボタン７１８が設備名指定の条件にチェックされた状態でコマンドボタン７１９が入力操作されて表示される例えば図６０に示す日常点検検索結果画面７４０には、図５７に示す日常点検検索画面７１０と同様のコマンドボタン４１２〜４１９，７１２が設けられているとともに、この日常点検検索結果画面７４０を閉じて図５７に示す日常点検検索画面７１０を表示させるコマンドボタン７４１が設けられている。また、日常点検検索結果画面７４０には、検索条件すなわち指定した保守点検対象の設備名に関連する各項目をテキスト表示するテキストボックス７４２と、所定の設備で確認結果情報を例えばＣＳＶ形式にて一覧表示させる複数のセル７４３と、が設けられている。これら検索結果を表示するセル７４３は、例えば点検日、潤滑箇所、日常点検項目に対応して確認結果情報の評点およびその合計などが一覧表示される。そして、セル７４３には、サーバ入力部１２２の入力操作にて選択可能で、選択されることによりその項目に関して編集するための画面表示、例えば図６４に示すような日常点検結果編集画面７７０を表示させる各点検日についてのセル７４３Ａが設けられている。さらに、日常点検検索結果画面７４０には、図５９に示す日常点検検索結果画面７３０と同様のコマンドボタン７３５および複数の領域７３６が設けられている。
【０１６７】
さらに、図５７に示す日常点検検索画面７１０のラジオボタン７１８が評定指定の条件にチェックされた状態でコマンドボタン７１９が入力操作されて表示される例えば図６１に示す日常点検結果集計画面７５０には、図５７に示す日常点検検索画面７１０と同様のコマンドボタン４１２〜４１９，７１２が設けられているとともに、この日常点検結果集計画面７５０を閉じて図５７に示す日常点検検索画面７１０を表示させるコマンドボタン７５１、検索結果をグラフ表示、例えば図６２に示すような日常点検結果グラフ表示画面７８０を表示させるコマンドボタン７５２などが設けられている。そして、日常点検結果集計画面７５０には、集計した期間をテキスト表示するテキストボックス７５３と、複数例えば２つの表示領域７５４，７５５と、が設けられている。そして、一方の表示領域７５４は、集計した確認結果情報を例えばＣＳＶ形式にて複数のセル７５４Ａにて一覧表示する。この検索結果を表示するセル７５４Ａには、例えば会社名、大工場名、工場名、ライン名、機番、設備名、潤滑箇所、オイル名、タンク容量、ＨＦＩなどが一覧表示される。なお、ＨＦＩを表示するセル７５４Ａは、図５９に示す日常点検結果画面７３０のセル７３３と同様に数値に対応して所定の背景色で表示される。さらに、表示領域７５４には、図５９に示す日常点検結果画面７３０と同様のコマンドボタン７３４，７３５が設けられている。また、他方の表示領域７５５には、表示領域７５４の各項目に対応して例えば点検日毎に確認結果情報の各項目番号、すなわち図５９に示す日常点検結果画面７３０のセル７３３Ａの項目番号に対応し、サーバ入力部１２２の入力操作にて選択可能で、選択されることによりその項目に関して編集するための画面表示、例えば図６４に示すような日常点検結果編集画面７７０を表示させるセル７５５Ａが設けられている。
【０１６８】
なお、この図６１に示す日常点検結果集計画面７５０のコマンドボタン７５２の入力操作にて表示される図６２に示す日常点検結果グラフ表示画面７８０には、表示領域７５４に一覧表示される項目数に対応して点検日毎に評点をグラフ表示する領域７８１と、各グラフの項目内容を説明する領域７８２と、この領域の表示の有無を設定するチェックボックス７８３と、検索結果の全てを領域に表示させるコマンドボタン７８４と、が設けられている。この日常点検結果グラフ表示画面７８０は、別途設けられた図示しないコマンドボタンにより閉じる。
【０１６９】
そして、図５９に示す日常点検結果画面７３０などに設けられたコマンドボタン７１２の入力操作にて表示される図６３に示す日常点検チェックリスト画面７６０は、サーバ装置１１０や顧客端末装置１３０からも入力端末装置１２０と同様に日常点検による確認結果を入力するためのチェックリストで、チェックリストデータベース１１４Ｃから適宜読み出される。そして、この日常点検チェックリスト画面７６０には、図５９に示す日常点検結果画面７３０と同様のコマンドボタン４１２〜４１９が設けられているとともに、複数のリストボックス７６１Ａ〜７６１Ｅと、複数のテキストボックス７６２Ａ〜７６２Ｃと、複数のコマンドボタン７６３〜７６５と、が設けられている。
【０１７０】
リストボックス７６１Ａは、図１９に示す診断メニュー画面３００のリストボックス３０２に対応し、点検日を入力するための日付をサーバ入力部１１２の入力操作にて選択可能にリスト表示する。リストボックス７６１Ｂは、図１５に示す工場選択画面２５０のテキストボックス２５１に対応し、会社名、大工場名、工場名、機番をサーバ入力部１１２の入力操作にて選択可能にリスト表示する。リストボックス７６１Ｃは、図１７に示す設備選択画面２７０のテキストボックス２７１に対応し、機番を選択可能にリスト表示する。リストボックス７６１Ｄは、図１８に示す潤滑箇所選択画面２８０のテキストボックス２８１に対応し、潤滑箇所をサーバ入力部１１２の入力操作にて選択可能にリスト表示する。これら入力する会社名、大工場名、工場名、機番、潤滑箇所は、顧客データベース１１４Ａに登録された顧客情報に基づいてリスト表示される。また、リストボックス７６１Ｅは、図２０に示すネームプレート確認結果入力画面３１０や図２１に示す清掃状況結果入力画面３２０などの確認結果を入力する画面表示に対応し、日常点検における確認結果をサーバ入力部１１２の入力操作にて選択可能にリスト表示する。
【０１７１】
テキストボックス７６２Ａは、図１６に示すライン選択画面２６０のテキストボックス２６１に対応し、サーバ入力部１１２による入力操作にてライン名をテキスト入力可能に構成されている。テキストボックス７６２Ｂは、図１７に示す設備選択画面２７０のテキストボックス２７１に対応し、サーバ入力部１１２による入力操作にて設備名をテキスト入力可能に構成されている。テキストボックス７６２Ｃは、サーバ入力部１１２による入力操作にて、設備メーカ、オイル名、タンク容量がそれぞれテキスト入力可能に構成されている。
【０１７２】
そして、コマンドボタン７６３は、入力操作により、リストボックス７６１Ａ〜７６１Ｅおよびテキストボックス７６２Ａ〜７６２Ｃに入力された確認結果情報を１つのレコードとしての確認結果情報として確認結果データベース１１４Ｄに記憶させるとともに、さらに他の確認結果情報を登録するためにリストボックス７６１Ａ〜７６１Ｅおよびテキストボックス７６２Ａ〜７６２Ｃを入力前の状態にする。コマンドボタン７６４は、入力操作により、サーバ入力部１１２にてリストボックス７６１Ａ〜７６１Ｅおよびテキストボックス７６２Ａ〜７６２Ｃに入力された確認結果情報を１つのレコードとしての確認結果情報として確認結果データベース１１４Ｄに記憶させるとともに、この日常点検チェックリスト画面７６０を閉じて図５７に示す日常点検検索画面７１０を表示させる。コマンドボタン７６５は、リストボックス７６１Ａ〜７６１Ｅおよびテキストボックス７６２Ａ〜７６２Ｃに入力された内容を登録することなく、入力前の状態にする。
【０１７３】
また、図５９に示す日常点検結果画面７３０のセル７３３Ａなどの項目番号が入力操作されて表示される図６４に示す日常点検結果編集画面７７０は、図２２に示す日常点検入力状況確認画面３３０および図２３に示す確認結果修正画面３４０に対応し、確認結果データベース１１４Ｄに既に登録された確認結果情報を編集する画面表示である。この日常点検結果編集画面７７０は、図５７に示す日常点検結果画面７３０と同様のコマンドボタン４１２〜４１９が設けられているとともに、複数のテキストボックス７７１と、複数のリストボックス７７２と、複数のコマンドボタン７７３〜７７５と、が設けられている。
【０１７４】
テキストボックス７７１には、セル７３３Ａなどの項目番号に対応する項目、すなわち、点検日、会社名、大工場名、工場名、ライン名、機番、設備名、潤滑箇所、オイル名、オイルの製造メーカ、タンク容量がそれぞれテキスト表示される。リストボックス７７２は、サーバ入力部１１２による入力操作にて再選択・再入力可能に、セル７３３Ａなどの項目番号に対応する項目がそれぞれテキスト表示される。そして、コマンドボタン７７３は、入力操作にてリストボックス７７２にテキスト表示される確認結果情報をテキストボックス７７１の項目に関連付けて１つのレコードとしての確認結果情報として更新、すなわち確認結果データベース１１４Ｄの確認結果情報を書き替え処理する。また、コマンドボタン７７４は、入力操作にて、テキストボックス７７１の項目に関連付けられたリストボックス７７２にテキスト表示される確認結果情報を、確認結果データベース１１４Ｄから削除する。さらに、コマンドボタン７７５は、入力操作によりサーバ入力部１１２による入力前の状態にする。
【０１７５】
また、メニュー画面４１０のコマンドボタン４１４が入力操作されることにより、オイル点検における確認結果情報についての診断処理として、例えば図１０に示すオイル点検検索画面７９０が表示される。この図６５に示すオイル点検検索画面７９０には、図３０に示すメニュー画面４１０と同様のコマンドボタン４１２〜４１９が設けられているとともに、このオイル点検検索画面７９０を閉じて図３０に示すメニュー画面４１０を表示させるコマンドボタン７９１と、オイル点検における確認結果情報を新たに生成して確認結果データベース１１４Ｄに格納させるための画面表示、例えば図６９に示すオイル点検チェックリスト画面８００を表示させるコマンドボタン７９２とが設けられている。なお、コマンドボタン７９２については、図５７に示す日常点検検索画面７１０と同様に新規登録のためのアクセス権が付与された利用者や管理者のみが入力操作可能となっている。また、オイル点検検索画面７９０には、図５７に示す日常点検検索画面７１０と同様の複数のリストボックス７１３〜７１５、複数のテキストボックス７１６および図５８に示す設備検索画面７２０を表示させるコマンドボタン７１７が設けられているとともに、ラジオボタン７９３およびコマンドボタン７９４が設けられている。
【０１７６】
ラジオボタン７９３は、サーバ入力部１１２による入力操作にて、検索する条件を設定する。例えば、点検日、設備名あるいは評点のいずれかに基づいてオイル点検における確認結果情報を一覧表示させるかを設定する。そして、コマンドボタン７９４は、入力操作により、確認結果取得手段１１５Ｃにて各検索項目に基づいて検索条件に従ってオイル点検における確認結果情報を確認結果データベース１１４Ｄから検索して一覧表示、例えば図６６に示すようなウエッブブラウザによる画面表示で表示される点検日指定でのオイル点検検索結果画面８１０、あるいは図６７に示すような設備名指定でのオイル点検検索結果画面８２０、または図６８に示すような評定すなわち確認結果を集計したオイル点検結果集計画面８３０を表示させる。
【０１７７】
そして、図６５に示すオイル点検検索画面７９０のラジオボタン７９３が点検日指定の条件にチェックされた状態でコマンドボタン７９４が入力操作されて表示される例えば図６６に示すオイル点検検索結果画面８１０には、図６５に示すオイル点検検索画面７９０と同様のコマンドボタン４１２〜４１９，７９２が設けられているとともに、このオイル点検検索結果画面８１０を閉じて図６５に示すオイル点検検索画面７９０を表示させるコマンドボタン８１１が設けられている。また、オイル点検検索結果画面８１０には、検索条件すなわち指定した点検日をテキスト表示するテキストボックス８１２と、所定の点検日で確認結果情報を例えばＣＳＶ形式にて一覧表示させる複数のセル８１３と、が設けられている。
【０１７８】
この検索結果を表示するセル８１３には、例えば会社名、大工場名、工場名、ライン名、機番、設備名、潤滑箇所、オイル名、オイルの製造メーカ、タンク容量、各オイル点検項目などが一覧表示される。また、セル８１３には、サーバ入力部１１２の入力操作にて選択可能で、選択されることによりその項目に関して編集するための画面表示、例えば図７０に示すようなオイル点検結果編集画面８４０を表示させる各項目番号であるセル８１３Ａが設けられている。さらに、オイル点検検索結果画面８１０には、検索結果の確認結果情報が多く一括で一覧表示できない場合に他の確認結果情報を一覧表示させるためのコマンドボタン８１４と、検索した確認結果情報を例えばサーバ装置１１０に接続された印刷装置などにてＣＳＶ形式で印刷出力させたり、サーバ装置１１０に接続された外部記録メディアに記録させたりするためのコマンドボタン８１５と、が設けられている。また、オイル点検検索結果画面８１０には、オイル点検の点検項目をテキスト表示する複数の領域８１６が設けられている。これら領域８１６は、図５９に示す日常点検検索結果画面７３０の領域７３６と同様に、例えばサーバ入力部１１２の入力操作にて図示しないカーソルを合わせると、その点検項目に対して実施した確認結果情報の評点がポップアップ表示される。
【０１７９】
また、図６５に示すオイル点検検索画面７９０のラジオボタン７９３が設備名指定の条件にチェックされた状態でコマンドボタン７９４が入力操作されて表示される例えば図６７に示すオイル点検検索結果画面８２０には、図６５に示すオイル点検検索画面７９０とコマンドボタン４１２〜４１９，７９２が設けられているとともに、このオイル点検検索結果画面８２０を閉じて図６５に示す日常点検検索画面７９０を表示させるコマンドボタン８２１が設けられている。また、オイル点検検索結果画面８２０には、検索条件すなわち指定した保守点検対象の設備名に関連する各項目をテキスト表示するテキストボックス８２２と、所定の設備で確認結果情報を例えばＣＳＶ形式にて一覧表示させる複数のセル８２３と、が設けられている。これら検索結果を表示するセル８２３は、例えば点検日、潤滑箇所、オイル点検項目に対応して確認結果情報の評点およびその合計などが一覧表示される。そして、セル８２３には、サーバ入力部１２２の入力操作にて選択可能で、選択されることによりその項目に関して編集するための画面表示、例えば図７０に示すようなオイル点検結果編集画面８４０を表示させる各点検日についてのセル８２３Ａが設けられている。さらに、オイル点検検索結果画面８２０には、図６６に示すオイル点検検索結果画面８１０と同様のコマンドボタン８１５および複数の領域８１６が設けられている。
【０１８０】
さらに、図６５に示すオイル点検検索画面７９０のラジオボタン７９３が評定指定の条件にチェックされた状態でコマンドボタン７９４が入力操作されて表示される例えば図６８に示すオイル点検結果集計画面８３０には、図６５に示すオイル点検検索画面７９０と同様のコマンドボタン４１２〜４１９，７９２が設けられているとともに、このオイル点検結果集計画面８３０を閉じて図６５に示すオイル点検検索画面７９０を表示させるコマンドボタン８３１、検索結果をグラフ表示、例えば図７１に示すようなオイル点検結果グラフ表示画面８５０を表示させるコマンドボタン８３２などが設けられている。そして、オイル点検結果集計画面８３０には、集計した期間をテキスト表示するテキストボックス８３３と、複数例えば２つの表示領域８３４，８３５と、が設けられている。そして、一方の表示領域８３４は、集計した確認結果情報を例えばＣＳＶ形式にて複数のセル８３４Ａにて一覧表示する。この検索結果を表示するセル８３４Ａには、例えば会社名、大工場名、工場名、ライン名、機番、設備名、潤滑箇所、オイル名、タンク容量、ＨＦＩなどが一覧表示される。なお、ＨＦＩを表示するセル８３４Ａは、図５９に示す日常点検結果画面７３０のセル７３３と同様に数値に対応して所定の背景色で表示される。さらに、表示領域８３４には、図６６に示すオイル点検結果画面８１０と同様のコマンドボタン８１４，８１５が設けられている。また、他方の表示領域８３５には、表示領域８３４の各項目に対応して例えば点検日毎に確認結果情報の各項目番号、すなわち図６５に示す日常点検結果画面８１０のセル８１３Ａの項目番号に対応し、サーバ入力部１２２の入力操作にて選択可能で、選択されることによりその項目に関して編集するための画面表示、例えば図７０に示すようなオイル点検結果編集画面８４０を表示させるセル８３５Ａが設けられている。
【０１８１】
なお、この図６８に示すオイル点検結果集計画面８３０のコマンドボタン８３２の入力操作にて表示される図７１に示すオイル点検結果グラフ表示画面８５０には、表示領域８３４に一覧表示される項目数に対応して点検日毎に評点をグラフ表示する領域８５１と、各グラフの項目内容を説明する領域８５２と、この領域の表示の有無を設定するチェックボックス８５３と、検索結果の全てを領域に表示させるコマンドボタン８５４と、が設けられている。このオイル点検結果グラフ表示画面８５０は、別途設けられた図示しないコマンドボタンにより閉じる。
【０１８２】
そして、図６６に示すオイル点検結果画面８１０などに設けられたコマンドボタン７９２の入力操作にて表示される図６９に示すオイル点検チェックリスト画面８００は、サーバ装置１１０や顧客端末装置１３０からも入力端末装置１２０と同様にオイル点検による確認結果を入力するためのチェックリストで、チェックリストデータベース１１４Ｃから適宜読み出される。そして、このオイル点検チェックリスト画面８００には、図６６に示すオイル点検結果画面８１０と同様のコマンドボタン４１２〜４１９が設けられているとともに、複数のリストボックス８０１Ａ〜８０１Ｅと、複数のテキストボックス８０２Ａ〜８０２Ｃと、複数のコマンドボタン８０３〜８０５と、が設けられている。
【０１８３】
リストボックス８０１Ａは、図１９に示す診断メニュー画面３００のリストボックス３０２に対応し、点検日を入力するための日付をサーバ入力部１１２の入力操作にて選択可能にリスト表示する。リストボックス８０１Ｂは、図１５に示す工場選択画面２５０のテキストボックス２５１に対応し、会社名、大工場名、工場名、機番をサーバ入力部１１２の入力操作にて選択可能にリスト表示する。リストボックス８０１Ｃは、図１７に示す設備選択画面２７０のテキストボックス２７１に対応し、機番を選択可能にリスト表示する。リストボックス８０１Ｄは、図１８に示す潤滑箇所選択画面２８０のテキストボックス２８１に対応し、潤滑箇所をサーバ入力部１１２の入力操作にて選択可能にリスト表示する。これら入力する会社名、大工場名、工場名、機番、潤滑箇所は、顧客データベース１１４Ａに登録された顧客情報に基づいてリスト表示される。また、リストボックス８０１Ｅは、図２４に示す変色結果入力画面３５０や図２５に示すオイル温度入力画面３６０などの確認結果を入力する画面表示に対応し、オイル点検における確認結果をサーバ入力部１１２の入力操作にて選択可能にリスト表示する。
【０１８４】
テキストボックス８０２Ａは、図１６に示すライン選択画面２６０のテキストボックス２６１に対応し、サーバ入力部１１２による入力操作にてライン名をテキスト入力可能に構成されている。テキストボックス８０２Ｂは、図１７に示す設備選択画面２７０のテキストボックス２７１に対応し、サーバ入力部１１２による入力操作にて設備名をテキスト入力可能に構成されている。テキストボックス８０２Ｃは、サーバ入力部１１２による入力操作にて、設備メーカ、オイル名、タンク容量がそれぞれテキスト入力可能に構成されている。
【０１８５】
そして、コマンドボタン８０３は、入力操作により、リストボックス８０１Ａ〜８０１Ｅおよびテキストボックス８０２Ａ〜８０２Ｃに入力された確認結果情報を１つのレコードとしての確認結果情報として確認結果データベース１１４Ｄに記憶させるとともに、さらに他の確認結果情報を登録するためにリストボックス８０１Ａ〜８０１Ｅおよびテキストボックス８０２Ａ〜８０２Ｃを入力前の状態にする。コマンドボタン８０４は、入力操作により、サーバ入力部１１２にてリストボックス８０１Ａ〜８０１Ｅおよびテキストボックス８０２Ａ〜８０２Ｃに入力された確認結果情報を１つのレコードとしての確認結果情報として確認結果データベース１１４Ｄに記憶させるとともに、このオイル点検チェックリスト画面８００を閉じて図６５に示すオイル点検検索画面７９０を表示させる。コマンドボタン８０５は、リストボックス８０１Ａ〜８０１Ｅおよびテキストボックス８０２Ａ〜８０２Ｃに入力された内容を登録することなく、入力前の状態にする。
【０１８６】
また、図６６に示すオイル点検結果画面８１０のセル８１３Ａなどの項目番号が入力操作されて表示される図７０に示すオイル点検結果編集画面８４０は、図２６に示すオイル点検入力状況確認画面３７０に対応し、確認結果データベース１１４Ｄに既に登録された確認結果情報を編集する画面表示である。このオイル点検結果編集画面８４０は、図６６に示すオイル点検結果画面８１０と同様のコマンドボタン４１２〜４１９が設けられているとともに、複数のテキストボックス８４１と、複数のリストボックス８４２と、複数のコマンドボタン８４３〜８４５と、が設けられている。
【０１８７】
テキストボックス８４１には、セル８１３Ａなどの項目番号に対応する項目、すなわち、点検日、会社名、大工場名、工場名、ライン名、機番、設備名、潤滑箇所、オイル名、オイルの製造メーカ、タンク容量がそれぞれテキスト表示される。リストボックス８４２は、サーバ入力部１１２による入力操作にて再選択・再入力可能に、セル８１３Ａなどの項目番号に対応する項目がそれぞれテキスト表示される。そして、コマンドボタン８１３は、入力操作にてリストボックス８４２にテキスト表示される確認結果情報をテキストボックス８４１の項目に関連付けて１つのレコードとしての確認結果情報として更新、すなわち確認結果データベース１１４Ｄの確認結果情報を書き替え処理する。また、コマンドボタン８４４は、入力操作にて、テキストボックス８４１の項目に関連付けられたリストボックス８４２にテキスト表示される確認結果情報を、確認結果データベース１１４Ｄから削除する。さらに、コマンドボタン８４５は、入力操作によりサーバ入力部１１２による入力前の状態にする。
【０１８８】
また、メニュー画面４１０のコマンドボタン４１５が入力操作されることにより、オイル補給・測定における確認結果情報についての診断処理として、例えば図７２に示すオイル補給・測定検索画面８６０が表示される。この図７２に示すオイル補給・測定検索画面８６０には、図３０に示すメニュー画面４１０と同様のコマンドボタン４１２〜４１９が設けられているとともに、このオイル補給・測定検索画面８６０を閉じて図３０に示すメニュー画面４１０を表示させるコマンドボタン８６１と、オイル補給・測定点検における確認結果情報を新たに生成して確認結果データベース１１４Ｄに格納させるための画面表示、例えば図７４に示すオイル補給チェックリスト画面８７０を表示させるコマンドボタン８６２とが設けられている。なお、コマンドボタン８６２については、図５７に示す日常点検検索画面７１０と同様に新規登録のためのアクセス権が付与された利用者や管理者のみが入力操作可能となっている。また、オイル補給・測定検索画面８６０には、図５７に示す日常点検検索画面７１０と同様の複数のリストボックス７１４，７１５、複数のテキストボックス７１６および図５８に示す設備検索画面７２０を表示させるコマンドボタン７１７が設けられているとともに、コマンドボタン８６３が設けられている。そして、コマンドボタン８６３は、入力操作により、確認結果取得手段１１５Ｃにて各検索項目に基づいて検索条件に従ってオイル補給における確認結果情報を確認結果データベース１１４Ｄから検索して一覧表示、例えば図７３に示すようなウエッブブラウザによる画面表示で表示されるオイル補給検索結果画面８８０を表示させる。
【０１８９】
そして、この図７３に示すオイル補給検索結果画面８８０には、図７２に示すオイル補給・測定検索画面８６０と同様のコマンドボタン４１２〜４１９，８６２が設けられている。さらに、オイル補給検索結果画面８８０には、このオイル補給検索結果画面８８０を閉じて図７２に示すオイル補給・測定検索画面８６０を表示させるコマンドボタン８８１が設けられているとともにオイル補給・測定点検における各確認結果情報を一覧表示させる、例えば図２７に示すオイル補給・測定入力状況確認画面３８０に対応して複数のコマンドボタン８８２〜８８５が設けられている。具体的には、オイル補給・測定点検におけるオイルの水分量を測定した確認結果に関する確認結果情報を一覧表示させる例えば図７６に示すような水分量検索結果画面８９０Ａを表示させるコマンドボタン８８２、オイル補給・測定点検におけるオイルの全酸価を測定した確認結果に関する確認結果情報を一覧表示させる例えば図７７に示すような全酸価検索結果画面８９０Ｂを表示させるコマンドボタン８８３、オイル補給・測定点検におけるオイルのスラッジ量を測定した確認結果に関する確認結果情報を一覧表示させる例えば図７８に示すようなスラッジ量検索結果画面８９０Ｃを表示させるコマンドボタン８８４、オイル補給・測定点検におけるオイルの鉄粉濃度を測定した確認結果に関する確認結果情報を一覧表示させる例えば図７９に示すような鉄粉濃度検索結果画面８９０Ｄを表示させるコマンドボタン８８５などが設けられている。
【０１９０】
また、オイル補給検索結果画面８８０には、検索した確認結果情報の期間である集計した期間をテキスト表示するテキストボックス８８６と、複数例えば２つの表示領域８８７，８８８と、が設けられている。そして、一方の表示領域８８７は、集計した確認結果情報を例えばＣＳＶ形式にて複数のセル８８７Ａにて一覧表示する。この検索結果を表示するセル８８７Ａには、例えば会社名、大工場名、工場名、ライン名、機番、設備名、潤滑箇所、オイル名、タンク容量、オイルの補給量などが一覧表示される。さらに、表示領域８８７には、検索結果の確認結果情報が多く一括で一覧表示できない場合に他の確認結果情報を一覧表示させるためのコマンドボタン８８７Ｂと、検索した確認結果情報を例えばサーバ装置１１０に接続された印刷装置などにてＣＳＶ形式で印刷出力させたり、サーバ装置１１０に接続された外部記録メディアに記録させたりするためのコマンドボタン８８７Ｃと、が設けられている。また、他方の表示領域８８８には、表示領域８８７の各項目に対応して例えば点検日毎に確認結果情報の各項目番号、すなわち図６６に示す日常点検結果画面８１０のセル８１３Ａの項目番号に対応し、サーバ入力部１２２の入力操作にて選択可能で、選択されることによりその項目に関して編集するための画面表示、例えば図７４に示すようなオイル補給結果編集画面９００を表示させるセル８８８Ａが設けられている。
【０１９１】
そして、図７２に示すオイル補給・測定検索画面８６０などに設けられたコマンドボタン８６０の入力操作にて表示される図７４に示すオイル補給チェックリスト画面８７０は、サーバ装置１１０や顧客端末装置１３０からも入力端末装置１２０と同様にオイル補給・測定点検による確認結果であるオイルの補給量を入力するためのチェックリストで、チェックリストデータベース１１４Ｃから適宜読み出される。そして、このオイル補給チェックリスト画面８７０には、図７３に示すオイル補給検索結果画面と同様のコマンドボタン４１２〜４１９が設けられているとともに、複数のリストボックス８７１Ａ〜８７１Ｄと、複数のテキストボックス８７２Ａ〜８７２Ｄと、複数のコマンドボタン８７３〜８７５と、が設けられている。
【０１９２】
リストボックス８７１Ａは、図１９に示す診断メニュー画面３００のリストボックス３０２に対応し、点検日を入力するための日付をサーバ入力部１１２の入力操作にて選択可能にリスト表示する。リストボックス８７１Ｂは、図１５に示す工場選択画面２５０のテキストボックス２５１に対応し、会社名、大工場名、工場名、機番をサーバ入力部１１２の入力操作にて選択可能にリスト表示する。リストボックス８７１Ｃは、図１７に示す設備選択画面２７０のテキストボックス２７１に対応し、機番を選択可能にリスト表示する。リストボックス８７１Ｄは、図１８に示す潤滑箇所選択画面２８０のテキストボックス２８１に対応し、潤滑箇所をサーバ入力部１１２の入力操作にて選択可能にリスト表示する。これら入力する会社名、大工場名、工場名、機番、潤滑箇所は、顧客データベース１１４Ａに登録された顧客情報に基づいてリスト表示される。
【０１９３】
テキストボックス８７２Ａは、図１６に示すライン選択画面２６０のテキストボックス２６１に対応し、サーバ入力部１１２による入力操作にてライン名をテキスト入力可能に構成されている。テキストボックス８７２Ｂは、図１７に示す設備選択画面２７０のテキストボックス２７１に対応し、サーバ入力部１１２による入力操作にて設備名をテキスト入力可能に構成されている。テキストボックス８７２Ｃは、サーバ入力部１１２による入力操作にて、設備メーカ、オイル名、タンク容量がそれぞれテキスト入力可能に構成されている。テキストボックス８７２Ｄは、図２８に示すオイル補給量入力画面３９０に対応し、サーバ入力部１１２による入力操作にて、補給したオイルの量がテキスト入力可能に構成されている。
【０１９４】
そして、コマンドボタン８７３は、入力操作により、リストボックス８７１Ａ〜８７１Ｄおよびテキストボックス８７２Ａ〜８７２Ｄに入力された確認結果情報を１つのレコードとしての確認結果情報として確認結果データベース１１４Ｄに記憶させるとともに、さらに他の確認結果情報を登録するためにリストボックス８７１Ａ〜８７１Ｄおよびテキストボックス８７２Ａ〜８７２Ｄを入力前の状態にする。コマンドボタン８７４は、入力操作により、サーバ入力部１１２にてリストボックス８７１Ａ〜８７１Ｄおよびテキストボックス８７２Ａ〜８７２Ｄに入力された確認結果情報を１つのレコードとしての確認結果情報として確認結果データベース１１４Ｄに記憶させるとともに、このオイル補給チェックリスト画面８７０を閉じて図７２に示すオイル補給・測定検索画面８６０を表示させる。コマンドボタン８７５は、リストボックス８７１Ａ〜８７１Ｄおよびテキストボックス８７２Ａ〜８７２Ｄに入力された内容を登録することなく、入力前の状態にする。
【０１９５】
また、図７３に示すオイル補給検索結果画面８８０のセル８８８Ａの項目番号が入力操作されて表示される図７５に示すオイル補給結果編集画面９００は、図２７に示すオイル補給・測定入力状況確認画面３８０に対応し、確認結果データベース１１４Ｄに既に登録された確認結果情報を編集する画面表示である。このオイル補給結果編集画面９００は、図７２に示すオイル補給・測定検索画面８６０と同様のコマンドボタン４１２〜４１９が設けられているとともに、複数のテキストボックス９０１，９０２と、複数のコマンドボタン９０３〜９０５と、が設けられている。
【０１９６】
テキストボックス９０１には、セル８８８Ａなどの項目番号に対応する項目、すなわち、点検日、会社名、大工場名、工場名、ライン名、機番、設備名、設備の製造メーカ、潤滑箇所、オイル名、タンク容量がそれぞれテキスト表示される。テキストボックス９０２は、サーバ入力部１１２による入力操作にてセル８８８Ａなどの項目番号に対応するオイル補給量が再入力可能にテキスト表示される。そして、コマンドボタン９０３は、入力操作にてテキストボックス９０２にテキスト表示される確認結果情報をテキストボックス９０１の項目に関連付けて１つのレコードとしての確認結果情報として更新、すなわち確認結果データベース１１４Ｄの確認結果情報を書き替え処理する。また、コマンドボタン９０４は、入力操作にて、テキストボックス９０１の項目に関連付けられたテキストボックス９０２にテキスト表示される確認結果情報を、確認結果データベース１１４Ｄから削除する。さらに、コマンドボタン９０５は、入力操作によりサーバ入力部１１２による入力前の状態にする。
【０１９７】
また、図７３に示すオイル補給検索結果画面８８０のコマンドボタン８８２が入力操作されて表示される図７６に示す水分量検索結果画面８９０Ａには、図７３に示すオイル補給検索結果画面８８０と同様のコマンドボタン４１２〜４１９，８６２，８８２〜８８５が設けられているとともに、この水分量検索結果画面８９０Ａを閉じて図７３に示すオイル補給検索結果画面８８０を表示させるコマンドボタン８９０Ａ１が設けられている。また、水分量検索結果画面８９０Ａには、オイルの水分量についての確認結果情報について検索した期間である集計した期間をテキスト表示するテキストボックス８９０Ａ２と、複数例えば２つの表示領域８９０Ａ３，８９０Ａ４と、が設けられている。そして、一方の表示領域８９０Ａ３は、集計した確認結果情報を例えばＣＳＶ形式にて複数のセル８９０Ａ３１にて一覧表示する。この検索結果を表示するセル８９０Ａ３１には、例えば会社名、大工場名、工場名、ライン名、機番、設備名、潤滑箇所、オイル名、タンク容量、オイルの水分量などが一覧表示される。さらに、表示領域８９０Ａ３には、図７３に示すオイル補給検索結果画面８８０と同様のコマンドボタン８８７Ｂ，８８７Ｃが設けられている。また、他方の表示領域８９０Ａ４には、表示領域８９０Ａ３の各項目に対応して例えば点検日毎に確認結果情報の各項目番号、すなわち図６６に示す日常点検結果画面８１０のセル８１３Ａの項目番号に対応し、サーバ入力部１１２の入力操作にて選択可能で、選択されることによりその項目に関して編集するための画面表示、例えば図７５に示すオイル補給結果編集画面９００を表示させるセル８９０Ａ４１が設けられている。
【０１９８】
さらに、図７３に示すオイル補給検索結果画面８８０のコマンドボタン８８３が入力操作されて表示される図７７に示す全酸価検索結果画面８９０Ｂには、図７３に示すオイル補給検索結果画面８８０と同様のコマンドボタン４１２〜４１９，８６２，８８１，８８２，８８４，８８５が設けられているとともに、この全酸価検査結果画面８９０Ｂを閉じて図７３に示すオイル補給検索結果画面８８０を表示させるコマンドボタン８９０Ｂ１が設けられている。また、全酸価検索結果画面８９０Ｂには、オイルの全酸価についての確認結果情報について検索した期間である集計した期間をテキスト表示するテキストボックス８９０Ｂ２と、複数例えば２つの表示領域８９０Ｂ３，８９０Ｂ４と、が設けられている。そして、一方の表示領域８９０Ｂ３は、集計した確認結果情報を例えばＣＳＶ形式にて複数のセル８９０Ｂ３１にて一覧表示する。この検索結果を表示するセル８９０Ｂ３１には、例えば会社名、大工場名、工場名、ライン名、機番、設備名、潤滑箇所、オイル名、タンク容量、オイルの全酸価値などが一覧表示される。さらに、表示領域８９０Ｂ３には、図７３に示すオイル補給検索結果画面８８０と同様のコマンドボタン８８７Ｂ，８８７Ｃが設けられている。また、他方の表示領域８９０Ｂ４には、表示領域８９０Ｂ３の各項目に対応して例えば点検日毎に確認結果情報の各項目番号、すなわち図６６に示す日常点検結果画面８１０のセル８１３Ａの項目番号に対応し、サーバ入力部１１２の入力操作にて選択可能で、選択されることによりその項目に関して編集するための画面表示、例えば図７５に示すオイル補給結果編集画面９００を表示させるセル８９０Ｂ４１が設けられている。
【０１９９】
また、図７３に示すオイル補給検索結果画面８８０のコマンドボタン８８４が入力操作されて表示される図７８に示すスラッジ量検索結果画面８９０Ｃには、図７３に示すオイル補給検索結果画面８８０と同様のコマンドボタン４１２〜４１９，８６２，８８１〜８８３，８８５が設けられているとともに、このスラッジ量検査結果画面８９０Ｃを閉じて図７３に示すオイル補給検索結果画面８８０を表示させるコマンドボタン８９０Ｃ１が設けられている。また、スラッジ量検索結果画面８９０Ｃには、オイルのスラッジ量についての確認結果情報について検索した期間である集計した期間をテキスト表示するテキストボックス８９０Ｃ２と、複数例えば２つの表示領域８９０Ｃ３，８９０Ｃ４と、が設けられている。そして、一方の表示領域８９０Ｃ３は、集計した確認結果情報を例えばＣＳＶ形式にて複数のセル８９０Ｃ３１にて一覧表示する。この検索結果を表示するセル８９０Ｃ３１には、例えば会社名、大工場名、工場名、ライン名、機番、設備名、潤滑箇所、オイル名、タンク容量、オイルのスラッジ量などが一覧表示される。さらに、表示領域８９０Ｃ３には、図７３に示すオイル補給検索結果画面８８０と同様のコマンドボタン８８７Ｂ，８８７Ｃが設けられている。また、他方の表示領域８９０Ｃ４には、表示領域８９０Ｃ３の各項目に対応して例えば点検日毎に確認結果情報の各項目番号、すなわち図６６に示す日常点検結果画面８１０のセル８１３Ａの項目番号に対応し、サーバ入力部１１２の入力操作にて選択可能で、選択されることによりその項目に関して編集するための画面表示、例えば図７５に示すオイル補給結果編集画面９００を表示させるセル８９０Ｃ４１が設けられている。
【０２００】
さらに、図７３に示すオイル補給検索結果画面８８０のコマンドボタン８８５が入力操作されて表示される図７９に示す鉄粉濃度検索結果画面８９０Ｄには、図７３に示すオイル補給検索結果画面８８０と同様のコマンドボタン４１２〜４１９，８６２，８８１〜８８４が設けられているとともに、この鉄粉濃度検査結果画面８９０Ｄを閉じて図７３に示すオイル補給検索結果画面８８０を表示させるコマンドボタン８９０Ｄ１が設けられている。また、鉄粉濃度検索結果画面８９０Ｄには、オイルの鉄粉濃度についての確認結果情報について検索した期間である集計した期間をテキスト表示するテキストボックス８９０Ｄ２と、複数例えば２つの表示領域８９０Ｄ３，８９０Ｄ４と、が設けられている。そして、一方の表示領域８９０Ｄ３は、集計した確認結果情報を例えばＣＳＶ形式にて複数のセル８９０Ｄ３１にて一覧表示する。この検索結果を表示するセル８９０Ｄ３１には、例えば会社名、大工場名、工場名、ライン名、機番、設備名、潤滑箇所、オイル名、タンク容量、オイルの鉄粉濃度などが一覧表示される。さらに、表示領域８９０Ｄ３には、図７３に示すオイル補給検索結果画面８８０と同様のコマンドボタン８８７Ｂ，８８７Ｃが設けられている。また、他方の表示領域８９０Ｄ４には、表示領域８９０Ｄ３の各項目に対応して例えば点検日毎に確認結果情報の各項目番号、すなわち図６６に示す日常点検結果画面８１０のセル８１３Ａの項目番号に対応し、サーバ入力部１１２の入力操作にて選択可能で、選択されることによりその項目に関して編集するための画面表示、例えば図７５に示すオイル補給結果編集画面９００を表示させるセル８９０Ｄ４１が設けられている。
【０２０１】
一方、メニュー画面４１０のコマンドボタン４１６が入力操作されることにより、顧客情報のうちの保守点検対象の設備を管理するための設備管理処理として、例えば図８０に示す設備管理台帳を検索する設備管理台帳検索画面９１０が表示される。この図８０に示す設備管理台帳検索画面９１０には、図３０に示すメニュー画面４１０と同様のコマンドボタン４１２〜４１９が設けられているとともに、この設備管理台帳検索画面９１０を閉じて図３０に示すメニュー画面４１０を表示させるコマンドボタン９１１と、新たに設備管理台帳を生成して顧客データベース１１４Ａに格納させるための画面表示、例えば図８２に示す設備管理台帳作成画面９２０Ａを表示させるコマンドボタン９１２とが設けられている。なお、コマンドボタン９１２については、図５７に示す日常点検検索画面７１０と同様に新規登録のためのアクセス権が付与された利用者や管理者のみが入力操作可能となっている。また、設備管理台帳検索画面９１０には、図５７に示す日常点検検索画面７１０と同様の複数のリストボックス７１５、複数のテキストボックス７１６および図５８に示す設備検索画面７２０を表示させるコマンドボタン７１７が設けられているとともに、コマンドボタン９１３が設けられている。そして、コマンドボタン９１３は、入力操作により、リストボックス７１５およびテキストボックス７１６に入力された情報に基づいてあらかじめ顧客データベース１１４Ａに登録されている設備管理台帳を検索し、例えば図８１に示すような設備管理台帳検索結果画面９１０Ａにて一覧表示させる。
【０２０２】
そして、この設備管理台帳検索結果画面９１０Ａには、図８０に示す設備管理台帳検索画面９１０と同様のコマンドボタン４１２〜４１９，９１２が設けられているとともに、この設備管理台帳検索結果画面９１０Ａを閉じて図８０に示す設備管理台帳検索画面９１０を表示させるコマンドボタン９１０Ａ１が設けられている。また、設備管理台帳検索結果画面９１０Ａには、検索した顧客情報である設備管理台帳情報を例えばＣＳＶ形式にて一覧表示させる複数のセル９１０Ａ２が設けられている。このセル９１０Ａ２には、例えば会社名、大工場名、工場名、ライン名、機番、設備名、設備の製造メーカ、潤滑箇所、オイル名、タンク容量、オイルの希釈倍率、オイルの製造メーカ（油剤メーカ）、オイル点検周期、浄油周期、オイル交換周期、詳細分析周期、備考などが一覧表示される。また、セル９１２Ａ２には、サーバ入力部１１２の入力操作にて選択可能で、選択されることによりその項目に関して編集するための画面表示、例えば図８３に示すような設備管理台帳編集画面９２０Ｂを表示させる各項目番号であるセル９１２Ａ２１が設けられている。さらに、設備管理台帳検索結果画面９１０Ａには、検索結果の設備管理台帳情報が多く一括で一覧表示できない場合に他の設備管理台帳情報を一覧表示させるためのコマンドボタン９１０Ａ３と、検索した設備管理台帳情報を例えばサーバ装置１１０に接続された印刷装置などにてＣＳＶ形式で印刷出力させたり、サーバ装置１１０に接続された外部記録メディアに記録させたりするためのコマンドボタン９１０Ａ４と、が設けられている。
【０２０３】
また、図８０に示す設備管理台帳検索画面９１０などのコマンドボタン９１２の入力操作にて表示される例えば図８２に示す設備管理台帳作成画面９２０Ａには、図８０に示す設備管理台帳検索画面９１０と同様のコマンドボタン４１２〜４１９が設けられているとともに、複数のリストボックス９２０Ａ１と、複数のテキストボックス９２０Ａ２，９２０Ａ３と、複数のコマンドボタン９２０Ａ４〜９２０Ａ６と、が設けられている。
【０２０４】
リストボックス９２０Ａ１は、設備を特定するための項目、例えば会社名、大工場名、工場名、ライン名、潤滑箇所、オイル名、タンク容量、希釈倍率、オイルの製造メーカ、オイル点検周期、浄油周期、オイル交換周期、詳細分析周期などを、サーバ入力部１１２の入力操作にて選択可能にリスト表示する。テキストボックス９２０Ａ２は、設備を特定するための項目、例えば設備名や設備の製造メーカをサーバ入力部１１２による入力操作にてテキスト入力可能に構成されている。また、テキストボックス９２０Ａ３は、設備に関し備考をテキスト入力可能に構成されているとともに、後述する設備管理台帳を廃棄処理すなわち顧客における設備の廃棄などにより保守点検を実施する必要がなくなった対象に設定する処理により、例えば「＊＊＊廃棄＊＊＊」などをテキスト表示する。そして、コマンドボタン９２０Ａ４は、入力操作により、各リストボックス９２０Ａ１およびテキストボックス９２０Ａ２，９２０Ａ３に入力された情報を１つのレコードとしての設備管理台帳情報として登録、すなわち顧客データベース１１４Ａに記憶させるとともに、さらに他の設備管理台帳を登録するためにリストボックス９２０Ａ１およびテキストボックス９２０Ａ２，９２０Ａ３を入力前の状態にする。また、コマンドボタン９２０Ａ５は、入力操作にてコマンドボタン９２０Ａ４と同様に設備管理台帳情報を登録するとともに、この設備管理台帳作成画面９２０Ａを閉じて図８０に示す設備管理台帳検索画面９１０を表示させる。さらに、コマンドボタン９２０Ａ６は、リストボックス９２０Ａ１およびテキストボックス９２０Ａ２，９２０Ａ３に入力された内容を登録することなく、入力前の状態にする。
【０２０５】
また、図８１に示す設備管理台帳検索結果画面９１０Ａのセル９１０Ａ２１の入力操作にて表示される例えば図８３に示す設備管理台帳編集画面９２０Ｂには、図８１に示す設備管理台帳検索結果画面９１０Ａと同様のコマンドボタン４１２〜４１９が設けられているとともに、図８２に示す設備管理台帳作成画面９２０Ａに対応した複数のリストボックス９２０Ｂ１および複数のテキストボックス９２０Ｂ２，９２０Ｂ３と、複数のコマンドボタン９２０Ｂ４〜９２０Ｂ６と、が設けられている。リストボックス９２０Ｂ１は、設備を特定するための上述した各項目をサーバ入力部１１２の入力操作にて再選択・再入力可能にリスト表示する。テキストボックス９２０Ｂ２は、設備を特定するための上述した各項目をサーバ入力部１１２の入力操作にて再入力可能にテキスト表示する。テキストボックス９２０Ｂ３は、備考をサーバ入力部１１２の入力操作にて再入力可能にテキスト表示する。
【０２０６】
そして、コマンドボタン９２０Ｂ４は、入力操作により、リストボックス９２０Ｂ１およびテキストボックス９２０Ｂ２，９２０Ｂ３にテキスト表示される設備管理台帳情報を１つのレコードとしての設備管理台帳情報として更新、すなわち確認結果データベース１１４Ｄの設備管理台帳情報を書き替え処理する。また、コマンドボタン９２０Ｂ５は、入力操作により、リストボックス９２０Ｂ１およびテキストボックス９２０Ｂ２，９２０Ｂ３にテキスト表示される設備管理台帳情報について、上述したように廃棄処理する。さらに、コマンドボタン９２０Ｂ６は、入力操作により、リストボックス９２０Ｂ１およびテキストボックス９２０Ｂ２，９２０Ｂ３にテキスト表示される設備管理台帳情報を、確認結果データベース１１４Ｄから削除する。さらに、コマンドボタン９２０Ｂ７は、入力操作によりサーバ入力部１１２による入力前の状態にする。
【０２０７】
一方、メニュー画面４１０のコマンドボタン４１７が入力操作されることにより、保守点検により生じた設備の保全内容に関する確認結果情報である保全内容情報についての保全内容処理として、例えば図８４に示す保全内容検索画面９３０が表示される。この図８４に示す保全内容検索画面９３０には、図３０に示すメニュー画面４１０と同様のコマンドボタン４１２〜４１９が設けられているとともに、この保全内容検索画面９３０を閉じて図３０に示すメニュー画面４１０を表示させるコマンドボタン９３１と、保全内容情報を新たに生成して確認結果データベース１１４Ｄに格納させるための画面表示、例えば図８６に示す保全内容台帳作成画面９４０Ａを表示させるコマンドボタン９３２とが設けられている。なお、コマンドボタン９３２については、図５７に示す日常点検検索画面７１０と同様に新規登録のためのアクセス権が付与された利用者や管理者のみが入力操作可能となっている。また、保全内容検索画面９３０には、図５７に示す日常点検検索画面７１０と同様の複数のリストボックス７１４，７１５、複数のテキストボックス７１６および図５８に示す設備検索画面７２０を表示させるコマンドボタン７１７が設けられているとともに、コマンドボタン９３３が設けられている。そして、コマンドボタン９３３は、入力操作により、確認結果取得手段１１５Ｃにて各検索項目に基づいて検索条件に従って保全内容情報を確認結果データベース１１４Ｄから検索して一覧表示、例えば図８５に示すようなウエッブブラウザによる画面表示で表示される保全内容検索結果画面９３０Ａを表示させる。
【０２０８】
そして、この図８５に示す保全内容検索結果画面９３０Ａには、図８４に示す保全内容検索画面９３０と同様のコマンドボタン４１２〜４１９，９３２が設けられているとともに、この保全内容検索結果画面９３０Ａを閉じて図８４に示す保全内容検索画面９３０を表示させるコマンドボタン９３０Ａ１が設けられている。また、保全内容検索結果画面９３０Ａには、検索条件すなわち指定した点検日の期間や会社名などの各項目をテキスト表示するテキストボックス９３０Ａ２と、所定の点検日で確認結果情報を例えばＣＳＶ形式にて一覧表示させる複数のセル９３０Ａ３と、が設けられている。
【０２０９】
この検索結果を表示するセル９３０Ａ３には、例えば点検日、潤滑箇所、保全内容、設備の停止時間、停止による停止損失、保全時間、保全費、部品費、全保全費などが一覧表示される。また、セル９３０Ａ３には、サーバ入力部１１２の入力操作にて選択可能で、選択されることによりその項目に関して編集するための画面表示、例えば図８７に示すような保全内容台帳編集画面９４０Ｂを表示させる各項目番号であるセル９３０Ａ３１と、選択されることによりその項目に関して保全の事象や保全した部品などの内容などを登録可能に表示するための画面表示、例えば図８８に示すような事象作成画面９４０Ｃを表示させるセル９３０Ａ３２が設けられている。さらに、保全内容検索結果画面９３０Ａには、検索した確認結果情報を例えばサーバ装置１１０に接続された印刷装置などにてＣＳＶ形式で印刷出力させたり、サーバ装置１１０に接続された外部記録メディアに記録させたりするためのコマンドボタン９３０Ａ４が設けられている。
【０２１０】
そして、図８４に示す保全内容検索画面９３０などのコマンドボタン９３２の入力操作にて表示され保全内容に関する保全内容台帳を作成するための図８６に示す保全内容台帳作成画面９４０Ａには、図８４に示す保全内容検索画面９３０と同様のコマンドボタン４１２〜４１９が設けられているとともに、この保全内容台帳作成画面９４０Ａを閉じて図３０に示すメニュー画面４１０を表示させるコマンドボタン９４０Ａ１と、この保全内容台帳作成画面９４０Ａを閉じて図８４に示す保全内容検索画面９３０を表示させるコマンドボタン９４０Ａ２と、が設けられている。さらに、保全内容台帳作成画面９４０Ａには、複数のリストボックス９４０Ａ３と、複数のテキストボックス９４０Ａ４，９２０Ａ５と、複数のコマンドボタン９４０Ａ６〜９４０Ａ８と、が設けられている。
【０２１１】
リストボックス９４０Ａ３は、保全内容に関する保全内容情報を構成する項目、例えば点検日、会社名、大工場名、工場名、機番、潤滑箇所などを、サーバ入力部１１２による入力操作にて選択・入力可能にリスト表示する。テキストボックス９４０Ａ４は、図８５に示す保全内容検索結果画面９３０Ａにおける選択されたセル９３０Ａ３１に対応する項目に関連付けられた項目、例えばライン名、設備名、設備メーカ、オイル名、油剤メーカ、タンク容量などがテキスト表示される。テキストボックス９４０Ａ５は、図８５に示す保全内容検索結果画面９３０Ａにおける選択されたセル９３０Ａ３１に対応し、保全内容に関する項目、例えば保全内容、停止時間、停止損失保全時間、保全費、部品費などが、サーバ入力部１１２による入力操作にてそれぞれテキスト入力可能に構成されている。
【０２１２】
そして、コマンドボタン９４０Ａ６は、入力操作により、リストボックス９４０Ａ３およびテキストボックス９４０Ａ４，９４０Ａ５に入力された保全内容情報を１つのレコードとしての確認結果情報として確認結果データベース１１４Ｄに記憶させるとともに、さらに他の保全内容情報を登録するためにリストボックス９４０Ａ３およびテキストボックス９４０Ａ４，９４０Ａ５を入力前の状態にする。コマンドボタン９４０Ａ７は、入力操作により、サーバ入力部１１２にてリストボックス９４０Ａ３およびテキストボックス９４０Ａ４，９４０Ａ５に入力された保全内容情報を１つのレコードとしての確認結果情報として確認結果データベース１１４Ｄに記憶させるとともに、この保全内容台帳作成画面９４０Ａを閉じて図８４に示す保全内容検索画面９３０を表示させる。コマンドボタン９４０Ａ８は、リストボックス９４０Ａ３およびテキストボックス９４０Ａ４，９４０Ａ５に入力された内容を登録することなく、入力前の状態にする。
【０２１３】
また、図８５に示す保全内容検索結果画面９３０Ａのセル９３０Ａ３１の入力操作にて表示され保全内容に関する保全内容情報である保全内容台帳を編集するための図８７に示す保全内容台帳編集画面９４０Ｂには、図８６に示す保全内容台帳作成画面９４０Ａと同様のコマンドボタン４１２〜４１９，９４０Ａ１，９４０Ａ２が設けられている。また、保全内容台帳編集画面９４０Ｂには、複数のテキストボックス９４０Ｂ１，９４０Ｂ２と、複数のコマンドボタン９４０Ｂ３〜９４０Ｂ５と、が設けられている。
【０２１４】
テキストボックス９４０Ｂ１は、図８５に示す保全内容検索結果画面９３０Ａにおける選択されたセル９３０Ａ３１に対応する項目に関連付けられた項目、例えば点検日、大工場名、工場名、ライン名、機番、設備名、設備メーカ、潤滑箇所、オイル名、油剤メーカ、タンク容量などをテキスト表示する。テキストボックス９４０Ｂ２は、図８５に示す保全内容検索結果画面９３０Ａにおける選択されたセル９３０Ａ３１に対応する項目に関連付けられた保全内容の項目、例えば保全内容、停止時間、停止損失、保全時間、保全費、部品費などを、サーバ入力部１１２による入力操作にて再入力可能にテキスト表示する。そして、コマンドボタン９４０Ｂ３は、入力操作により、テキストボックス９４０Ｂ１，９２０Ｂ２にテキスト表示される保全内容情報を１つのレコードとしての確認結果情報として更新、すなわち確認結果データベース１１４Ｄの保全内容情報を書き替え処理する。また、コマンドボタン９４０Ｂ４は、入力操作により、テキストボックス９４０Ｂ１，９２０Ｂ２にテキスト表示される保全内容情報を、確認結果データベース１１４Ｄから削除する。さらに、コマンドボタン９４０Ｂ５は、入力操作によりサーバ入力部１１２による入力前の状態にする。
【０２１５】
さらに、図８５に示す保全内容検索結果画面９３０Ａのセル９３０Ａ３２の入力操作にて表示され保全内容における保全の事象、部品・部位、メモを設定するための図８８に示す事象作成画面９４０Ｃには、図８６に示す保全内容台帳作成画面９４０Ａと同様のコマンドボタン４１２〜４１９が設けられている。また、事象作成画面９４０Ｃには、複数のテキストボックス９４０Ｃ１〜９４０Ｃ３と、複数のコマンドボタン９４０Ｃ４，９４０Ｃ５と、が設けられている。
【０２１６】
テキストボックス９４０Ｃ１〜９４０Ｃ３は、サーバ入力部１１２の入力操作にて、保全の内容、例えば保全内容の事象、保全した部品およびその部位、保全の際の作業内容や注意点などのメモが、それぞれテキスト入力可能に構成されている。そして、コマンドボタン９４０Ｃ４は、サーバ入力部１１２の入力操作により、テキストボックス９４０Ｃ１〜９４０Ｃ３に入力された情報を、図８５に示す保全内容検索結果画面９３０Ａにおける選択されたセル９３０Ａ３１に対応する項目に関連付けて、１つのレコードとしての確認結果情報として確認結果データベース１１４Ｄの保全内容情報に関連付けて記憶させる。また、コマンドボタン９４０Ｃ５は、入力操作によりサーバ入力部１１２による入力前の状態にする。
【０２１７】
一方、メニュー画面４１０のコマンドボタン４１８が入力操作されることにより、確認結果情報のうちの保全に要した費用を管理するための保全費管理処理として、例えば図８９に示す保全費情報である保全費台帳を検索するための保全費検索画面９５０が表示される。この図８９に示す保全費検索画面９５０には、図３０に示すメニュー画面４１０と同様のコマンドボタン４１２〜４１９が設けられているとともに、この保全費検索画面９５０を閉じて図３０に示すメニュー画面４１０を表示させる図示しないコマンドボタンが設けられている。さらに、保全費検索画面９５０には、図５７に示す日常点検検索画面７１０と同様の複数のリストボックス７１５、複数のテキストボックス７１６および図５８に示す設備検索画面７２０を表示させるコマンドボタン７１７が設けられているとともに、コマンドボタン９５１が設けられている。そして、コマンドボタン９５１は、入力操作により、リストボックス７１５およびテキストボックス７１６に入力された情報に基づいてあらかじめ確認結果データベース１１４Ｄに登録されている保全費台帳を検索し、例えば図９０に示すような保全費検索結果画面９６０にて一覧表示させる。
【０２１８】
そして、この保全費検索結果画面９６０には、図８９に示す保全費検索画面９５０と同様のコマンドボタン４１２〜４１９が設けられているとともに、この保全費検索結果画面９６０を閉じて図８９に示す保全費検索画面９５０を表示させるコマンドボタン９６１が設けられている。また、保全費検索結果画面９６０には、図８９に示す保全費検索画面９５０のリストボックス７１４，７１５およびテキストボックス７１６に入力された項目内容に対応してテキスト表示するテキストボックス９６２が設けられている。さらに、保全費検索結果画面９６０には、複数、例えば２つの表示領域９６３，９６４が設けられている。そして、一方の表示領域９６３には、検索すなわち集計した保全費情報を例えばＣＳＶ形式にて複数のセル９６３Ａにて一覧表示する。この検索結果を表示するセル９６３Ａには、例えば工場名、ライン名、機番名、設備名などが一覧表示される。さらに、表示領域９６３には、検索した保全費情報を例えばサーバ装置１１０に接続された印刷装置などにてＣＳＶ形式で印刷出力させたり、サーバ装置１１０に接続された外部記録メディアに記録させたりするためのコマンドボタン９６３Ｂが設けられている。また、他方の表示領域９６４には、表示領域９６３の各項目に対応して例えば点検日毎に保全費情報を例えばＣＳＶ形式にて複数のセル９６４Ａにて一覧表示する。
【０２１９】
〔保守管理支援システムの動作〕
次に、上記保守管理支援システム１００の動作について上述の具体的構成の説明で利用した図面を参照して説明する。なお、保守点検により確認した結果は入力端末装置１２０を用いて入力し、顧客端末装置１３０にて診断結果を確認する動作を例示して説明するが、この場合に限らず、例えば顧客端末装置１３０で確認結果を入力して診断結果を確認したり、サーバ装置１１０で診断結果を確認して設備の保全などを実施する作業者が顧客先に出向いてアドバイスなどをするなどしてもよい。
【０２２０】
あらかじめ入力端末装置１２０および顧客端末装置１３０と、サーバ装置１１０とを、ネットワーク１４０を介してそれぞれ接続可能な状態とする。また、サーバ装置１１０に対応するアプリケーションソフトウェアをインストールし、図３１ないし図５６に示す表示画面に基づいて、システム手段１１５Ｅにより保守管理支援システム１００の運用に必要な顧客情報である各マスタデータやチェックリストなどを設定しておく。さらに、入力端末装置１２０および顧客端末装置１３０にそれぞれ対応するアプリケーションソフトウェアをインストールする。そして、入力端末装置１２０において、アプリケーションソフトウェアを起動し、図１０に示す実施メニュー画面２００から図１１に示す初期化画面２１０を表示させ、入力端末操作部１２２による入力操作にて、初期設定手段１２６Ａによる初期化処理を実施する。すなわち、保守管理支援システム１００の運用に必要なマスタデータやチェックリストなどをサーバ装置１１０からネットワーク１４０を介して入力端末装置１２０に取得させる。
【０２２１】
この後、入力端末装置１２０において、図１０に示す実施メニュー画面２００から移行した図１５ないし図１８に示す表示画面に基づいてチェックリストを選定し、図１９ないし図２８に基づいて設備を保守点検しつつその確認結果を入力する。この後、図１３に示すデータ同期画面２３０に基づいて、データ同期手段１２６Ｄによりサーバ装置１１０とのデータ同期処理を実施する。すなわち、入力した確認結果をサーバ装置１１０に送信してサーバ装置１１０に確認結果情報を確認結果データベース１１４Ｄに格納させる。そして、顧客端末装置１３０で確認結果データベース１１４Ｄに格納された確認結果情報を適宜検索して表示させ、確認結果情報に関連付けられた診断結果に基づいて、例えばオイルを交換するなどの保全を実施する。
【０２２２】
〔保守管理支援システムの作用効果〕
上述したように、上記実施の形態では、潤滑油や作業油などのオイルを利用する機械である設備における所定の確認事項の結果の入力を促すチェックリストに関するチェックリスト情報をサーバ装置１１０のチェックリスト生成手段１１５Ａにより所定の確認対象である機械毎に作成し、このチェックリスト情報に基づいてチェックリストを確認事項である各点検項目の結果の入力フォーマットとして入力端末装置１２０（顧客端末装置１３０）の入力端末表示部１２３（端末表示部１３３）に画面表示させ、この画面表示されるチェックリストにしたがって入力端末操作部１２２（端末入力部１３２）による入力操作にて生成した確認結果情報をサーバ装置１１０のサーバ記憶部１１４に記憶させ、確認結果情報に基づいてサーバ装置１１０の診断手段１１５Ｄにより設備の状態に関する状態情報および設備の状態に対する保守点検内容に関する結果情報を適宜生成し、顧客端末装置１３０（入力端末装置１２０）で表示により報知する。このため、異なる種別の設備についても保守管理の内容を統括して管理することが容易にでき、設備の保守管理性の向上や汎用性の向上を容易に得ることができ、利用の拡大を容易に図ることができる。
【０２２３】
そして、ネットワーク１４０を介して入力端末装置１２０（顧客端末装置１３０）にて入力した確認結果情報をサーバ装置１１０で取得して蓄積し、顧客端末装置１３０（入力端末装置１２０）で確認結果情報に基づく状態情報や結果情報を確認可能にネットワーク１４０を介して送受信するシステム構成としている。このため、容易に保守点検についての統括な管理が容易に得られる。さらには、顧客側に入力端末装置１２０および顧客端末装置１３０を設け、保守点検を実施する作業者が入力端末装置１２０にて確認結果を入力し、顧客端末装置１３０にて設備の状態を認識できるようにしているため、携帯用の入力端末装置１２０を用いて保守点検ができ、保守点検作業が容易にできるとともに、顧客側でも顧客端末装置１３０にて確認結果情報を統括して管理することも可能で、顧客毎に応じた確認結果情報の取扱ができ、利便性を向上できる。
【０２２４】
また、入力端末装置１２０（顧客端末装置１３０）で確認事項の結果の入力を促すチェックリストに関するチェックリスト情報をチェックリスト生成手段１１５Ａにより所定の確認対象の設備毎に作成する。このため、保守点検の確認事項の結果をチェックリストに基づいて入力すればよく、保守管理性を容易に向上できるとともに、保守点検する確認対象の設備に対応したチェックリスト情報を入力端末装置１２０（顧客端末装置１３０）で取得させるのみでよく、入力端末装置１２０（顧客端末装置１３０）の構成の簡略化を容易に図ることができる。
【０２２５】
さらに、チェックリスト生成手段１１５Ａにて生成されたチェックリスト情報を、設備が設置されこの設備を利用する利用者に関する顧客情報に関連付けてサーバ記憶部１１４に格納すなわち記憶させる。このため、所望のチェックリストを容易に取得でき、保守管理性を容易に向上できる。
【０２２６】
また、チェックリストとして、例えば図５ないし図９にしめすように、設備の種別、例えば業種や対象機器などを特定する複数の対象機械項目のうちのいずれか１つと、設備の確認する部位である対象部位を特定する複数の対象部位項目のうちの少なくともいずれか１つと、確認する内容を特定する複数の診断項目のうちの少なくともいずれか１とを設けて構成する。このため、異なる設備毎の適切な保守点検のためのチェックリストを容易に作成できる。
【０２２７】
さらに、対象機械項目、対象部位項目および診断項目が入力操作にて選択され、これら対象機械項目、対象部位項目および診断項目に対応して入力された複数の確認結果情報を関連付けて１つのレコードとしたテーブル構造である確認結果情報とする入力フォームにチェックリストを構成してチェックリスト情報をチェックリスト生成手段１１５Ａにて作成する。このため、設備毎の保守点検の確認結果に関する確認結果情報の管理および利用が容易にでき、確認結果情報を用いた設備の状態を容易に認識できる。
【０２２８】
また、チェックリストを作成してサーバ記憶部１１４に記憶し、入力される項目に基づいて読み出す構成とすることで、チェックリストを生成して取得するまでの時間を短縮でき、円滑な運用が得られる。さらには、あらかじめサーバ装置１１０で作成しておくので、必要最小限のチェックリストを入力端末装置１２０が取得すればよく、入力端末装置１２０の構成の簡略化が容易に図れる。
【０２２９】
そして、設備に利用される潤滑油や作業油などのオイルの性状に関する事項を、設備の状態に関する状態情報および保守点検内容に関する結果情報の判断のための確認事項とする。このため、設備の状態を認識するための保守点検が容易にでき、設備の保守管理性を容易に向上できるとともに、設備の状態の適切な認識を容易に得ることができる。
【０２３０】
また、サーバ装置１１０の診断手段１１５Ｄによりオイルを貯留する設備のタンクの容量に対する年間での補充した油剤量、すなわちＨＩＦを演算して結果情報として生成させる。このため、設備が利用するオイルに基づく設備の状態を認識するための保守点検作業が容易にでき、設備の保守管理性を容易に向上できるとともに、設備の状態の適切な認識を容易に得ることができ、設備の保全管理が容易にできる。
【０２３１】
さらに、顧客端末装置１３０（入力端末装置１２０）の端末表示部１３３（入力端末表示部１２３）により設備のタンクの容量に対する年間での補充した油剤量であるＨＩＦの数値に対応して、異なる表示形態、例えば表示するセルの背景色を異なる状態に表示させることで結果情報を報知する。このため、設備が利用するオイルに基づいて設備の状態を容易に認識でき、例えば無駄にオイルを補充することを防止したり、過剰な補充によりオイル漏れなどの状態の認識などが容易にでき、適切な保全を容易に得ることができる。特に、上述したような範囲の３段階により設備の状態を報知する構成としているので、正常か否かの判断の他に、単にオイルの自然損失か損傷によるオイルの漏れかなどについても容易に判断できる。
【０２３２】
また、診断手段１１５Ｄにより、入力され取得した確認結果情報をサーバ記憶部１１４にあらかじめ記憶させて蓄積された確認結果情報と比較、例えば所定の点検日期間で集計して一覧表示させるなどにより容易に比較できる状態とすることで、状態情報および結果情報のうちの少なくともいずれか一方を生成させる構成とすることにより、設備の状態を適切に認識するための適切な状態情報や結果情報を容易に得ることができる。なお、上述したように、単に一覧表示させる構成として、サービスマンなどが状況を判断して顧客に対してアドバイスするなどのコンサルタント業務に利用させるようにするなどしてもよい。
【０２３３】
そして、診断手段１１５Ｄにより確認結果情報に基づいて設備の所定の確認により生じる費用を演算して保全費情報を生成し、顧客端末装置１３０（入力端末装置１２０）の端末表示部１３３（入力端末表示部１２３）により保全費情報を報知する。このため、保守点検により生じた保全についての費用を認識でき、より容易に保守管理性を向上できる。
【０２３４】
〔実施の形態の変形〕
なお、本発明は、上述した各実施の形態に限定されるものではなく、本発明の目的を達成できる範囲で以下に示すような変形、改良などをも含むものである。
【０２３５】
すなわち、入力端末装置１２０（顧客端末装置１３０）とサーバ装置１１０とをネットワーク１４０を介して送受信可能に接続し、入力端末装置１２０で入力した確認結果情報をサーバ装置１１０で取得して状態情報や結果情報を生成し、顧客端末装置１３０（入力端末装置１２０）で報知、すなわち表示可能に取得させて顧客側で設備の状態を容易に認識できるシステム構成として説明したが、例えば顧客にサーバ装置１１０を設置して、このサーバ装置１１０で確認結果情報を入力するとともに、状態情報や結果情報を表示させる１つの保守管理支援装置として構成させるなどしてもよい。
【０２３６】
そして、チェックリストとしては、上述した項目のみに限られるものではなく、点検対象の機械に対応して適宜項目を設定可能である。
【０２３７】
また、チェックリストを顧客情報に関連付けて記憶する構成に限らず、例えば設備を特定する項目を入力することで所定のチェックリストを読み取り可能とするなどしてもよい。さらには、あらかじめチェックリストを作成して記憶しておく構成に限らず、顧客情報や設備を特定する項目に基づいてその都度作成するなどしてもよい。また、サーバ装置１１０で作成する場合に限らず、入力する入力端末装置１２０などで作成するなどしてもよい。
【０２３８】
そして、保全内容についても報知する構成としたが、報知しなくてもよい。
【０２３９】
その他、本発明の実施の際の具体的な構造および手順は、本発明の目的を達成できる範囲で他の構造などに適宜変更できる。
【産業上の利用可能性】
【０２４０】
本発明は、潤滑油や作業油などのオイルの他、各種油剤を利用する機械である設備について保守点検を実施するために利用することができる。そして、システム構成に限らず、１つの装置構成としても利用することができる。
【図面の簡単な説明】
【０２４１】
【図１】本発明の一実施の形態にかかる保守管理支援システムの概略構成を示す概念図である。
【図２】前記一実施の形態における保守管理支援システムを構成する入力端末装置の概略構成を示すブロック図である。
【図３】前記一実施の形態における保守管理支援システムを構成する顧客端末装置の概略構成を示すブロック図である。
【図４】前記一実施の形態における保守管理支援システムを構成するサーバ装置の概略構成を示すブロック図である。
【図５】前記一実施の形態における確認項目データベースのテーブル構造を模式的に示す概念図である。
【図６】前記一実施の形態における確認項目データベースにおける日常点検の診断項目情報のテーブル構造を模式的に示す概念図である。
【図７】前記一実施の形態における確認項目データベースにおけるオイル点検の診断項目情報のテーブル構造を模式的に示す概念図である。
【図８】前記一実施の形態における確認項目データベースにおけるオイル補給・測定の診断項目情報のテーブル構造を模式的に示す概念図である。
【図９】前記一実施の形態におけるチェックリスト生成手段により所定のチェックリストを生成するための項目が選択された状態を説明するための説明図である。
【図１０】前記一実施の形態におけるウエッブブラウザによる画面表示で入力端末表示部に表示される実施メニュー画面を示す概念図である。
【図１１】前記一実施の形態における同様の初期化画面を示す概念図である。
【図１２】前記一実施の形態における同様の端末ログイン画面を示す概念図である。
【図１３】前記一実施の形態における同様のデータ同期画面を示す概念図である。
【図１４】前記一実施の形態における同様の同期情報設定画面を示す概念図である。
【図１５】前記一実施の形態における同様の工場選択画面を示す概念図である。
【図１６】前記一実施の形態における同様のライン選択画面を示す概念図である。
【図１７】前記一実施の形態における同様の設備選択画面を示す概念図である。
【図１８】前記一実施の形態における同様の潤滑箇所選択画面を示す概念図である。
【図１９】前記一実施の形態における同様の診断メニュー画面を示す概念図である。
【図２０】前記一実施の形態における同様のネームプレート確認結果入力画面を示す概念図である。
【図２１】前記一実施の形態における同様の清掃状況結果入力画面を示す概念図である。
【図２２】前記一実施の形態における同様の日常点検入力状況確認画面を示す概念図である。
【図２３】前記一実施の形態における同様の確認結果修正画面を示す概念図である。
【図２４】前記一実施の形態における同様の変色結果入力画面を示す概念図である。
【図２５】前記一実施の形態における同様のオイル温度入力画面を示す概念図である。
【図２６】前記一実施の形態における同様のオイル点検入力状況確認画面を示す概念図である。
【図２７】前記一実施の形態における同様のオイル補給・測定入力状況確認画面を示す概念図である。
【図２８】前記一実施の形態における同様のオイル補給量入力画面を示す概念図である。
【図２９】前記一実施の形態におけるウエッブブラウザによる画面表示でサーバ表示部に表示されるログイン画面を示す概念図である。
【図３０】前記一実施の形態における同様のメニュー画面を示す概念図である。
【図３１】前記一実施の形態における同様のシステム設定メニュー画面を示す概念図である。
【図３２】前記一実施の形態における同様のユーザマスタ管理検索一覧画面を示す概念図である。
【図３３】前記一実施の形態における同様のユーザマスタ設定画面を示す概念図である。
【図３４】前記一実施の形態における同様のユーザマスタ編集画面を示す概念図である。
【図３５】前記一実施の形態における同様の所属会社選択画面を示す概念図である。
【図３６】前記一実施の形態における同様の所属会社マスタ検索一覧画面を示す概念図である。
【図３７】前記一実施の形態における同様の所属会社設定画面を示す概念図である。
【図３８】前記一実施の形態における同様の所属会社編集画面を示す概念図である。
【図３９】前記一実施の形態における同様のアクセス権設定画面を示す概念図である。
【図４０】前記一実施の形態における同様の工場マスタ検索一覧画面を示す概念図である。
【図４１】前記一実施の形態における同様の工場マスタ会社設定画面を示す概念図である。
【図４２】前記一実施の形態における同様の工場マスタ会社編集画面を示す概念図である。
【図４３】前記一実施の形態における同様の工場マスタ大工場設定画面を示す概念図である。
【図４４】前記一実施の形態における同様の工場マスタ大工場編集画面を示す概念図である。
【図４５】前記一実施の形態における同様の工場マスタ工場設定画面を示す概念図である。
【図４６】前記一実施の形態における同様の工場マスタ工場編集画面を示す概念図である。
【図４７】前記一実施の形態における同様のラインマスタ検索一覧画面を示す概念図である。
【図４８】前記一実施の形態における同様のラインマスタ設定画面を示す概念図である。
【図４９】前記一実施の形態における同様のラインマスタ編集画面を示す概念図である。
【図５０】前記一実施の形態における同様の設備マスタ検索一覧画面を示す概念図である。
【図５１】前記一実施の形態における同様の設備メーカ設定画面を示す概念図である。
【図５２】前記一実施の形態における同様の設備メーカ編集画面を示す概念図である。
【図５３】前記一実施の形態における同様の設備設定画面を示す概念図である。
【図５４】前記一実施の形態における同様の設備編集画面を示す概念図である。
【図５５】前記一実施の形態における同様の機番設定画面を示す概念図である。
【図５６】前記一実施の形態における同様の機番編集画面を示す概念図である。
【図５７】前記一実施の形態における同様の日常点検検索画面を示す概念図である。
【図５８】前記一実施の形態における同様の設備検索画面を示す概念図である。
【図５９】前記一実施の形態における同様の日常点検検索結果画面を示す概念図である。
【図６０】前記一実施の形態における同様の日常点検検索結果画面を示す概念図である。
【図６１】前記一実施の形態における同様の日常点検結果集計画面を示す概念図である。
【図６２】前記一実施の形態における同様の日常点検結果グラフ表示画面を示す概念図である。
【図６３】前記一実施の形態における同様の日常点検チェックリスト画面を示す概念図である。
【図６４】前記一実施の形態における同様の日常点検結果編集画面を示す概念図である。
【図６５】前記一実施の形態における同様のオイル点検検索画面を示す概念図である。
【図６６】前記一実施の形態における同様のオイル点検検索結果画面を示す概念図である。
【図６７】前記一実施の形態における同様のオイル点検検索結果画面を示す概念図である。
【図６８】前記一実施の形態における同様のオイル点検結果集計画面を示す概念図である。
【図６９】前記一実施の形態における同様のオイル点検チェックリスト画面を示す概念図である。
【図７０】前記一実施の形態における同様のオイル点検結果編集画面を示す概念図である。
【図７１】前記一実施の形態における同様のオイル点検結果グラフ表示画面を示す概念図である。
【図７２】前記一実施の形態における同様のオイル補給・測定検索画面を示す概念図である。
【図７３】前記一実施の形態における同様のオイル補給検索結果画面を示す概念図である。
【図７４】前記一実施の形態における同様のオイル補給チェックリスト画面を示す概念図である。
【図７５】前記一実施の形態における同様のオイル補給結果編集画面を示す概念図である。
【図７６】前記一実施の形態における同様の水分量検索結果画面を示す概念図である。
【図７７】前記一実施の形態における同様の全酸価検索結果画面を示す概念図である。
【図７８】前記一実施の形態における同様のスラッジ量検索結果画面を示す概念図である。
【図７９】前記一実施の形態における同様の鉄粉濃度検索結果画面を示す概念図である。
【図８０】前記一実施の形態における同様の設備管理台帳検索画面を示す概念図である。
【図８１】前記一実施の形態における同様の設備管理台帳検索結果画面を示す概念図である。
【図８２】前記一実施の形態における同様の設備管理台帳作成画面を示す概念図である。
【図８３】前記一実施の形態における同様の設備管理台帳編集画面を示す概念図である。
【図８４】前記一実施の形態における同様の保全内容検索画面を示す概念図である。
【図８５】前記一実施の形態における同様の保全内容検索結果画面を示す概念図である。
【図８６】前記一実施の形態における同様の保全内容台帳作成画面を示す概念図である。
【図８７】前記一実施の形態における同様の保全内容台帳編集画面を示す概念図である。
【図８８】前記一実施の形態における同様の事象作成画面を示す概念図である。
【図８９】前記一実施の形態における同様の保全費検索画面を示す概念図である。
【図９０】前記一実施の形態における同様の保全費検索結果画面を示す概念図である。
【符号の説明】
【０２４２】
１００…保守管理支援システム
１１０…保守管理支援装置としても機能するサーバ装置
１１２…入力手段としてのサーバ入力部
１１３…表示手段としてのサーバ表示部
１１４…格納手段としてのチェックリストデータベース
１１４Ｄ…蓄積手段および格納手段としての確認結果データベース
１１５Ａ…リスト作成手段としてのチェックリスト生成手段
１１５Ｃ…確認結果取得手段
１１５Ｄ…保全費演算手段としても機能する診断手段
１２０…保守管理支援装置としても機能する入力端末装置
１２２…入力手段としての入力端末操作部
１２３…表示手段としての入力端末表示部
１２５…蓄積手段および格納手段としても機能する入力端末記憶部
１２６…診断手段としても機能する入力端末処理部
１３０…保守点検支援装置および報知手段としても機能する顧客端末装置
１３１Ａ…蓄積手段および格納手段としても機能する端末記憶部
１３１Ｂ…診断手段としても機能する端末演算部
１３１Ｂ２…報知手段としての端末報知制御部
１３２…入力手段としての端末入力部
１３３…表示手段としての端末表示部
１４０…ネットワーク
【図１】
2005100127.tif 000003
【図２】
2005100127.tif 000004
【図３】
2005100127.tif 000005
【図４】
2005100127.tif 000006
【図５】
2005100127.tif 000007
【図６】
2005100127.tif 000008
【図７】
2005100127.tif 000009
【図８】
2005100127.tif 000010
【図９】
2005100127.tif 000011
【図１０】
2005100127.tif 000012
【図１１】
2005100127.tif 000013
【図１２】
2005100127.tif 000014
【図１３】
2005100127.tif 000015
【図１４】
2005100127.tif 000016
【図１５】
2005100127.tif 000017
【図１６】
2005100127.tif 000018
【図１７】
2005100127.tif 000019
【図１８】
2005100127.tif 000020
【図１９】
2005100127.tif 000021
【図２０】
2005100127.tif 000022
【図２１】
2005100127.tif 000023
【図２２】
2005100127.tif 000024
【図２３】
2005100127.tif 000025
【図２４】
2005100127.tif 000026
【図２５】
2005100127.tif 000027
【図２６】
2005100127.tif 000028
【図２７】
2005100127.tif 000029
【図２８】
2005100127.tif 000030
【図２９】
2005100127.tif 000031
【図３０】
2005100127.tif 000032
【図３１】
2005100127.tif 000033
【図３２】
2005100127.tif 000034
【図３３】
2005100127.tif 000035
【図３４】
2005100127.tif 000036
【図３５】
2005100127.tif 000037
【図３６】
2005100127.tif 000038
【図３７】
2005100127.tif 000039
【図３８】
2005100127.tif 000040
【図３９】
2005100127.tif 000041
【図４０】
2005100127.tif 000042
【図４１】
2005100127.tif 000043
【図４２】
2005100127.tif 000044
【図４３】
2005100127.tif 000045
【図４４】
2005100127.tif 000046
【図４５】
2005100127.tif 000047
【図４６】
2005100127.tif 000048
【図４７】
2005100127.tif 000049
【図４８】
2005100127.tif 000050
【図４９】
2005100127.tif 000051
【図５０】
2005100127.tif 000052
【図５１】
2005100127.tif 000053
【図５２】
2005100127.tif 000054
【図５３】
2005100127.tif 000055
【図５４】
2005100127.tif 000056
【図５５】
2005100127.tif 000057
【図５６】
2005100127.tif 000058
【図５７】
2005100127.tif 000059
【図５８】
2005100127.tif 000060
【図５９】
2005100127.tif 000061
【図６０】
2005100127.tif 000062
【図６１】
2005100127.tif 000063
【図６２】
2005100127.tif 000064
【図６３】
2005100127.tif 000065
【図６４】
2005100127.tif 000066
【図６５】
2005100127.tif 000067
【図６６】
2005100127.tif 000068
【図６７】
2005100127.tif 000069
【図６８】
2005100127.tif 000070
【図６９】
2005100127.tif 000071
【図７０】
2005100127.tif 000072
【図７１】
2005100127.tif 000073
【図７２】
2005100127.tif 000074
【図７３】
2005100127.tif 000075
【図７４】
2005100127.tif 000076
【図７５】
2005100127.tif 000077
【図７６】
2005100127.tif 000078
【図７７】
2005100127.tif 000079
【図７８】
2005100127.tif 000080
【図７９】
2005100127.tif 000081
【図８０】
2005100127.tif 000082
【図８１】
2005100127.tif 000083
【図８２】
2005100127.tif 000084
【図８３】
2005100127.tif 000085
【図８４】
2005100127.tif 000086
【図８５】
2005100127.tif 000087
【図８６】
2005100127.tif 000088
【図８７】
2005100127.tif 000089
【図８８】
2005100127.tif 000090
【図８９】
2005100127.tif 000091
【図９０】
2005100127.tif 000092